(57)【要約】【課題】姿勢補整用下着において、意識しなくても衣服の下に着用するだけで肛門が引き締められて正しい姿勢をとることができ、着用して歩行するだけで正しい歩き方ができて美しいプロポーションを得られること。【解決手段】姿勢補整用ロングガードル１においては、着用したときに、伸縮性を有するパワーネット生地からなる羽根部材５が、着用者の肛門の位置ＨＣＰが１対の分岐部分５ａ，５ｂの間の分岐点５ｃの近傍に位置するように、伸縮性を有するパワーネット生地からなるヨーク部材６を介して、ロングガードル本体２の臀部裏側に縫付けられている。これによって、姿勢補整用ロングガードル１を着用することによって、羽根部材５には伸縮性による引っ張り力がかかり、着用者の肛門が効果的に引き締められ、肛門が軽く上に引き上げられて骨盤を安定させる力が強くなり、正しい姿勢で座り、正しい姿勢で立ち、正しい姿勢で歩くことができる。【選択図】図１
2007231491.tif 000002
【特許請求の範囲】
【請求項１】
着用者の股下に当接する股部を有する下着本体と、１対の分岐部分を有する略Ｙ字形の伸縮性を有する生地からなる羽根部材とを具備する姿勢補整用下着であって、
前記下着本体の裏側または表側の前記股部の前部に前記羽根部材の分岐していない側の端が縫付けられ、股下を通って前記下着本体の裏側または表側の後部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項２】
着用者の股下に当接する股部を有する下着本体と、１対の分岐部分と１対の前部分岐部分とを有する略Ｘ字形の伸縮性を有する生地からなる羽根部材とを具備する姿勢補整用下着であって、
前記下着本体の裏側または表側の前記股部の前部に前記羽根部材の前記１対の前部分岐部分が縫付けられ、股下を通って前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項３】
着用者の股下に当接する股部を有しない下着本体と、１対の分岐部分を有する略Ｙ字形の伸縮性を有する生地からなる羽根部材とを具備する姿勢補整用下着であって、
前記下着本体の裏側または表側の前部に前記羽根部材の分岐していない側の端が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項４】
着用者の股下に当接する股部を有しない下着本体と、１対の分岐部分と１対の前部分岐部分とを有する略Ｘ字形の伸縮性を有する生地からなる羽根部材とを具備する姿勢補整用下着であって、
前記下着本体の裏側または表側の前部に前記羽根部材の前記１対の前部分岐部分が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項５】
前記下着本体は伸縮性を有する生地からなることを特徴とする請求項１乃至請求項４のいずれか１つに記載の姿勢補整用下着。
【請求項６】
着用者の股下に当接する股部を有する下着本体と、該下着本体の裏側の少なくとも臀部を覆うようにその縁に沿って前記下着本体の裏側に縫付けられたヨーク部材と、１対の分岐部分を有する略Ｙ字形の伸縮性を有する生地からなる羽根部材とを具備する姿勢補整用下着であって、
前記下着本体の裏側の前記股部の前部に前記羽根部材の分岐していない側の端が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項７】
着用者の股下に当接する股部を有する下着本体と、該下着本体の裏側の少なくとも臀部を覆うようにその縁に沿って前記下着本体の裏側に縫付けられたヨーク部材と、１対の分岐部分と１対の前部分岐部分とを有する略Ｘ字形の伸縮性を有する生地からなる羽根部材とを具備する姿勢補整用下着であって、
前記下着本体の裏側の前記股部の前部に前記羽根部材の前記１対の前部分岐部分が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項８】
着用者の股下に当接する股部を有しない下着本体と、該下着本体の裏側の少なくとも臀部を覆うようにその縁に沿って前記下着本体の裏側に縫付けられたヨーク部材と、１対の分岐部分を有する略Ｙ字形の伸縮性を有する生地からなる羽根部材とを具備する姿勢補整用下着であって、
前記下着本体の裏側の前部に前記羽根部材の分岐していない側の端が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項９】
着用者の股下に当接する股部を有しない下着本体と、該下着本体の裏側の少なくとも臀部を覆うようにその縁に沿って前記下着本体の裏側に縫付けられたヨーク部材と、１対の分岐部分と１対の前部分岐部分とを有する略Ｘ字形の伸縮性を有する生地からなる羽根部材とを具備する姿勢補整用下着であって、
前記下着本体の裏側の前部に前記羽根部材の前記１対の前部分岐部分が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、
前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられていることを特徴とする姿勢補整用下着。
【請求項１０】
前記下着本体及び／または前記ヨーク部材は伸縮性を有する生地からなることを特徴とする請求項６乃至請求項９のいずれか１つに記載の姿勢補整用下着。
【請求項１１】
前記羽根部材についての前記所定長さは３ｃｍから１０ｃｍの範囲内であり、前記着用者の肛門が当接する位置が前記１対の分岐部分の間にある場合の当該位置から前記分岐点までの距離は０．５ｃｍから３．０ｃｍの範囲内であることを特徴とする請求項１乃至請求項１０のいずれか１つに記載の姿勢補整用下着。
【請求項１２】
前記羽根部材の前記１対の分岐部分が、前記着用者の肛門が引き締められたときに前記着用者の臀部に生ずる左右１対の笑窪様の小さい窪みを覆う大きさであることを特徴とする請求項１乃至請求項１１のいずれか１つに記載の姿勢補整用下着。
【請求項１３】
前記羽根部材の前記１対の分岐部分の一方若しくは両方及び／または前記１対の前部分岐部分の一方若しくは両方がさらに二つ以上に分岐していることを特徴とする請求項１乃至請求項１２のいずれか１つに記載の姿勢補整用下着。
【請求項１４】
前記羽根部材の前記分岐していない側の先端または前記１対の前部分岐部分の先端が前記下着本体の裏側または表側の前部の上端またはその近傍に縫付けられていることを特徴とする請求項１乃至請求項１３のいずれか１つに記載の姿勢補整用下着。
【請求項１５】
前記羽根部材は前記下着本体の前記股部の裏側に取付けられた股下当て布と前記下着本体の前記股部との間を潜って取付けられていることを特徴とする請求項１乃至請求項１４のいずれか１つに記載の姿勢補整用下着。
【請求項１６】
前記羽根部材には１対または複数対の枝部分が設けられており、前記羽根部材が前記下着本体の前記股部の裏側に取付けられた前記股下当て布と前記下着本体の前記股部との間を潜って取付けられる際に前記枝部分が前記股下当て布の内部において前記下着本体の前記股部の裏側及び／または前記股下当て布に縫付けられていることを特徴とする請求項１５に記載の姿勢補整用下着。
【請求項１７】
前記羽根部材は前記１対の分岐部分と前記分岐点を含む根元部分のみからなる伸縮性を有する生地からなる後部羽根部材であって、前記後部羽根部材は前記根元部分が前記下着本体の前記股部の裏側に取付けられた伸縮性を有する生地からなる股下当て布の後部の端に縫付けられていることを特徴とする請求項１乃至請求項１４のいずれか１つに記載の姿勢補整用下着。
【請求項１８】
前記後部羽根部材とともに前記羽根部材の分岐していない側または前記１対の前部分岐部分のみからなる伸縮性を有する生地からなる前部羽根部材を有し、前記前部羽根部材の前記分岐していない側の先端または前記１対の前部分岐部分の先端は下着本体の裏側の前部に縫付けられており、前記前部羽根部材の反対側の端は前記股下当て布の前部の端に縫付けられていることを特徴とする請求項１７に記載の姿勢補整用下着。
【請求項１９】
前記羽根部材の前記分岐していない側または前記１対の前部分岐部分が前記下着本体の裏側または表側の前部に縫付けられておらず、
前記羽根部材の前記分岐していない側または前記１対の前部分岐部分と前記下着本体の裏側または表側の前部とは、前記羽根部材の前記分岐していない側または前記１対の前部分岐部分と、前記下着本体の裏側または表側の前部とに取付けられた複数の接続位置を選択できる１組または２組の調節機能付き接続具によって接続されることを特徴とする請求項１乃至請求項１６のいずれか１つに記載の姿勢補整用下着。
【請求項２０】
前記羽根部材は前記１対の分岐部分と前記分岐していない側の端との間または前記１対の前部分岐部分との間で分離されており、
該分離部分は、前記羽根部材の前記１対の分岐部分の側と、前記羽根部材の前記分岐していない側または前記１対の前部分岐部分の側とに取付けられた複数の接続位置を選択できる１組の調節機能付き接続具によって接続されることを特徴とする請求項１乃至請求項１６のいずれか１つに記載の姿勢補整用下着。
【請求項２１】
前記羽根部材の前記１対の分岐部分の先端及び／または前記１対の前部分岐部分の先端が丸みのある形状となっていることを特徴とする請求項１乃至請求項２０のいずれか１つに記載の姿勢補整用下着。
【請求項２２】
前記伸縮性を有する生地はパワーネット、サテンネット（ストレッチサテン）、ストレッチレースのいずれかであることを特徴とする請求項１乃至請求項２１のいずれか１つに記載の姿勢補整用下着。
【請求項２３】
前記下着本体はロングガードル本体、ショートガードル本体、ショーツガードル本体、ショーツ本体、サポーター本体、キュロット下着本体、ボディースーツ本体、タイツ本体、またはパンティー・ストッキング本体であり、前記姿勢補整用下着は女性用の姿勢補整用ロングガードル、姿勢補整用ショートガードル、姿勢補整用ショーツガードル、姿勢補整用ショーツ、姿勢補整用サポーター、姿勢補整用キュロット下着、姿勢補整用ボディースーツ、姿勢補整用タイツ、または姿勢補整用パンティー・ストッキングであることを特徴とする請求項１乃至請求項２２のいずれか１つに記載の姿勢補整用下着。
【発明の詳細な説明】
【技術分野】
【０００１】
本発明は、ズボン（パンツ）、スカート等の衣服の下に着用するだけで臀部の弛みを引き締めて、背筋を伸ばし下腹を引き締めた正しい姿勢に補整するとともに、着用して歩行するだけで下腹を引き締めて臀部を締め背筋を伸ばした正しい歩き方をすることができる姿勢補整用下着に関するものである。
【０００２】
ここで、「下着」とは、ズボン（パンツ）、スカート等の衣服の下に着用する、ロングガードル、ショートガードル、ショーツガードル、ショーツ、サポーター、キュロット下着、ボディースーツ、タイツ、パンティー・ストッキング、ブリーフ、トランクス、ボクサーパンツ、ズボン下、等の衣類を意味するものとする。
【背景技術】
【０００３】
現代人は、座るときも立つときも歩くときも姿勢が悪い人が多く、このような悪い姿勢を続けることによって健康にも害を及ぼすだけでなく、特に女性にとっては重要な美しいプロポーションをも維持できないという大きな問題を生じている。美しいプロポーション作りの基本は、正しい座り方・正しい立ち方・正しい歩き方の三点であり、即ち常に正しい姿勢を取ることが極めて重要である。
【０００４】
従来、衣服の下に着用するガードル等の衣類において、体形補整機能または筋肉サポート機能を付与するため、ガードル等の衣類本体生地をジャガード編みからなる生地で構成し、緊迫力の強弱の要求に応じて編み組織を切り替えて、組織の変化によって所定部分に比較的緊迫力の強い部分と緊迫力の弱い部分をパターン状に形成する技術が知られている（特許文献１）。これによって、ガードル等の衣類に急激な段差を生ずることなく、体形補整機能または筋肉サポート機能を付与することができるとしている。
【０００５】
さらに、特許文献２に開示された発明においては、ガードル等の衣類において腹部布と左右身頃布がそれぞれジャガード編みからなる生地で構成され、腹部布における比較的緊迫力の強い部分と左右身頃布における比較的緊迫力の強い部分とが少なくとも一部において連結する構成としている。これによって、着用者の腹部にかかる緊迫力と腹部以外のヒップ等にかかる緊迫力とを連動させることで、相乗的に体形補整機能を向上させることができるとしている。
【０００６】
しかし、これらの発明においては、美しいプロポーション作りの基本である正しい姿勢を維持するという視点が欠けており、本質的に優れた体形補整機能を得ることは困難である。そこで、本質的に優れた体形補整機能を得るためには、正しい姿勢を維持する努力をすることが必要となる。
【０００７】
例えば、非特許文献１の１９４頁〜１９５頁に、日常生活の中で歩くということは、まず正しい立ち方ができなければ正しく歩くことはできない。それには、股間で物を挟むような筋肉の使い方をすればよい。そのためには、肛門を軽く上に引き上げる感じにすれば骨盤を安定させる力が強くなり、しかもお尻の筋肉に余計な緊張を生まないで正しい立ち方ができるようになる、と記載されているように、肛門を引き締めて肛門を軽く上に引き上げるように立つことによって、正しい姿勢で立ち、正しい姿勢で歩くことができる。
【０００８】
また、非特許文献２の２３頁の「椅子に座る」の項に「肛門をキュッと締め、座骨を中央に寄せて座りましょう。これなら背筋が伸びるうえにひざも閉じて、座り姿が見違えます。」と記載され、同じ頁の「立ち上がり方はこうする」の項に「いったん片足を手前に引き寄せ、肛門を締めたまま垂直に体を引き上げて。これなら背骨のゆがみを避けられるうえに、おなかと太ももに力がかかり、ひき締め効果が望めます。」と記載されているように、肛門を引き締めることによって、正しい姿勢で座り、正しい姿勢で立ち上がることができることが分かる。
【特許文献１】特許第３０２３３５４号公報
【特許文献２】特開２００４−３３９６２３号公報
【非特許文献１】「ＰＨＰ文庫・１週間で脚が細くなる本」著者・山田陽子、発行所・ＰＨＰ研究所、出版年月日・平成１５年８月１８日
【非特許文献２】「その日のうちに見違える・即効！骨盤スリミング」著者・立花みどり、発行所・株式会社日本文芸社、出版年月日・平成１４年１０月２５日
【発明の開示】
【発明が解決しようとする課題】
【０００９】
しかしながら、上記非特許文献１及び非特許文献２に記載されるように常に肛門を引き締めることを意識して生活するのはかなり困難であり、また肛門を引き締めることに意識を集中すると強迫観念がストレスを生み、そのストレスが体を硬くしてしまって却って緊張から正しい姿勢が取りづらくなるという問題点があった。さらに、近年は、女性のみでなく男性にも美しいプロポーションを得たいという要求が強くなる傾向にある。
【００１０】
そこで、本発明は、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる、女性用の姿勢補整用ロングガードル・姿勢補整用ショートガードル・姿勢補整用ショーツや、男性用の姿勢補整用ブリーフ・姿勢補整用トランクス・姿勢補整用ズボン下等を始めとする、姿勢補整用下着の提供を課題とするものである。
【課題を解決するための手段】
【００１１】
請求項１の発明にかかる姿勢補整用下着は、着用者の股下に当接する股部を有する下着本体と、１対の分岐部分を有する略Ｙ字形の伸縮性を有する生地からなる羽根部材とを具備する姿勢補整用下着であって、前記下着本体の裏側または表側の前記股部の前部に前記羽根部材の分岐していない側の端が縫付けられ、股下を通って前記下着本体の裏側または表側の後部に前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００１２】
ここで、「股部を有する下着本体」としては、ロングガードル、ショートガードル、ショーツガードル、ショーツ、サポーター、キュロット下着、ボディースーツ、タイツ、パンティー・ストッキング、ブリーフ、トランクス、ボクサーパンツ、ズボン下、等がある。また、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００１３】
請求項２の発明にかかる姿勢補整用下着は、着用者の股下に当接する股部を有する下着本体と、１対の分岐部分と１対の前部分岐部分とを有する略Ｘ字形の伸縮性を有する生地からなる羽根部材とを具備する姿勢補整用下着であって、前記下着本体の裏側または表側の前記股部の前部に前記羽根部材の前記１対の前部分岐部分が縫付けられ、股下を通って前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００１４】
請求項３の発明にかかる姿勢補整用下着は、着用者の股下に当接する股部を有しない下着本体と、１対の分岐部分を有する略Ｙ字形の伸縮性を有する生地からなる羽根部材とを具備する姿勢補整用下着であって、前記下着本体の裏側または表側の前部に前記羽根部材の分岐していない側の端が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００１５】
ここで、「股部を有しない下着本体」としては、例えば、腹巻状のサポーター、等がある。
【００１６】
請求項４の発明にかかる姿勢補整用下着は、着用者の股下に当接する股部を有しない下着本体と、１対の分岐部分と１対の前部分岐部分とを有する略Ｘ字形の伸縮性を有する生地からなる羽根部材とを具備する姿勢補整用下着であって、前記下着本体の裏側または表側の前部に前記羽根部材の前記１対の前部分岐部分が縫付けられ、前記下着本体の裏側または表側の後部に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００１７】
請求項５の発明にかかる姿勢補整用下着は、請求項１乃至請求項４のいずれか１つの構成において、前記下着本体は伸縮性を有する生地からなるものである。
【００１８】
ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００１９】
請求項６の発明にかかる姿勢補整用下着は、着用者の股下に当接する股部を有する下着本体と、該下着本体の裏側の少なくとも臀部を覆うようにその縁に沿って前記下着本体の裏側に縫付けられたヨーク部材と、１対の分岐部分を有する略Ｙ字形の伸縮性を有する生地からなる羽根部材とを具備する姿勢補整用下着であって、前記下着本体の裏側の前記股部の前部に前記羽根部材の分岐していない側の端が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２０】
請求項７の発明にかかる姿勢補整用下着は、着用者の股下に当接する股部を有する下着本体と、該下着本体の裏側の少なくとも臀部を覆うようにその縁に沿って前記下着本体の裏側に縫付けられたヨーク部材と、１対の分岐部分と１対の前部分岐部分とを有する略Ｘ字形の伸縮性を有する生地からなる羽根部材とを具備する姿勢補整用下着であって、前記下着本体の裏側の前記股部の前部に前記羽根部材の前記１対の前部分岐部分が縫付けられ、股下を通って前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられ、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２１】
請求項８の発明にかかる姿勢補整用下着は、着用者の股下に当接する股部を有しない下着本体と、該下着本体の裏側の少なくとも臀部を覆うようにその縁に沿って前記下着本体の裏側に縫付けられたヨーク部材と、１対の分岐部分を有する略Ｙ字形の伸縮性を有する生地からなる羽根部材とを具備する姿勢補整用下着であって、前記下着本体の裏側の前部に前記羽根部材の分岐していない側の端が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２２】
請求項９の発明にかかる姿勢補整用下着は、着用者の股下に当接する股部を有しない下着本体と、該下着本体の裏側の少なくとも臀部を覆うようにその縁に沿って前記下着本体の裏側に縫付けられたヨーク部材と、１対の分岐部分と１対の前部分岐部分とを有する略Ｘ字形の伸縮性を有する生地からなる羽根部材とを具備する姿勢補整用下着であって、前記下着本体の裏側の前部に前記羽根部材の前記１対の前部分岐部分が縫付けられ、前記ヨーク部材に前記羽根部材の前記１対の分岐部分の先端及びその周囲の部分が前記１対の分岐部分の内側においては前記１対の分岐部分の分岐点から所定長さの位置まで、前記１対の分岐部分の外側においては前記１対の分岐部分の内側の前記位置にほぼ対応する位置まで縫付けられることによって前記股部が形成され、前記羽根部材は前記姿勢補整用下着を着用したときに前記着用者の肛門が前記１対の分岐部分の間の前記分岐点の近傍または前記羽根部材の下の前記分岐点の近傍に位置するとともに、前記１対の分岐部分の内側及び外側の縫い止まり点が前記着用者の肛門よりも上方に位置するように縫付けられているものである。
【００２３】
請求項１０の発明にかかる姿勢補整用下着は、請求項６乃至請求項９のいずれか１つの構成において、前記下着本体及び／または前記ヨーク部材は伸縮性を有する生地からなるものである。
【００２４】
ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。また、下着本体とヨーク部材と羽根部材とは、全て同じ種類の伸縮性を有する生地からなるものでも良く、これらのうち二つが同じ種類の伸縮性を有する生地からなるものでも良く、三つ全てが異なる種類の伸縮性を有する生地からなるものでも良い。
【００２５】
請求項１１の発明にかかる姿勢補整用下着は、請求項１乃至請求項１０のいずれか１つの構成において、前記羽根部材についての前記所定長さは３ｃｍから１０ｃｍの範囲内であり、前記着用者の肛門が当接する位置が前記１対の分岐部分の間にある場合の当該位置から前記分岐点までの距離は０．５ｃｍから３．０ｃｍの範囲内であるものである。
【００２６】
請求項１２の発明にかかる姿勢補整用下着は、請求項１乃至請求項１１のいずれか１つの構成において、前記羽根部材の前記１対の分岐部分が、前記着用者の肛門が引き締められたときに前記着用者の臀部に生ずる左右１対の笑窪様の小さい窪みを覆う大きさであるものである。
【００２７】
請求項１３の発明にかかる姿勢補整用下着は、請求項１乃至請求項１２のいずれか１つの構成において、前記羽根部材の前記１対の分岐部分の一方若しくは両方及び／または前記１対の前部分岐部分の一方若しくは両方がさらに二つ以上に分岐しているものである。
【００２８】
請求項１４の発明にかかる姿勢補整用下着は、請求項１乃至請求項１３のいずれか１つの構成において、前記羽根部材の前記分岐していない側の先端または前記１対の前部分岐部分の先端が前記下着本体の裏側または表側の前部の上端またはその近傍に縫付けられているものである。
【００２９】
請求項１５の発明にかかる姿勢補整用下着は、請求項１乃至請求項１４のいずれか１つの構成において、前記羽根部材は前記下着本体の前記股部の裏側に取付けられた股下当て布と前記下着本体の前記股部との間を潜って取付けられているものである。
【００３０】
請求項１６の発明にかかる姿勢補整用下着は、請求項１５の構成において、前記羽根部材には１対または複数対の枝部分が設けられており、前記羽根部材が前記下着本体の前記股部の裏側に取付けられた前記股下当て布と前記下着本体の前記股部との間を潜って取付けられる際に前記枝部分が前記股下当て布の内部において前記下着本体の前記股部の裏側及び／または前記股下当て布に縫付けられているものである。
【００３１】
請求項１７の発明にかかる姿勢補整用下着は、請求項１乃至請求項１４のいずれか１つの構成において、前記羽根部材は前記１対の分岐部分と前記分岐点を含む根元部分のみからなる伸縮性を有する生地からなる後部羽根部材であって、前記後部羽根部材は前記根元部分が前記下着本体の前記股部の裏側に取付けられた伸縮性を有する生地からなる股下当て布の後部の端に縫付けられているものである。
【００３２】
請求項１８の発明にかかる姿勢補整用下着は、請求項１７の構成において、前記後部羽根部材とともに前記羽根部材の分岐していない側または前記１対の前部分岐部分のみからなる伸縮性を有する生地からなる前部羽根部材を有し、前記前部羽根部材の前記分岐していない側の先端または前記１対の前部分岐部分の先端は下着本体の裏側の前部に縫付けられており、前記前部羽根部材の反対側の端は前記股下当て布の前部の端に縫付けられているものである。
【００３３】
請求項１９の発明にかかる姿勢補整用下着は、請求項１乃至請求項１６のいずれか１つの構成において、前記羽根部材の前記分岐していない側または前記１対の前部分岐部分が前記下着本体の裏側または表側の前部に縫付けられておらず、前記羽根部材の前記分岐していない側または前記１対の前部分岐部分と前記下着本体の裏側または表側の前部とは、前記羽根部材の前記分岐していない側または前記１対の前部分岐部分と、前記下着本体の裏側または表側の前部に取付けられた複数の接続位置を選択できる１組または２組の調節機能付き接続具によって接続されるものである。
【００３４】
ここで、「調節機能付き接続具」としては、例えば、布地の長さ方向の複数の位置にメンカンを取付けたものと、その複数のメンカンのいずれにも嵌合するカギホックを布地に取付けたものとを組にしたものや、布地の長さ方向の複数の位置に凹側のホックを取付けたものと、その複数の凹側のホックのいずれにも嵌合する凸側のホックを布地に取付けたものとを組にしたものや、布地の長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））、等がある。
【００３５】
請求項２０の発明にかかる姿勢補整用下着は、請求項１乃至請求項１６のいずれか１つの構成において、前記羽根部材は前記１対の分岐部分と前記分岐していない側の端との間または前記１対の前部分岐部分との間で分離されており、該分離部分は、前記羽根部材の前記１対の分岐部分の側と、前記羽根部材の前記分岐していない側または前記１対の前部分岐部分の側とに取付けられた複数の接続位置を選択できる１組の調節機能付き接続具によって接続されるものである。
【００３６】
請求項２１の発明にかかる姿勢補整用下着は、請求項１乃至請求項２０のいずれか１つの構成において、前記羽根部材の前記１対の分岐部分の先端及び／または前記１対の前部分岐部分の先端が丸みのある形状となっているものである。
【００３７】
請求項２２の発明にかかる姿勢補整用下着は、請求項１乃至請求項２１のいずれか１つの構成において、前記伸縮性を有する生地はパワーネット、サテンネット（ストレッチサテン）、ストレッチレースのいずれかであるものである。
【００３８】
請求項２３の発明にかかる姿勢補整用下着は、請求項１乃至請求項２２のいずれか１つの構成において、前記下着本体はロングガードル本体、ショートガードル本体、ショーツガードル本体、ショーツ本体、サポーター本体、キュロット下着本体、ボディースーツ本体、タイツ本体、またはパンティー・ストッキング本体であり、前記姿勢補整用下着は女性用の姿勢補整用ロングガードル、姿勢補整用ショートガードル、姿勢補整用ショーツガードル、姿勢補整用ショーツ、姿勢補整用サポーター、姿勢補整用キュロット下着、姿勢補整用ボディースーツ、姿勢補整用タイツ、または姿勢補整用パンティー・ストッキングであるものである。
【発明の効果】
【００３９】
請求項１の発明にかかる姿勢補整用下着は、着用者の股下に当接する股部を有する下着本体と、１対の分岐部分を有する略Ｙ字形の伸縮性を有する生地からなる羽根部材とを具備する姿勢補整用下着であって、下着本体の裏側または表側の股部の前部に羽根部材の分岐していない側の端が縫付けられ、股下を通って下着本体の裏側または表側の後部に１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００４０】
ここで、「股部を有する下着本体」としては、ロングガードル、ショートガードル、ショーツガードル、ショーツ、サポーター、キュロット下着、ボディースーツ、タイツ、パンティー・ストッキング、ブリーフ、トランクス、ボクサーパンツ、ズボン下、等がある。また、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００４１】
かかる構成を有する姿勢補整用下着を着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００４２】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【００４３】
請求項２の発明にかかる姿勢補整用下着は、着用者の股下に当接する股部を有する下着本体と、１対の分岐部分と１対の前部分岐部分とを有する略Ｘ字形の伸縮性を有する生地からなる羽根部材とを具備する姿勢補整用下着であって、下着本体の裏側または表側の股部の前部に羽根部材の１対の前部分岐部分が縫付けられ、股下を通って下着本体の裏側または表側の後部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００４４】
かかる構成を有する姿勢補整用下着を着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００４５】
さらに、伸縮性を有する生地からなる羽根部材の１対の前部分岐部分が股部の前部に縫付けられているため、肛門を引き締める効果が向上するとともにヒップアップの効果をも得ることができる。また、ブリーフ、トランクス、ボクサーパンツ、ズボン下、等の男性用下着に適用した場合には、１対の前部分岐部分の間が開いているので排尿用の口を塞ぐことがなく、排尿時に姿勢補整用下着を一々脱ぐ必要がないという利点も得られる。
【００４６】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができ、また男性用下着としても使い勝手の良い姿勢補整用下着となる。
【００４７】
請求項３の発明にかかる姿勢補整用下着は、着用者の股下に当接する股部を有しない下着本体と、１対の分岐部分を有する略Ｙ字形の伸縮性を有する生地からなる羽根部材とを具備する姿勢補整用下着であって、下着本体の裏側または表側の前部に羽根部材の分岐していない側の端が縫付けられ、下着本体の裏側または表側の後部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。ここで、「股部を有しない下着本体」としては、例えば、腹巻状のサポーター、等がある。
【００４８】
かかる構成を有する姿勢補整用下着を着用することによって、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００４９】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【００５０】
請求項４の発明にかかる姿勢補整用下着は、着用者の股下に当接する股部を有しない下着本体と、１対の分岐部分と１対の前部分岐部分とを有する略Ｘ字形の伸縮性を有する生地からなる羽根部材とを具備する姿勢補整用下着であって、下着本体の裏側または表側の前部に羽根部材の１対の前部分岐部分が縫付けられ、下着本体の裏側または表側の後部に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００５１】
かかる構成を有する姿勢補整用下着を着用することによって、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００５２】
さらに、伸縮性を有する生地からなる羽根部材の１対の前部分岐部分が下着本体の前部に縫付けられているため、肛門を引き締める効果が向上するとともにヒップアップの効果をも得ることができる。また、男性用下着とした場合には、１対の前部分岐部分の間が開いているので、排尿時に姿勢補整用下着を一々脱ぐ必要がないという利点も得られる。
【００５３】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができ、また男性用下着としても使い勝手の良い姿勢補整用下着となる。
【００５４】
請求項５の発明にかかる姿勢補整用下着は、下着本体が伸縮性を有する生地からなる。ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００５５】
これによって、下着本体が下半身にぴったりフィットするために、肛門を引き締める効果がさらに向上するとともに、ヒップアップの効果をも得ることができる。また、下着本体がフィットすることによって、姿勢補整用下着の穿き心地も向上する。
【００５６】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができ、また穿き心地も優れた姿勢補整用下着となる。
【００５７】
請求項６の発明にかかる姿勢補整用下着は、着用者の股下に当接する股部を有する下着本体と、下着本体の裏側の少なくとも臀部を覆うようにその縁に沿って下着本体の裏側に縫付けられたヨーク部材と、１対の分岐部分を有する略Ｙ字形の伸縮性を有する生地からなる羽根部材とを具備する姿勢補整用下着であって、下着本体の裏側の股部の前部に羽根部材の分岐していない側の端が縫付けられ、股下を通ってヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００５８】
このように、下着本体の裏側に縫付けられたヨーク部材に羽根部材が縫付けられているために、羽根部材の引っ張り力が下着本体の表側にひびくことがなく、姿勢補整用下着を着用したときの見栄えが良い。
【００５９】
また、肛門が引き締められると着用者の臀部に左右１対の笑窪様の小さい窪みが生ずるが、この窪みを押えることによって臀部が引き締まって小尻になるとともにヒップアップの効果が得られる。ヨーク部材は少なくとも臀部を覆うように下着本体の裏側に縫付けられているため、羽根部材の引っ張り力によってヨーク部材を介して前記窪みが押えられ、臀部が引き締まって小尻になるとともにヒップアップの効果が得られる。
【００６０】
そして、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００６１】
このようにして、意識しなくてもズボン・パンツやスカート等の衣服の下に着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用下着となる。
【００６２】
請求項７の発明にかかる姿勢補整用下着は、着用者の股下に当接する股部を有する下着本体と、下着本体の裏側の少なくとも臀部を覆うようにその縁に沿って下着本体の裏側に縫付けられたヨーク部材と、１対の分岐部分と１対の前部分岐部分とを有する略Ｘ字形の伸縮性を有する生地からなる羽根部材とを具備する姿勢補整用下着であって、下着本体の裏側の股部の前部に羽根部材の１対の前部分岐部分が縫付けられ、股下を通ってヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられ、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００６３】
このように、下着本体の裏側に縫付けられたヨーク部材に羽根部材が縫付けられているために、羽根部材の引っ張り力が下着本体の表側にひびくことがなく、姿勢補整用下着を着用したときの見栄えが良い。また、ヨーク部材は少なくとも臀部を覆うように下着本体の裏側に縫付けられているため、羽根部材の引っ張り力によってヨーク部材を介して肛門が引き締められたときに着用者の臀部に生ずる左右１対の笑窪様の小さい窪みが押えられることによって、臀部が引き締まって小尻になるとともにヒップアップの効果が得られる。
【００６４】
そして、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００６５】
さらに、伸縮性を有する生地からなる羽根部材の１対の前部分岐部分が股部の前部に縫付けられているため、肛門を引き締める効果が向上するとともにヒップアップの効果をも得ることができる。また、ブリーフ、トランクス、ボクサーパンツ、ズボン下、等の男性用下着に適用した場合には、１対の前部分岐部分の間が開いているので排尿用の口を塞ぐことがなく、排尿時に姿勢補整用下着を一々脱ぐ必要がないという利点も得られる。
【００６６】
このようにして、意識しなくてもズボン・パンツやスカート等の衣服の下に着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができ、男性用下着としても使い勝手の良い姿勢補整用下着となる。
【００６７】
請求項８の発明にかかる姿勢補整用下着は、着用者の股下に当接する股部を有しない下着本体と、下着本体の裏側の少なくとも臀部を覆うようにその縁に沿って下着本体の裏側に縫付けられたヨーク部材と、１対の分岐部分を有する略Ｙ字形の伸縮性を有する生地からなる羽根部材とを具備する姿勢補整用下着であって、下着本体の裏側の前部に羽根部材の分岐していない側の端が縫付けられ、ヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００６８】
このように、下着本体の裏側に縫付けられたヨーク部材に羽根部材が縫付けられているために、羽根部材の引っ張り力が下着本体の表側にひびくことがなく、姿勢補整用下着を着用したときの見栄えが良い。また、ヨーク部材は少なくとも臀部を覆うように下着本体の裏側に縫付けられているため、羽根部材の引っ張り力によってヨーク部材を介して肛門が引き締められたときに着用者の臀部に生ずる左右１対の笑窪様の小さい窪みが押えられることによって、臀部が引き締まって小尻になるとともにヒップアップの効果が得られる。
【００６９】
そして、伸縮性を有する生地からなる羽根部材の１対の分岐部分の間の分岐点の近傍または羽根部材の下の分岐点の近傍に着用者の肛門が位置しており、羽根部材は縫付けられた分岐していない側の端と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００７０】
このようにして、意識しなくてもズボン・パンツやスカート等の衣服の下に着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができる姿勢補整用下着となる。
【００７１】
請求項９の発明にかかる姿勢補整用下着は、着用者の股下に当接する股部を有しない下着本体と、下着本体の裏側の少なくとも臀部を覆うようにその縁に沿って下着本体の裏側に縫付けられたヨーク部材と、１対の分岐部分と１対の前部分岐部分とを有する略Ｘ字形の伸縮性を有する生地からなる羽根部材とを具備する姿勢補整用下着であって、下着本体の裏側の前部に羽根部材の１対の前部分岐部分が縫付けられ、ヨーク部材に羽根部材の１対の分岐部分の先端及びその周囲の部分が１対の分岐部分の内側においては１対の分岐部分の分岐点から所定長さの位置まで、１対の分岐部分の外側においては１対の分岐部分の内側の位置にほぼ対応する位置まで縫付けられることによって股部が形成され、羽根部材は姿勢補整用下着を着用したときに着用者の肛門が１対の分岐部分の間の分岐点の近傍または羽根部材の下の分岐点の近傍に位置するとともに、１対の分岐部分の内側及び外側の縫い止まり点が着用者の肛門よりも上方に位置するように縫付けられている。
【００７２】
このように、下着本体の裏側に縫付けられたヨーク部材に羽根部材が縫付けられているために、羽根部材の引っ張り力が下着本体の表側にひびくことがなく、姿勢補整用下着を着用したときの見栄えが良い。また、ヨーク部材は少なくとも臀部を覆うように下着本体の裏側に縫付けられているため、羽根部材の引っ張り力によってヨーク部材を介して肛門が引き締められたときに着用者の臀部に生ずる左右１対の笑窪様の小さい窪みが押えられることによって、臀部が引き締まって小尻になるとともにヒップアップの効果が得られる。
【００７３】
そして、伸縮性を有する生地からなる羽根部材の１対の分岐部分の間の分岐点の近傍または羽根部材の下の分岐点の近傍に着用者の肛門が位置しており、羽根部材は縫付けられた１対の前部分岐部分と、縫付けられた１対の分岐部分の先端及びその周囲の部分の端（縫い止まり点）との間が縫付けられていないため、伸縮性によって引っ張り力が作用し、さらに１対の分岐部分の内側及び外側の縫い止まり点が着用者の肛門よりも上方に位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００７４】
さらに、伸縮性を有する生地からなる羽根部材の１対の前部分岐部分が下着本体の前部に縫付けられているため、肛門を引き締める効果が向上するとともにヒップアップの効果をも得ることができる。また、男性用下着に適用した場合には、１対の前部分岐部分の間が開いているので、排尿時に姿勢補整用下着を一々脱ぐ必要がないという利点も得られる。
【００７５】
このようにして、意識しなくてもズボン・パンツやスカート等の衣服の下に着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られ、美しいプロポーションを得ることができ、男性用下着としても使い勝手の良い姿勢補整用下着となる。
【００７６】
請求項１０の発明にかかる姿勢補整用下着は、下着本体及び／またはヨーク部材が伸縮性を有する生地からなる。ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。また、下着本体とヨーク部材と羽根部材とは、全て同じ種類の伸縮性を有する生地からなるものでも良く、これらのうち二つが同じ種類の伸縮性を有する生地からなるものでも良く、三つ全てが異なる種類の伸縮性を有する生地からなるものでも良い。
【００７７】
これによって、下着本体が下半身にぴったりフィットするために、肛門を引き締める効果がさらに向上するとともに、ヒップアップの効果をも得ることができる。また、下着本体がフィットすることによって、姿勢補整用下着の穿き心地も向上する。
【００７８】
また、下着本体の裏側に縫付けられたヨーク部材に羽根部材が縫付けられているために、羽根部材の引っ張り力が下着本体の表側にひびくことがなく、姿勢補整用下着を着用したときの見栄えが良い。さらに、ヨーク部材は少なくとも臀部を覆うように下着本体の裏側に縫付けられているため、羽根部材の引っ張り力によってヨーク部材を介して肛門が引き締められたときに着用者の臀部に生ずる左右１対の笑窪様の小さい窪みが押えられることによって、臀部が引き締まって小尻になるとともにヒップアップの効果が得られる。
【００７９】
そして、伸縮性を有する生地からなる羽根部材の１対の分岐部分の間の分岐点の近傍または羽根部材の下の分岐点の近傍に着用者の肛門が位置するため、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００８０】
このようにして、意識しなくてもズボン・パンツやスカート等の衣服の下に着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られて美しいプロポーションを得ることができ、また穿き心地も優れた姿勢補整用下着となる。
【００８１】
請求項１１の発明にかかる姿勢補整用下着は、羽根部材についての所定長さが３ｃｍから１０ｃｍの範囲内であり、着用者の肛門が当接する位置が１対の分岐部分の間にある場合の当該位置から分岐点までの距離が０．５ｃｍから３．０ｃｍの範囲内である。さらに、所定長さが５ｃｍから８ｃｍの範囲内であり、当該位置から分岐点までの距離が１．０ｃｍから２．０ｃｍの範囲内であることがより好ましい。そして、所定長さが約７ｃｍ（６．５ｃｍ〜７．５ｃｍ）の場合が最も好ましく、当該位置から分岐点までの距離が約１．５ｃｍ（１．３ｃｍ〜１．７ｃｍ）の場合が最も好ましい。
【００８２】
本発明者は、羽根部材についての１対の分岐部分の先端及びその周囲の部分が縫付けられている端（縫い止まり点）から１対の分岐部分の分岐点までの所定長さの最適範囲、及び着用者の肛門が当接する位置が１対の分岐部分の間にある場合の当該位置から分岐点までの長さの最適範囲について、鋭意実験研究を重ねた結果、所定長さについては３ｃｍから１０ｃｍの範囲内、より好ましくは５ｃｍから８ｃｍの範囲内であり、当該位置から分岐点までの長さについては０．５ｃｍから３．０ｃｍの範囲内、より好ましくは１．０ｃｍから２．０ｃｍの範囲内である場合に、最も適切に着用者の肛門を効果的に引き締め、肛門が軽く上に引き上げられて姿勢を正しくする効果が得られることを見出し、この知見に基づいて本発明を完成させたものである。
【００８３】
さらに、縫い止まり点から１対の分岐部分の分岐点までの所定長さが約７ｃｍ（６．５ｃｍ〜７．５ｃｍ）の場合、及び当該位置から分岐点までの距離が約１．５ｃｍ（１．３ｃｍ〜１．７ｃｍ）の場合が最も効果的に着用者の肛門を効果的に引き締め、肛門が軽く上に引き上げられて姿勢を正しくする効果が得られることを見出した。
【００８４】
このようにして、意識しなくてもズボン・パンツやスカート等の衣服の下に着用するだけで最も適切に肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【００８５】
請求項１２の発明にかかる姿勢補整用下着は、羽根部材の１対の分岐部分が、着用者の肛門が引き締められたときに着用者の臀部に生ずる左右１対の笑窪様の小さい窪みを覆う大きさである。上述の如く、この窪みを押えることによって、臀部が引き締まって小尻になるとともにヒップアップの効果が得られるが、ヨーク部材を介すことなく羽根部材の１対の分岐部分によって直接押えることによってこれらの効果が倍増する。
【００８６】
このようにして、意識しなくてもズボン・パンツやスカート等の衣服の下に着用するだけで肛門が引き締められて正しい姿勢をとることができ、さらに着用して歩行するだけで正しい歩き方をすることができ、筋肉に刺激を与え大臀筋・中臀筋が鍛えられるとともに、小尻になってヒップアップの効果も得られて美しいプロポーションを得ることができる姿勢補整用下着となる。
【００８７】
請求項１３の発明にかかる姿勢補整用下着は、羽根部材の１対の分岐部分の一方若しくは両方及び／または１対の前部分岐部分の一方若しくは両方がさらに二つ以上に分岐している。羽根部材の効果は、伸縮性を有する生地からなる羽根部材の１対の分岐部分の間の分岐点の近傍または羽根部材の下の分岐点の近傍に着用者の肛門が位置していれば得ることができ、１対の分岐部分及び／または１対の前部分岐部分がさらに分岐していても変わることはない。したがって、１対の分岐部分及び／または１対の前部分岐部分がさらに分岐していても、肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【００８８】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【００８９】
請求項１４の発明にかかる姿勢補整用下着においては、羽根部材の分岐していない側の先端または１対の前部分岐部分の先端が下着本体の裏側または表側の前部の上端またはその近傍に縫付けられている。これによって、伸縮性を有する生地からなる羽根部材の引っ張り力がより強力になって肛門が効果的に締付けられるとともに、下腹部が押え付けられるので下腹部が引っ込んでより美しいプロポーションを得ることができる。
【００９０】
このようにして、意識しなくてもズボン・パンツやスカート等の衣服の下に着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用下着となる。
【００９１】
請求項１５の発明にかかる姿勢補整用下着は、羽根部材が下着本体の股部の裏側に取付けられた股下当て布と下着本体の股部との間を潜って取付けられている。
【００９２】
これによって、請求項１乃至請求項１４に記載の効果に加えて、姿勢補整用下着を着用したときに羽根部材が直接着用者の股部に当接することがなく、股下当て布を介して当接することになるので、皮膚が過敏な人が長時間着用しても違和感がなく、一般の人にとっても羽根部材の横ずれ等を直接感じることがなく、股下当て布がクッションになるため穿き心地が向上する。
【００９３】
このようにして、意識しなくてもズボン・パンツやスカート等の衣服の下に着用するだけで肛門が引き締められて正しい姿勢をとることができるとともに、穿き心地が良くなり長時間着用しても違和感を覚えることなく、さらに着用して歩行するだけで正しい歩き方をすることができて、筋肉に刺激を与え大臀筋・中臀筋が鍛えられて美しいプロポーションを得ることができる姿勢補整用下着となる。
【００９４】
請求項１６の発明にかかる姿勢補整用下着は、羽根部材には１対または複数対の枝部分が設けられており、羽根部材が下着本体の股部の裏側に取付けられた股下当て布と下着本体の股部との間を潜って取付けられる際に枝部分が股下当て布の内部において下着本体の股部の裏側及び／または股下当て布に縫付けられている。
【００９５】
これによって、特に請求項１４の発明にかかる姿勢補整用下着のように、羽根部材が長い場合には、中間部分が全くフリーであると捩れたりずれたりして肛門を引き締める効果が半減するとともに、穿き心地も悪くなるが、羽根部材に設けられた１対または複数対の枝部分を股下当て布の内部において下着本体の股部の裏側及び／または股下当て布に縫付けることによって、穿き心地及び見た目を損なうことなく、かつ羽根部材の引き締め力を低下させることなく、羽根部材が捩れたりずれたりする事態を確実に防止することができる。
【００９６】
このようにして、意識しなくてもズボン・パンツやスカート等の衣服の下に着用するだけで肛門が引き締められて正しい姿勢をとることができるとともに、穿き心地が良くなり長時間着用しても違和感を覚えることなく、さらに着用して歩行するだけで正しい歩き方をすることができて、筋肉に刺激を与え大臀筋・中臀筋が鍛えられて美しいプロポーションを得ることができる姿勢補整用下着となる。
【００９７】
請求項１７の発明にかかる姿勢補整用下着は、羽根部材は１対の分岐部分と分岐点を含む根元部分のみからなる伸縮性を有する生地からなる後部羽根部材であって、後部羽根部材は根元部分が下着本体の股部の裏側に取付けられた伸縮性を有する生地からなる股下当て布の後部の端に縫付けられている。ここで、「伸縮性を有する生地」としては、例えば、トリコット、ニット生地、ポリウレタンが１％から３０％混入されたポリウレタン混合生地、綿ストレッチ、スパンレックス、パワーネット、サテンネット（ストレッチサテン）、ストレッチレース、等がある。
【００９８】
このような後部羽根部材を伸縮性を有する生地からなる股下当て布の後部の端に縫付けることによっても、後部羽根部材の分岐点の近傍に位置する着用者の肛門を引き締める効果が得られる。そして、着用者の股部には股下当て布が当接するため、皮膚が過敏な人が長時間着用しても違和感がなく、一般の人にとっても股下当て布がクッションになるため穿き心地が向上する。
【００９９】
このようにして、意識しなくてもズボン・パンツやスカート等の衣服の下に着用するだけで肛門が引き締められて正しい姿勢をとることができるとともに、穿き心地が良くなり長時間着用しても違和感を覚えることなく、さらに着用して歩行するだけで正しい歩き方をすることができて、筋肉に刺激を与え大臀筋・中臀筋が鍛えられて美しいプロポーションを得ることができる姿勢補整用下着となる。
【０１００】
請求項１８の発明にかかる姿勢補整用下着は、後部羽根部材とともに羽根部材の分岐していない側または１対の前部分岐部分のみからなる伸縮性を有する生地からなる前部羽根部材を有し、前部羽根部材の分岐していない側の先端または１対の前部分岐部分の先端は下着本体の裏側の前部に縫付けられており、前部羽根部材の反対側の端は股下当て布の前部の端に縫付けられている。
これによって、請求項１７に記載の効果に加えて、伸縮性を有する生地からなる股下当て布を介してではあるが、後部羽根部材が前部羽根部材によって引っ張られるために後部羽根部材が肛門を引き締める効果が向上するとともに、前部羽根部材によって下腹部が押え付けられるので、下腹部が引っ込んでより美しいプロポーションを得ることができる。
【０１０１】
このようにして、意識しなくてもズボン・パンツやスカート等の衣服の下に着用するだけで肛門がより効果的に引き締められて正しい姿勢をとることができるとともに、下腹部が引っ込んでより美しいプロポーションを得ることができ、さらに着用して歩行するだけで正しい歩き方をすることができて、筋肉に刺激を与え大臀筋・中臀筋が鍛えられて美しいプロポーションを得ることができる姿勢補整用下着となる。
【０１０２】
請求項１９の発明にかかる姿勢補整用下着は、羽根部材の分岐していない側または１対の前部分岐部分が下着本体の裏側または表側の前部に縫付けられておらず、羽根部材の分岐していない側または１対の前部分岐部分と下着本体の裏側または表側の前部とは、羽根部材の分岐していない側または１対の前部分岐部分と、下着本体の裏側または表側の前部とに取付けられた複数の接続位置を選択できる１組または２組の調節機能付き接続具によって接続される。
【０１０３】
ここで、「調節機能付き接続具」としては、例えば、布地の長さ方向の複数の位置にメンカンを取付けたものと、その複数のメンカンのいずれにも嵌合するカギホックを布地に取付けたものとを組にしたものや、布地の長さ方向の複数の位置に凹側のホックを取付けたものと、その複数の凹側のホックのいずれにも嵌合する凸側のホックを布地に取付けたものとを組にしたものや、布地の長さ方向の複数の位置に凹側のドット釦を取付けたものと、その複数の凹側のドット釦のいずれにも嵌合する凸側のドット釦を布地に取付けたものとを組にしたものや、一組の接続布（マジックテープ（登録商標））、等がある。
【０１０４】
かかる構成によって、羽根部材の分岐していない側または１対の前部分岐部分と下着本体の裏側または表側の前部とを調節機能付き接続具によって接続する際に、複数の接続位置のうちいずれを選択するかによって、羽根部材による引っ張り力を最適に調節することができ、着用者の体形によって微妙に異なる羽根部材による肛門の引き締め力を最適に調節することができる。
【０１０５】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【０１０６】
請求項２０の発明にかかる姿勢補整用下着は、羽根部材は１対の分岐部分と分岐していない側の端との間または１対の前部分岐部分との間で分離されており、分離部分は、羽根部材の１対の分岐部分の側と、羽根部材の分岐していない側または１対の前部分岐部分の側とに取付けられた複数の接続位置を選択できる１組の調節機能付き接続具によって接続される。
【０１０７】
かかる構成によって、羽根部材の分離部分を調節機能付き接続具によって接続する際に、複数の接続位置のうちいずれを選択するかによって、羽根部材による引っ張り力を最適に調節することができ、着用者の体形によって微妙に異なる羽根部材による肛門の引き締め力を最適に調節することができる。
【０１０８】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【０１０９】
請求項２１の発明にかかる姿勢補整用下着は、羽根部材の１対の分岐部分の先端及び／または１対の前部分岐部分の先端が丸みのある形状となっている。これによって、羽根部材の１対の分岐部分の先端及び／または１対の前部分岐部分の先端を縫付ける際に、丸みのある形状に沿って曲がりながら一度に縫付けることができるため、縫製時間を短縮することができ、大量生産に向いた姿勢補整用下着となる。
【０１１０】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができるとともに、製造工程を短縮できる姿勢補整用下着となる。
【０１１１】
請求項２２の発明にかかる姿勢補整用下着は、伸縮性を有する生地がパワーネット、サテンネット（ストレッチサテン）、ストレッチレースのいずれかである。
【０１１２】
パワーネット、サテンネット（ストレッチサテン）、ストレッチレースは、いずれも大きな伸縮性を有し、入手も容易であるため、姿勢補整用下着の羽根部材を構成する伸縮性を有する生地として適している。また、下着本体及び／またはヨーク部材が伸縮性を有する生地からなる場合にも、パワーネット、サテンネット（ストレッチサテン）、ストレッチレースは、下着本体及びヨーク部材を構成する生地として適している。
【０１１３】
このようにして、意識しなくてもズボン・パンツやスカート等の衣服の下に着用するだけで肛門が引き締められて正しい姿勢をとることができ、さらに着用して歩行するだけで正しい歩き方をすることができて、筋肉に刺激を与え大臀筋・中臀筋が鍛えられて美しいプロポーションを得ることができる姿勢補整用下着となる。
【０１１４】
請求項２３の発明にかかる姿勢補整用下着は、下着本体がロングガードル本体、ショートガードル本体、ショーツガードル本体、ショーツ本体、サポーター本体、キュロット下着本体、ボディースーツ本体、タイツ本体、またはパンティー・ストッキング本体であり、姿勢補整用下着が女性用の姿勢補整用ロングガードル、姿勢補整用ショートガードル、姿勢補整用ショーツガードル、姿勢補整用ショーツ、姿勢補整用サポーター、姿勢補整用キュロット下着、姿勢補整用ボディースーツ、姿勢補整用タイツ、または姿勢補整用パンティー・ストッキングである。
【０１１５】
美しいプロポーションを得るための姿勢補整用下着としては、男性用の需要も伸びてきてはいるが、まだまだ女性用の需要が圧倒的に多い。そこで、ロングガードル本体、ショートガードル本体、ショーツガードル本体、ショーツ本体、サポーター本体、キュロット下着本体、ボディースーツ本体、タイツ本体、またはパンティー・ストッキング本体を下着本体として、請求項１乃至請求項２２の発明にかかる姿勢補整用下着を女性用の姿勢補整用ロングガードル、姿勢補整用ショートガードル、姿勢補整用ショーツガードル、姿勢補整用ショーツ、姿勢補整用サポーター、姿勢補整用キュロット下着、姿勢補整用ボディースーツ、姿勢補整用タイツ、または姿勢補整用パンティー・ストッキングとすることによって、世の中の多くの女性の要求に答えることができる。
【発明を実施するための最良の形態】
【０１１６】
以下、本発明の実施の形態について、図面を参照しつつ説明する。
【０１１７】
実施の形態１
まず、本発明の実施の形態１にかかる姿勢補整用下着としての姿勢補整用ロングガードルについて、図１乃至図１０を参照して説明する。
【０１１８】
図１（ａ）は本発明の実施の形態１にかかる姿勢補整用下着としての姿勢補整用ロングガードルの全体構成を示す正面図、（ｂ）は背面図、（ｃ）は本発明の実施の形態１にかかる姿勢補整用ロングガードルを裏返した場合の全体構成を示す正面図、（ｄ）は背面図である。図２は本発明の実施の形態１にかかる姿勢補整用ロングガードルの股下部分の内部構造を示す部分拡大図である。図３は人体の肛門が引き締められた場合に臀部に生ずる左右１対の笑窪様の小さい窪みの位置を示す模式図である。
【０１１９】
図４（ａ）は本発明の実施の形態１にかかる姿勢補整用ロングガードルに用いられる羽根部材と肛門及び左右１対の小さい窪みとの位置関係を示す図、（ｂ）は羽根部材と肛門及び左右１対の小さい窪みとの別の位置関係を示す図、（ｃ）は羽根部材と肛門及び左右１対の小さい窪みとのさらに別の位置関係を示す図、（ｄ）は異なる羽根部材と肛門との位置関係を示す図である。図５（ａ）〜（ｊ）は本発明の実施の形態１にかかる姿勢補整用ロングガードルに用いられる羽根部材の様々な形状を示す図である。図６（ａ）は本発明の実施の形態１にかかる姿勢補整用ロングガードルに用いられる羽根部材の縫付け方法を示す図、（ｂ）は羽根部材の異なる縫付け方法を示す図、（ｃ）は羽根部材のさらに異なる縫付け方法を示す図である。
【０１２０】
図７（ａ）は本発明の実施の形態１の第１変形例にかかる姿勢補整用ロングガードルの全体構成を示す正面図、（ｂ）は背面図、（ｃ）は本発明の実施の形態１の第１変形例にかかる姿勢補整用ロングガードルを裏返した場合の全体構成を示す正面図、（ｄ）は背面図である。図８は本発明の実施の形態１の第１変形例にかかる姿勢補整用ロングガードルの股下部分の内部構造を示す部分拡大図である。
【０１２１】
図９（ａ）は本発明の実施の形態１の第２変形例にかかる姿勢補整用ロングガードルの全体構成を示す正面図、（ｂ）は背面図、（ｃ）は本発明の実施の形態１の第２変形例にかかる姿勢補整用ロングガードルを裏返した場合の全体構成を示す正面図、（ｄ）は背面図である。図１０は本発明の実施の形態１の第２変形例にかかる姿勢補整用ロングガードルの股下部分の内部構造を示す部分拡大図である。
【０１２２】
図１（ａ）に示されるように、本実施の形態１にかかる姿勢補整用下着としての姿勢補整用ロングガードル１は、伸縮性を有する生地としてのパワーネットからなる下着本体としてのロングガードル本体２を中心に構成されており、ロングガードル本体２は脚部２Ａ，２Ｂを有する。ロングガードル本体２の前面には装飾用のレース生地３が縫付けられており、レース生地３の下はパワーネットから構成されており、またロングガードル本体２の股部には股下マチ布４が縫付けられている。また、図１（ｂ）に示されるように、ロングガードル本体２の背面は後中心ＢＣにおいて縫付けられ、脚部２Ａ，２Ｂは後股切り替え線２Ｃにおいて縫付けられている。
【０１２３】
そして、図１（ｃ），（ｄ）に示されるように、姿勢補整用ロングガードル１を裏返すと、ロングガードル本体２の裏側には伸縮性を有する生地としてのパワーネットからなるヨーク部材６が縫付けられており、そのヨーク部材６の上（内側）と股下マチ布４の上（裏側）とに伸縮性を有する生地としてのパワーネットからなる羽根部材５が縫付けられている。
【０１２４】
したがって、ロングガードル本体２は、本発明における「着用者の股下に当接する股部を有する下着本体」に相当する。また、本実施の形態１にかかる姿勢補整用ロングガードル１は、「下着本体と、下着本体の裏側に縫付けられたヨーク部材と、略Ｙ字形の伸縮性を有する生地からなる羽根部材とを具備する姿勢補整用下着」に相当し、下着本体２及びヨーク部材６が伸縮性を有する生地からなるものである。
【０１２５】
なお、図１（ｃ），（ｄ）において、ヨーク部材６のみに網目模様のハッチングを施したのは、ロングガードル本体２及び羽根部材５と区別し易くするためであり、網目模様の大きさはヨーク部材６のパワーネットの網目の大きさを表すものではない（以下の各図においても同様である。）。
【０１２６】
ヨーク部材６は、二枚の左右対称のパワーネット生地が後中心ＢＣに対応する中心６ｃにおいて縫付けられてなるが、ヨーク部材６は中心６ｃにおいてはロングガードル本体２には縫付けられておらず、ウエスト周り６ａ及びレース生地３の裏側にあたるパワーネット生地３ａとの境界線６ｂにおいてのみロングガードル本体２に縫付けられており、ヨーク部材６の裾部分もフリーになっているが、ヨーク部材６の下端のみは後に、図２で詳しく説明するように、ステッチ６ｄによってロングガードル本体２に縫付けられている。
【０１２７】
一方、羽根部材５は、後述するように（図６（ａ）に示されるように）、二枚のパワーネット生地を袋縫いしてなり、図１（ｄ）に示されるように、羽根形状の１対の分岐部分５ａ，５ｂを有するものであり、１対の分岐部分５ａ，５ｂの先端及びその周囲の部分がステッチ縫い５ｉによってヨーク部材６の上（姿勢補整用ロングガードル１を着用したときには内側）に縫付けられており、また図１（ｃ）に示されるように、分岐していない側５ｄの先端が股下マチ布４の前部の上（下着本体の裏側の股部の前部）にステッチ縫い５ｈによって縫付けられている。
【０１２８】
姿勢補整用ロングガードル１における縫付け構造について、図２を参照してさらに詳しく説明する。図２に示されるように、姿勢補整用ロングガードル１を裏返して股下部分を中心に見ると、ロングガードル本体２は後股切り替え線２Ｃにおいて縫付けられており、ヨーク部材６の下端はこの後股切り替え線２Ｃに沿って、１対のステッチ６ｄによってロングガードル本体２に縫付けられているが、ヨーク部材６の下端の後中心６ｃの左右だけは、ロングガードル本体２に縫付けられていない。この理由は、単に縫製がし易いためであり、ヨーク部材６の下端を後中心６ｃの部分も含めて全てロングガードル本体２に縫付けても、作用効果に変わりはない。
【０１２９】
そして、図２に示されるように、羽根部材５は１対の分岐部分５ａ，５ｂの先端及びその周囲の部分がステッチ縫い５ｉによってヨーク部材６のみに縫付けられており、羽根部材５の分岐していない側５ｄの先端５ｅが、ステッチ縫い５ｈによってロングガードル本体２（股下マチ布４の前部）に縫付けられている。
【０１３０】
したがって、羽根部材５は、ステッチ縫い５ｈによって分岐していない側５ｄの先端が股下マチ布４の前部に縫付けられた部分と、ステッチ縫い５ｉによってヨーク部材６に縫付けられた部分との間は縫付けられておらず、フリーの状態になっている。
【０１３１】
１対の分岐部分５ａ，５ｂの内側におけるステッチ縫い５ｉの縫い止まり点は、羽根部材５の分岐点５ｃから約７ｃｍ（６．５ｃｍ〜７．５ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０１３２】
そして、図１（ｄ），図２に示されるように、羽根部材５は、姿勢補整用ロングガードル１を着用したときに、着用者の肛門の位置ＨＣＰが１対の分岐部分５ａ，５ｂの間の分岐点５ｃの近傍（分岐点５ｃから約１．５ｃｍ（１．３ｃｍ〜１．７ｃｍ）離れた点）に位置するように縫付けられている。
【０１３３】
これによって、本実施の形態１にかかる姿勢補整用ロングガードル１を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０１３４】
また、本実施の形態１にかかる姿勢補整用ロングガードル１においては、羽根部材５の１対の分岐部分５ａ，５ｂがヨーク部材６の上に縫付けられており、ヨーク部材６はウエスト周り６ａ、パワーネット生地３ａとの境界線６ｂ、及び下端６ｄのみにおいてロングガードル本体２に縫付けられていて、羽根部材５の１対の分岐部分５ａ，５ｂが縫付けられる部分はロングガードル本体２から離れているため、羽根部材５の１対の分岐部分５ａ，５ｂが姿勢補整用ロングガードル１の表側にひびかず、見栄えが向上するという利点が得られる。
【０１３５】
姿勢補整用ロングガードル１を着用することによる作用効果について、図３及び図４を参照して、さらに詳細に説明する。図３に示されるように、人体ＨＢにおいて肛門ＨＣが引き締められると、臀部ＨＤに左右１対の笑窪様の小さい窪みＨＥが生ずる。これらの小さい窪みＨＥを押えることによって、臀部ＨＤが引き締まって小尻になるとともにヒップアップの効果が得られる。
【０１３６】
図４（ａ）に示されるように、姿勢補整用ロングガードル１を着用した場合には、着用者の肛門ＨＣは羽根部材５の１対の分岐部分５ａ，５ｂの間にあり、着用者の肛門ＨＣは羽根部材５の１対の分岐部分５ａ，５ｂの分岐点５ｃから１．５ｃｍの位置にある。また、羽根部材５の１対の分岐部分５ａ，５ｂをヨーク部材６に縫付けるステッチ縫い５ｉの先端から分岐点５ｃまでの長さは、７ｃｍである。そして、左右１対の笑窪様の小さい窪みＨＥの生ずる位置は、羽根部材５の１対の分岐部分５ａ，５ｂによって覆われている。
【０１３７】
したがって、図４（ａ）に示されるように、羽根部材５には、ステッチ縫い５ｈによって分岐していない側５ｄの先端５ｅが縫付けられた部分とステッチ縫い５ｉによって縫付けられた１対の分岐部分５ａ，５ｂとの間が縫付けられていないため、矢印で示されるように伸縮性による引っ張り力がかかり、着用者の肛門ＨＣが効果的に引き締められる。そして、肛門ＨＣが引き締められると臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０１３８】
また、図４（ｂ）に示される羽根部材５においても、着用者の肛門ＨＣは羽根部材５の１対の分岐部分５ａ，５ｂの間にあり、着用者の肛門ＨＣは羽根部材５の１対の分岐部分５ａ，５ｂの分岐点５ｃから２．０ｃｍの位置にある。また、羽根部材５の１対の分岐部分５ａ，５ｂをヨーク部材６に縫付けるステッチ縫い５ｉの先端から分岐点５ｃまでの長さは、８ｃｍである。そして、左右１対の笑窪様の小さい窪みＨＥの生ずる位置は、羽根部材５の１対の分岐部分５ａ，５ｂによって覆われている。
【０１３９】
したがって、図４（ｂ）に示されるように、羽根部材５には、ステッチ縫い５ｈによって分岐していない側５ｄの先端５ｅが縫付けられた部分とステッチ縫い５ｉによって縫付けられた１対の分岐部分５ａ，５ｂとの間が縫付けられていないため、矢印で示されるように伸縮性による引っ張り力がかかり、着用者の肛門ＨＣが効果的に引き締められる。そして、肛門ＨＣが引き締められると臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０１４０】
これに対して、図４（ｃ）に示される羽根部材５においては、着用者の肛門ＨＣが１対の分岐部分５ａ，５ｂの間になく、羽根部材５の下に位置しているため、着用者の肛門ＨＣを引き締める効果がやや弱くなる。しかし、着用者の肛門ＨＣが分岐点５Ａｃの近傍に位置しているため、効果は多少低下するが、矢印で示されるように伸縮性による引っ張り力がかかり、やはり着用者の肛門ＨＣを引き締める効果が得られ、これによって臀部に左右１対の笑窪様の小さい窪みＨＥが生じ、これらの小さい窪みＨＥが１対の分岐部分５ａ，５ｂによって押えられるため、着用者の臀部が引き締まって小尻になるとともにヒップアップの効果が得られる。
【０１４１】
また、図４（ｄ）に示される羽根部材５Ｂは、本実施の形態１にかかる羽根部材５と形状は異なるものの、やはり伸縮性を有する生地としてのパワーネットからなり、左右１対の分岐部分５Ｂａ，５Ｂｂを有し、それらの間に着用者の肛門ＨＣが位置しており、１対の分岐部分５Ｂａ，５Ｂｂの分岐点５Ｂｃから１．０ｃｍの位置にある。また、羽根部材５Ｂの１対の分岐部分５Ｂａ，５Ｂｂをヨーク部材６に縫付けるステッチ縫い５Ｂｉの先端から分岐点５Ｂｃまでの長さは、５ｃｍである。
【０１４２】
したがって、羽根部材５Ｂを有する姿勢補整用ロングガードルを着用した場合には、着用者の肛門ＨＣが効果的に引き締められる。そして、肛門ＨＣが引き締められると臀部に左右１対の笑窪様の小さい窪みＨＥが生じ、これらの小さい窪みＨＥは羽根部材５Ｂによって直接は押えられないが、ヨーク部材６を介して間接的に押えられるため、着用者の臀部が引き締まって小尻になるとともにヒップアップの効果が得られる。
【０１４３】
その他にも、本実施の形態１にかかる羽根部材５を用いてヨーク部材６を有する姿勢補整用ロングガードルを作製し、着用者の肛門ＨＣが羽根部材５の１対の分岐部分５ａ，５ｂの分岐点５ｃから０．５ｃｍの位置にある場合、３．０ｃｍの位置にある場合について、また羽根部材５の１対の分岐部分５ａ，５ｂをヨーク部材６に縫付けるステッチ縫い５ｉの先端から分岐点５ｃまでの長さが３ｃｍの場合、１０ｃｍの場合について肛門引き締め効果の実験を行った。
【０１４４】
その結果、いずれの場合にも、着用者の肛門ＨＣが効果的に引き締められることが判明した。したがって、着用者の肛門ＨＣが羽根部材５の１対の分岐部分５ａ，５ｂの分岐点５ｃから０．５ｃｍから３．０ｃｍの範囲内にある場合、及び羽根部材５の１対の分岐部分５ａ，５ｂをヨーク部材６に縫付けるステッチ縫い５ｉの先端から分岐点５ｃまでの長さが３ｃｍから１０ｃｍの範囲内にある場合が、肛門引き締め効果について好ましい。
【０１４５】
さらに、着用者の肛門ＨＣが羽根部材５の１対の分岐部分５ａ，５ｂの分岐点５ｃから１．０ｃｍ，１．５ｃｍ，２．０ｃｍの距離にある場合、及び羽根部材５の１対の分岐部分５ａ，５ｂをヨーク部材６に縫付けるステッチ縫い５ｉの先端から分岐点５ｃまでの長さが５ｃｍ，７ｃｍ，８ｃｍの場合に、着用者の肛門ＨＣがより効果的に引き締められることが判明した。
【０１４６】
したがって、着用者の肛門ＨＣが羽根部材５の１対の分岐部分５ａ，５ｂの分岐点５ｃから１．０ｃｍから２．０ｃｍの範囲内にある場合、及び羽根部材５の１対の分岐部分５ａ，５ｂをヨーク部材６に縫付けるステッチ縫い５ｉの先端から分岐点５ｃまでの長さが５ｃｍから８ｃｍの範囲内にある場合が、肛門引き締め効果についてより好ましい。
【０１４７】
次に、本実施の形態１にかかる姿勢補整用ロングガードル１に用いることができる羽根部材の形状のバリエーションについて、図５を参照して説明する。図５（ａ）〜（ｊ）に示されるように、本実施の形態１にかかる姿勢補整用ロングガードル１の羽根部材としては、略Ｙ字形の様々な形状のものを用いることができる。
【０１４８】
図５（ａ）に示される羽根部材５Ｃは、１対の分岐部分５Ｃａ，５Ｃｂの先端が丸みのある形状となっている。これによって、１対の分岐部分５Ｃａ，５Ｃｂの先端及びその周囲の部分をヨーク部材６に縫付けるときに、丸みに沿って曲がりながら一度に縫付けることができるため、縫製を短時間で行うことができる。そして、着用者の肛門の位置ＨＣＰが１対の分岐部分５Ｃａ，５Ｃｂの間の分岐点５Ｃｃの近傍にあり、１対の小さい窪みの位置ＨＤＰが１対の分岐部分５Ｃａ，５Ｃｂで押えられる位置にあるため、着用者の肛門ＨＣを効果的に引き締めることができ、着用者の臀部が引き締まって小尻になるとともにヒップアップの効果も得られる。
【０１４９】
図５（ｂ）に示される羽根部材５Ｄは、１対の分岐部分５Ｄａ，５Ｄｂが小さいため、１対の小さい窪みＨＤを直接押えることはできないが、ヨーク部材６を介して間接的に押えることができる。そして、着用者の肛門の位置ＨＣＰが１対の分岐部分５Ｄａ，５Ｄｂの間の分岐点５Ｄｃの近傍にあるため、着用者の肛門ＨＣを効果的に引き締めることができ、着用者の臀部が引き締まって小尻になるとともにヒップアップの効果も得られる。
【０１５０】
図５（ｃ）に示される羽根部材５Ｅも、１対の分岐部分５Ｅａ，５Ｅｂが小さいため、１対の小さい窪みＨＤを直接押えることはできないが、ヨーク部材６を介して間接的に押えることができる。そして、着用者の肛門の位置ＨＣＰが１対の分岐部分５Ｅａ，５Ｅｂの間の分岐点５Ｅｃの近傍にあるため、着用者の肛門ＨＣを効果的に引き締めることができ、着用者の臀部が引き締まって小尻になるとともにヒップアップの効果も得られる。
【０１５１】
図５（ｄ）に示される羽根部材５Ｆも、１対の分岐部分５Ｆａ，５Ｆｂが小さいため、１対の小さい窪みＨＤを直接押えることはできないが、ヨーク部材６を介して間接的に押えることができる。また、１対の分岐部分５Ｆａ，５Ｆｂの先端が丸みのある形状となっているため、縫製を短時間で行うことができる。そして、着用者の肛門の位置ＨＣＰが１対の分岐部分５Ｆａ，５Ｆｂの間の分岐点５Ｆｃの近傍にあるため、着用者の肛門ＨＣを効果的に引き締めることができ、着用者の臀部が引き締まって小尻になるとともにヒップアップの効果も得られる。
【０１５２】
図５（ｅ）に示される羽根部材５Ｇは、１対の分岐部分５Ｇａ，５Ｇｂが太いが短いため、やはり１対の小さい窪みＨＤを直接押えることはできないが、ヨーク部材６を介して間接的に押えることができる。そして、着用者の肛門の位置ＨＣＰが１対の分岐部分５Ｇａ，５Ｇｂの間の分岐点５Ｇｃの近傍にあるため、着用者の肛門ＨＣを効果的に引き締めることができ、着用者の臀部が引き締まって小尻になるとともにヒップアップの効果も得られる。
【０１５３】
図５（ｆ）に示される羽根部材５Ｈは、１対の分岐部分５Ｈａ，５Ｈｂの長さは長いが縦に伸びた形状をしているため、１対の小さい窪みの位置ＨＤＰを覆っておらず、やはり１対の小さい窪みＨＤを直接押えることはできないが、ヨーク部材６を介して間接的に押えることができる。そして、着用者の肛門の位置ＨＣＰが１対の分岐部分５Ｈａ，５Ｈｂの間の分岐点５Ｈｃの近傍にあるため、着用者の肛門ＨＣを効果的に引き締めることができ、着用者の臀部が引き締まって小尻になるとともにヒップアップの効果も得られる。
【０１５４】
図５（ｇ）に示される羽根部材５Ｊも、１対の分岐部分５Ｊａ，５Ｊｂの長さは長いが横に拡がった形状をしているため、１対の小さい窪みの位置ＨＤＰを覆っておらず、やはり１対の小さい窪みＨＤを直接押えることはできないが、ヨーク部材６を介して間接的に押えることができる。そして、着用者の肛門の位置ＨＣＰが１対の分岐部分５Ｊａ，５Ｊｂの間の分岐点５Ｊｃの近傍にあるため、着用者の肛門ＨＣを効果的に引き締めることができ、着用者の臀部が引き締まって小尻になるとともにヒップアップの効果も得られる。
【０１５５】
図５（ｈ）に示される羽根部材５Ｋは、１対の分岐部分５Ｋａ，５Ｋｂが四角い形状をしているが長さが短いため、やはり１対の小さい窪みＨＤを直接押えることはできないが、ヨーク部材６を介して間接的に押えることができる。そして、着用者の肛門の位置ＨＣＰが１対の分岐部分５Ｋａ，５Ｋｂの間の分岐点５Ｋｃの近傍にあるため、着用者の肛門ＨＣを効果的に引き締めることができ、着用者の臀部が引き締まって小尻になるとともにヒップアップの効果も得られる。
【０１５６】
図５（ｉ）に示される羽根部材５Ｌは、１対の分岐部分５Ｌａ，５Ｌｂがさらにそれぞれ部分５Ｌａ１，５Ｌａ２と部分５Ｌｂ１，５Ｌｂ２の二つに分岐しているが、肛門ＨＣを引き締める効果に変わりはない。また、やはり１対の小さい窪みＨＤを直接押えることはできないが、ヨーク部材６を介して間接的に押えることができる。そして、着用者の肛門の位置ＨＣＰが１対の分岐部分５Ｌａ，５Ｌｂの間の分岐点５Ｌｃの近傍にあるため、着用者の肛門ＨＣを効果的に引き締めることができ、着用者の臀部が引き締まって小尻になるとともにヒップアップの効果も得られる。
【０１５７】
図５（ｊ）に示される羽根部材５Ｍは、１対の分岐部分５Ｍａ，５Ｍｂがさらにそれぞれ部分５Ｍａ１，５Ｍａ２，５Ｍａ３と部分５Ｍｂ１，５Ｍｂ２，５Ｍｂ３の三つに分岐しているが、肛門ＨＣを引き締める効果に変わりはない。また、やはり１対の小さい窪みＨＤを直接押えることはできないが、ヨーク部材６を介して間接的に押えることができる。そして、着用者の肛門の位置ＨＣＰが１対の分岐部分５Ｍａ，５Ｍｂの間の分岐点５Ｍｃの近傍にあるため、着用者の肛門ＨＣを効果的に引き締めることができ、着用者の臀部が引き締まって小尻になるとともにヒップアップの効果も得られる。
【０１５８】
なお、これらの図４及び図５（ａ）〜（ｊ）に示される羽根部材５，５Ｂ，５Ｃ，５Ｄ，５Ｅ，５Ｆ，５Ｇ，５Ｈ，５Ｊ，５Ｋ，５Ｌ，５Ｍの形状は例示に過ぎず、本実施の形態１にかかる姿勢補整用ロングガードル１の羽根部材としては、一対の分岐部分を有する略Ｙ字形のものであれば、これら以外にも様々な形状のものを用いることができる。
【０１５９】
次に、本実施の形態１にかかる姿勢補整用ロングガードル１の羽根部材の縫製の方法について、図６を参照して説明する。図６（ａ）に示されるように、本実施の形態１にかかる姿勢補整用ロングガードル１に用いられる羽根部材５は、二枚のパワーネット生地をいわゆる袋縫いすることによって縫製されている。
【０１６０】
即ち、図６（ａ）に示される同じ形状の二枚のパワーネット生地を切り出し、重ねて生地の縁に沿って１対の分岐部分５ａ，５ｂの裏側、分岐点５ｃの裏側、分岐していない側５ｄの裏側をステッチ縫い（ミシン縫い）５ｆで縫い合わせる。そして、縫い合わされていない分岐していない側の端５ｅから手を入れてひっくり返すことによって、図６（ａ）に示されるように、ステッチ縫い（ミシン縫い）５ｆの縫い目が表側に出ない袋縫いによる二枚のパワーネット生地からなる強い伸縮性を有する羽根部材５が完成する。
【０１６１】
図６（ｂ）に示される羽根部材５Ｎは、形状は羽根部材５と同様であるが、一枚のパワーネット生地を図６（ｂ）に示される形状に切り出して、１対の分岐部分５Ｎａ，５Ｎｂ、分岐点５Ｎｃ、分岐していない側５Ｎｄにおいて生地の縁をジグザグ縫い５Ｎｆで裁ち目かがりしたものである。このように一枚のパワーネット生地からなる羽根部材５Ｎであっても、十分な肛門の引き締め効果が得られる。
【０１６２】
なお、裁ち目かがりの方法としては、ジグザグ縫い５Ｎｆに限られず、ロック縫い等によっても良い。また、同じ形状の二枚のパワーネット生地を重ねて、縁をジグザグ縫い５Ｎｆで縫付けることによって、二枚のパワーネット生地からなる羽根部材を縫製することもできる。さらに、同じ形状の三枚以上のパワーネット生地を重ねて、縁をジグザグ縫い５Ｎｆで縫付けることによって、三枚以上のパワーネット生地からなる羽根部材を縫製することも可能である。これによって、より強力な肛門の引き締め効果を得ることができる。
【０１６３】
図６（ｃ）に示される羽根部材５Ｐは、全体の形状は羽根部材５と同様であるが、中心線で分割された二つの部分を中心接ぎ縫い５Ｐｇで接いでなるものである。即ち、図６（ｃ）に示される形状を中心接ぎ縫い５Ｐｇの部分で左右対称に分割した形状のパワーネット生地をそれぞれ二枚ずつ切り出して、１対の分岐部分５Ｐａ，５Ｐｂ、分岐点５Ｐｃ、分岐していない側５Ｐｄの外側の裏側をステッチ縫い（ミシン縫い）５Ｐｆで縫い合わせる。そして、縫い合わされていない分岐していない側５Ｐｄの内側から手を入れてひっくり返すことによってできた袋縫いの左右対称の部分を、図６（ｃ）に示されるように、中心接ぎ縫い５Ｐｇで縫い合わせることによって、羽根部材５Ｐが完成する。
【０１６４】
この縫製方法は、中心接ぎ縫い５Ｐｇを行わなければならないため工数は掛かるが、ステッチ縫い（ミシン縫い）５Ｐｆが容易で、ひっくり返す作業も行い易く、さらに伸縮性のない生地からなるヨーク部材の下に取付ける際には、まず分離した状態で縫付けておいて、ヨーク部材を縫付けた後に中心接ぎ縫い５Ｐｇで縫い合わせることによって、より容易に伸縮性のない生地の下に縫付けることができるという利点がある。
【０１６５】
次に、本実施の形態１の第１変形例にかかる姿勢補整用ロングガードルについて、図７及び図８を参照して説明する。なお、本実施の形態１の第１変形例にかかる姿勢補整用ロングガードルの構成は、一部を除いて上記実施の形態１にかかる姿勢補整用ロングガードル１と同様であるため、同一部分には図１及び図２と同一の符号を付して、一部説明を省略する。
【０１６６】
図７（ａ）に示されるように、本実施の形態１の第１変形例にかかる姿勢補整用下着としての姿勢補整用ロングガードル１１は、伸縮性を有する生地としてのパワーネットからなる下着本体としてのロングガードル本体２を中心に構成されており、ロングガードル本体２は脚部２Ａ，２Ｂを有する。また、図１（ｂ）に示されるように、ロングガードル本体２の背面は後中心ＢＣにおいて縫付けられ、脚部２Ａ，２Ｂは後股切り替え線２Ｃにおいて縫付けられている。
【０１６７】
そして、図７（ｃ），（ｄ）に示されるように、姿勢補整用ロングガードル１１を裏返すと、ロングガードル本体２の裏側には伸縮性を有する生地としてのパワーネットからなるヨーク部材６が縫付けられており、そのヨーク部材６の下と股下マチ布４の上とに伸縮性を有する生地としてのパワーネットからなる羽根部材５が縫付けられている。
【０１６８】
したがって、ロングガードル本体２は、本発明における「着用者の股下に当接する股部を有する下着本体」に相当する。また、本実施の形態１の第１変形例にかかる姿勢補整用ロングガードル１１は、「下着本体と、下着本体の裏側に縫付けられたヨーク部材と、略Ｙ字形の伸縮性を有する生地からなる羽根部材とを具備する姿勢補整用下着」に相当し、下着本体２及びヨーク部材６が伸縮性を有する生地からなるものである。
【０１６９】
この点については、上記実施の形態１にかかる姿勢補整用ロングガードル１と同様である。異なるのは、羽根部材５の１対の分岐部分５ａ，５ｂが、ヨーク部材６の上（内側）でなく下（外側、即ちロングガードル本体２と接する側）に縫付けられている点である。
【０１７０】
即ち、図７（ｄ）及び図８に示されるように、前述したように二枚のパワーネット生地を袋縫いしてなる羽根部材５は、１対の分岐部分５ａ，５ｂの先端及びその周囲の部分がステッチ縫い５ｉによってヨーク部材６の下（姿勢補整用ロングガードル１１を着用したときには外側）のみに縫付けられており、羽根部材５の分岐していない側５ｄの先端５ｅが、ステッチ縫い５ｈによってロングガードル本体２（股下マチ布４の前部）に縫付けられている。
【０１７１】
したがって、羽根部材５は、ステッチ縫い５ｈによって分岐していない側５ｄの先端が股下マチ布４の前部に縫付けられた部分と、ステッチ縫い５ｉによってヨーク部材６の下に縫付けられた部分との間は縫付けられておらず、フリーの状態になっている。
【０１７２】
１対の分岐部分５ａ，５ｂの内側におけるステッチ縫い５ｉの縫い止まり点は、羽根部材５の分岐点５ｃから約７ｃｍ（６．５ｃｍ〜７．５ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０１７３】
そして、図７（ｄ），図８に示されるように、羽根部材５は、姿勢補整用ロングガードル１１を着用したときに、着用者の肛門の位置ＨＣＰが１対の分岐部分５ａ，５ｂの間の分岐点５ｃの近傍（分岐点５ｃから約１．５ｃｍ（１．３ｃｍ〜１．７ｃｍ）離れた位置）にくるように縫付けられている。
【０１７４】
これによって、本実施の形態１の第１変形例にかかる姿勢補整用ロングガードル１１を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５の１対の分岐部分５ａ，５ｂによって押えられるため、着用者の臀部が引き締まって小尻になるとともにヒップアップの効果が得られる。
【０１７５】
さらに、本実施の形態１の第１変形例にかかる姿勢補整用ロングガードル１１においては、羽根部材５の１対の分岐部分５ａ，５ｂがヨーク部材６の下に縫付けられているため、着用するときに羽根部材５の１対の分岐部分５ａ，５ｂがヨーク部材６を介して着用者に当接するので、穿き心地が向上するという利点が得られる。
【０１７６】
なお、本実施の形態１の第１変形例にかかる姿勢補整用ロングガードル１１においては、羽根部材５を用いた例について説明したが、羽根部材としては羽根部材５に限られず、先に説明した羽根部材５Ｂ，５Ｃ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０１７７】
また、羽根部材５Ｂ，５Ｃ，５Ｄ，５Ｅ，５Ｆ，５Ｇ，５Ｈ，５Ｊ，５Ｋ，５Ｌ，５Ｍについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０１７８】
次に、本実施の形態１の第２変形例にかかる姿勢補整用ロングガードルについて、図９及び図１０を参照して説明する。なお、本実施の形態１の第２変形例にかかる姿勢補整用ロングガードルの構成は、一部を除いて上記実施の形態１にかかる姿勢補整用ロングガードル１と同様であるため、同一部分には図１及び図２と同一の符号を付して、一部説明を省略する。
【０１７９】
図９（ａ）に示されるように、本実施の形態１の第２変形例にかかる姿勢補整用下着としての姿勢補整用ロングガードル１３は、伸縮性を有する生地としてのパワーネットからなる下着本体としてのロングガードル本体２を中心に構成されており、ロングガードル本体２は脚部２Ａ，２Ｂを有する。また、図９（ｂ）に示されるように、ロングガードル本体２の背面は後中心ＢＣにおいて縫付けられ、脚部２Ａ，２Ｂは後股切り替え線２Ｃにおいて縫付けられている。
【０１８０】
そして、図９（ｃ），（ｄ）に示されるように、姿勢補整用ロングガードル１３を裏返すと、ガードル本体２の裏側には伸縮性を有する生地としてのパワーネットからなる羽根部材５が、上記実施の形態１にかかる姿勢補整用ロングガードル１及び上記実施の形態１の第１変形例にかかる姿勢補整用ロングガードル１１とは異なり、ヨーク部材６を介さずにロングガードル本体２に直接縫付けられている。
【０１８１】
したがって、ロングガードル本体２は、本発明における「着用者の股下に当接する股部を有する下着本体」に相当する。また、本実施の形態１の第２変形例にかかる姿勢補整用ロングガードル１３は、「下着本体と、１対の分岐部分を有する略Ｙ字形の伸縮性を有する生地からなる羽根部材とを具備する姿勢補整用下着」に相当し、下着本体２が伸縮性を有する生地からなるものである。
【０１８２】
即ち、図９（ｄ）及び図１０に示されるように、前述したように二枚のパワーネット生地を袋縫いしてなる羽根部材５は、１対の分岐部分５ａ，５ｂの先端及びその周囲の部分がステッチ縫い５ｉによってロングガードル本体２の臀部裏側に直接縫付けられており、羽根部材５の分岐していない側５ｄの先端５ｅが、ステッチ縫い５ｈによってロングガードル本体２の裏側（股下マチ布４の前部）に縫付けられている。
【０１８３】
したがって、羽根部材５は、ステッチ縫い５ｈによって分岐していない側５ｄの先端が股下マチ布４の前部に縫付けられた部分と、ステッチ縫い５ｉによってロングガードル本体２の臀部裏側に縫付けられた部分との間は縫付けられておらず、フリーの状態になっている。
【０１８４】
１対の分岐部分５ａ，５ｂの内側におけるステッチ縫い５ｉの縫い止まり点は、羽根部材５の分岐点５ｃから約７ｃｍ（６．５ｃｍ〜７．５ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０１８５】
そして、図９（ｄ），図１０に示されるように、羽根部材５は、姿勢補整用ロングガードル１３を着用したときに、着用者の肛門の位置ＨＣＰが１対の分岐部分５ａ，５ｂの間の分岐点５ｃの近傍（分岐点５ｃから約１．５ｃｍ（１．３ｃｍ〜１．７ｃｍ）離れた位置）にくるように縫付けられている。
【０１８６】
これによって、本実施の形態１の第２変形例にかかる姿勢補整用ロングガードル１３を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５の１対の分岐部分５ａ，５ｂによって押えられるため、着用者の臀部が引き締まって小尻になるとともにヒップアップの効果が得られる。
【０１８７】
さらに、本実施の形態１の第２変形例にかかる姿勢補整用ロングガードル１３においては、ヨーク部材６を用いていないため、製造工程が短縮され、より低コストで製造できるという利点が得られる。
【０１８８】
なお、本実施の形態１の第２変形例にかかる姿勢補整用ロングガードル１３においては、羽根部材５を用いた例について説明したが、羽根部材としては羽根部材５に限られず、先に説明した羽根部材５Ｂ，５Ｃ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０１８９】
また、羽根部材５Ｂ，５Ｃ，５Ｄ，５Ｅ，５Ｆ，５Ｇ，５Ｈ，５Ｊ，５Ｋ，５Ｌ，５Ｍについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０１９０】
以上説明したように、本実施の形態１にかかる姿勢補整用ロングガードル１，１１，１３においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０１９１】
なお、本実施の形態１においては、伸縮性を有する生地としてパワーネットを使用した場合について説明したが、サテンネット（ストレッチサテン）、ストレッチレースを始めとして他の伸縮性を有する生地を用いても良い。また、ガードル本体２と羽根部材５とヨーク部材６とをそれぞれ異なる種類の伸縮性を有する生地から作製しても良い。
【０１９２】
また、本実施の形態１においては、ヨーク部材６が姿勢補整用ロングガードル１，１１のロングガードル本体２の裏側の脚部２Ａ，２Ｂを除く背面全体から両脇部を巻いて前面の前中心切替布３ａの脇まで覆っている例について説明したが、ヨーク部材６はロングガードル本体２の裏側の少なくとも臀部を覆うものであれば良く、ロングガードル本体２の裏側の脚部２Ａ，２Ｂを除く背面全体のみを覆うものでも、ロングガードル本体２の裏側の臀部のみ、または臀部及びその周辺を覆うものでも構わない。
【０１９３】
実施の形態２
次に、本発明の実施の形態２にかかる姿勢補整用下着としての姿勢補整用ショートガードルについて、図１１を参照して説明する。
【０１９４】
図１１（ａ）は本発明の実施の形態２にかかる姿勢補整用下着としての姿勢補整用ショートガードルの全体構成を示す正面図、（ｂ）は背面図、（ｃ）は本発明の実施の形態２にかかる姿勢補整用ショートガードルを裏返した場合の全体構成を示す正面図、（ｄ）は背面図である。
【０１９５】
図１１（ａ）に示されるように、本実施の形態２にかかる姿勢補整用下着としての姿勢補整用ショートガードル１５は、伸縮性を有する生地としてのパワーネットからなる下着本体としてのショートガードル本体１６を中心に構成されており、ショートガードル本体１６は、ロングガードル本体のような脚部を有していない。ショートガードル本体１６の股部には股下マチ布１７が縫付けられており、図１１（ｂ）に示されるように、ショートガードル本体１６の背面は後中心ＢＣにおいて縫付けられている。
【０１９６】
そして、図１１（ｃ），（ｄ）に示されるように、姿勢補整用ショートガードル１５を裏返すと、ショートガードル本体１６の裏側には伸縮性を有する生地としてのパワーネットからなるヨーク部材１８が縫付けられており、そのヨーク部材１８の下（外側）と股下マチ布１７の上（裏側）とに伸縮性を有する生地としてのパワーネットからなる羽根部材５Ｃが縫付けられている。
【０１９７】
したがって、ショートガードル本体１６は、本発明における「着用者の股下に当接する股部を有する下着本体」に相当する。また、本実施の形態２にかかる姿勢補整用ショートガードル１５は、「下着本体と、下着本体の裏側に縫付けられたヨーク部材と、略Ｙ字形の伸縮性を有する生地からなる羽根部材とを具備する姿勢補整用下着」に相当し、下着本体１６及びヨーク部材１８が伸縮性を有する生地からなるものである。
【０１９８】
また、羽根部材５Ｃは羽根部材５と同様に二枚のパワーネット生地を袋縫いしてなるものであり、１対の分岐部分５Ｃａ，５Ｃｂの先端及びその周囲の部分がステッチ縫い５Ｃｉによってヨーク部材１８の下（姿勢補整用ショートガードル１５を着用したときには外側）のみに縫付けられており、羽根部材５Ｃの分岐していない側５Ｃｄの先端５Ｃｅが、ステッチ縫い５Ｃｈによってショートガードル本体１６（股下マチ布１７の前部）に縫付けられている。
【０１９９】
したがって、羽根部材５Ｃは、ステッチ縫い５Ｃｈによって分岐していない側５Ｃｄの先端５Ｃｅが股下マチ布１７の前部に縫付けられた部分と、ステッチ縫い５Ｃｉによってヨーク部材１８の下に縫付けられた部分との間は縫付けられておらず、フリーの状態になっている。
【０２００】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２０１】
そして、図１１（ｄ）に示されるように、羽根部材５Ｃは、姿勢補整用ショートガードル１５を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２０２】
これによって、本実施の形態２にかかる姿勢補整用ショートガードル１５を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２０３】
さらに、本実施の形態２にかかる姿勢補整用ショートガードル１５においては、羽根部材５Ｃの１対の分岐部分５Ｃａ，５Ｃｂがヨーク部材１８の下に縫付けられているため、着用するときに羽根部材５Ｃの１対の分岐部分５Ｃａ，５Ｃｂがヨーク部材１８を介して着用者に当接するので、穿き心地が向上するという利点が得られる。
【０２０４】
このようにして、本実施の形態２にかかる姿勢補整用ショートガードル１５においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０２０５】
なお、本実施の形態２にかかる姿勢補整用ショートガードル１５においては、羽根部材５Ｃの１対の分岐部分５Ｃａ，５Ｃｂがヨーク部材１８の下に縫付けられた場合のみについて説明したが、上記実施の形態１の姿勢補整用ロングガードル１のように、羽根部材５Ｃの１対の分岐部分５Ｃａ，５Ｃｂをヨーク部材１８の上に縫付けることもできる。これによって、羽根部材５Ｃの１対の分岐部分５Ｃａ，５Ｃｂが姿勢補整用ショートガードルの表側にひびかず、見栄えが向上するという利点が得られる。
【０２０６】
また、上記実施の形態１の第２変形例の姿勢補整用ロングガードル１３のように、ヨーク部材１８を用いず、羽根部材５Ｃの１対の分岐部分５Ｃａ，５Ｃｂをショートガードル本体１６の臀部の裏側に直接縫付けることもできる。これによって、製造工程が短縮され、より低コストで製造できるという利点が得られる。
【０２０７】
さらに、本実施の形態２においては、伸縮性を有する生地としてパワーネットを使用した場合について説明したが、サテンネット（ストレッチサテン）、ストレッチレースを始めとして他の伸縮性を有する生地を用いても良い。また、ショートガードル本体１６と羽根部材５Ｃとヨーク部材１８とをそれぞれ異なる種類の伸縮性を有する生地から作製しても良い。
【０２０８】
また、本実施の形態２においては、ヨーク部材１８が姿勢補整用ショートガードル１５のショートガードル本体１６の裏側の背面のほぼ全体を覆っている例について説明したが、ヨーク部材１８はショートガードル本体１６の裏側の少なくとも臀部を覆うものであれば良く、ショートガードル本体１６の裏側の背面全体からさらに両脇部を巻いて前面の一部まで覆うものでも、ショートガードル本体１６の裏側の臀部のみ、または臀部及びその周辺を覆うものでも構わない。
【０２０９】
実施の形態３
次に、本発明の実施の形態３にかかる姿勢補整用下着としての姿勢補整用ショーツガードルについて、図１２を参照して説明する。ここで、「ショーツガードル」とは、ショーツにガードルとしての機能を併せ持たせたものであり、上記実施の形態１，２のロングガードル１，１１，１３、ショートガードル１５とは異なり、素肌の上に直に着用するものであるため、肌触りの良い伸縮性を有する生地が用いられる。
【０２１０】
図１２（ａ）は本発明の実施の形態３にかかる姿勢補整用下着としての姿勢補整用ショーツガードルの全体構成を示す正面図、（ｂ）は背面図、（ｃ）は本発明の実施の形態３にかかる姿勢補整用ショーツガードルを裏返した場合の全体構成を示す正面図、（ｄ）は背面図である。
【０２１１】
図１２（ａ），（ｂ）に示されるように、本実施の形態３にかかる姿勢補整用下着としての姿勢補整用ショーツガードル２０は、伸縮性を有する生地としての肌触りの良いパワーネットからなる下着本体としてのショーツガードル本体２１を中心に構成されている。ショーツガードル本体２１は、両脇部において前面と背面が縫い合わされており、さらにショーツガードル本体２１の股部には股下マチ布２２が縫付けられている。また、ショーツガードル本体２１の腰周り及び脚部付け根周りには、ゴム生地からなる縁どり２３が縫付けられている。
【０２１２】
そして、図１２（ｄ）に示されるように、姿勢補整用ショーツガードル２０を裏返すと、ショーツガードル本体２１の裏側背面には伸縮性を有する生地としてのパワーネットからなるヨーク部材２４が縫付けられており、そのヨーク部材２４の下（外側）と股下マチ布２２の上（裏側）とに伸縮性を有する生地としてのパワーネットからなる羽根部材５Ｃが縫付けられている。
【０２１３】
したがって、ショーツガードル本体２１は、本発明における「着用者の股下に当接する股部を有する下着本体」に相当する。また、本実施の形態３にかかる姿勢補整用ショーツガードル２０は、「下着本体と、下着本体の裏側に縫付けられたヨーク部材と、略Ｙ字形の伸縮性を有する生地からなる羽根部材とを具備する姿勢補整用下着」に相当し、下着本体２１及びヨーク部材２４が伸縮性を有する生地からなるものである。
【０２１４】
また、羽根部材５Ｃは羽根部材５と同様に二枚のパワーネット生地を袋縫いしてなるものであり、１対の分岐部分５Ｃａ，５Ｃｂの先端及びその周囲の部分がステッチ縫い５Ｃｉによってヨーク部材２４の下（姿勢補整用ショーツガードル２０を着用したときには外側）のみに縫付けられており、羽根部材５Ｃの分岐していない側５Ｃｄの先端５Ｃｅが、ステッチ縫い５Ｃｈによってショーツガードル本体２１の裏側（股下マチ布２２の前部）に縫付けられている。
【０２１５】
したがって、羽根部材５Ｃは、ステッチ縫い５Ｃｈによって分岐していない側５Ｃｄの先端５Ｃｅが股下マチ布２２の前部に縫付けられた部分と、ステッチ縫い５Ｃｉによってヨーク部材２４の下に縫付けられた部分との間は縫付けられておらず、フリーの状態になっている。
【０２１６】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２１７】
そして、図１２（ｄ）に示されるように、羽根部材５Ｃは、姿勢補整用ショーツガードル２０を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２１８】
これによって、本実施の形態３にかかる姿勢補整用ショーツガードル２０を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２１９】
さらに、本実施の形態３にかかる姿勢補整用ショーツガードル２０においては、羽根部材５Ｃの１対の分岐部分５Ｃａ，５Ｃｂがヨーク部材２４の下に縫付けられているため、着用するときに羽根部材５Ｃの１対の分岐部分５Ｃａ，５Ｃｂがヨーク部材２４を介して着用者に当接するので、穿き心地が向上するという利点が得られる。
【０２２０】
このようにして、本実施の形態３にかかる姿勢補整用ショーツガードル２０においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０２２１】
なお、本実施の形態３にかかる姿勢補整用ショーツガードル２０においては、羽根部材５Ｃの１対の分岐部分５Ｃａ，５Ｃｂがヨーク部材２４の下に縫付けられた場合のみについて説明したが、上記実施の形態１の姿勢補整用ロングガードル１のように、羽根部材５Ｃの１対の分岐部分５Ｃａ，５Ｃｂをヨーク部材２４の上に縫付けることもできる。これによって、羽根部材５Ｃの１対の分岐部分５Ｃａ，５Ｃｂが姿勢補整用ショーツガードルの表側にひびかず、見栄えが向上するという利点が得られる。
【０２２２】
また、上記実施の形態１の第２変形例の姿勢補整用ロングガードル１３のように、ヨーク部材２４を用いず、羽根部材５Ｃの１対の分岐部分５Ｃａ，５Ｃｂをショーツガードル本体２１の臀部の裏側に直接縫付けることもできる。これによって、製造工程が短縮され、より低コストで製造できるという利点が得られる。
【０２２３】
さらに、本実施の形態３においては、ヨーク部材２４が姿勢補整用ショーツガードル２０のショーツガードル本体２１の裏側の背面のほぼ全体を覆っている例について説明したが、ヨーク部材２４はショーツガードル本体２１の裏側の少なくとも臀部を覆うものであれば良く、ショーツガードル本体２１の裏側の背面全体からさらに両脇部を巻いて前面の一部まで覆うものでも、ショーツガードル本体２１の裏側の臀部のみ、または臀部及びその周辺を覆うものでも構わない。
【０２２４】
実施の形態４
次に、本発明の実施の形態４にかかる姿勢補整用下着としての姿勢補整用ショーツについて、図１３及び図１４を参照して説明する。ショーツは、上記実施の形態１，２のロングガードル１，１１，１３、ショートガードル１５とは異なり、素肌の上に直に着用するものであるため、肌触りの良い生地が用いられる。
【０２２５】
図１３（ａ）は本発明の実施の形態４にかかる姿勢補整用下着としての姿勢補整用ショーツの全体構成を示す正面図、（ｂ）は背面図、（ｃ）は本発明の実施の形態４にかかる姿勢補整用ショーツを裏返した場合の全体構成を示す正面図、（ｄ）は背面図、（ｅ）は本発明の実施の形態４の第１変形例にかかる姿勢補整用ショーツを裏返した場合の全体構成を示す背面図、（ｆ）は本発明の実施の形態４の第２変形例にかかる姿勢補整用ショーツを裏返した場合の全体構成を示す背面図である。図１４（ａ）は本発明の実施の形態４の第３変形例にかかる姿勢補整用下着としての姿勢補整用ショーツの全体構成を示す正面図、（ｂ）は背面図、（ｃ）は本発明の実施の形態４の第３変形例にかかる姿勢補整用ショーツを裏返した場合の全体構成を示す正面図、（ｄ）は背面図である。
【０２２６】
図１３（ａ），（ｂ）に示されるように、本実施の形態４にかかる姿勢補整用下着としての姿勢補整用ショーツ２５は、伸縮性を有しない生地としての肌触りの良いポリエステル生地からなる下着本体としてのショーツ本体２６を中心に構成されている。ショーツ本体２６は後中心ＢＣにおいて縫い合わされており、さらにショーツ本体２６の股部には股下マチ布２７が縫付けられている。
【０２２７】
そして、図１３（ｄ）に示されるように、姿勢補整用ショーツ２５を裏返すと、ショーツ本体２１の臀部裏側には、伸縮性を有する生地としてのパワーネットからなる羽根部材５Ｃが直接縫付けられている。
【０２２８】
したがって、ショーツ本体２６は、本発明における「着用者の股下に当接する股部を有する下着本体」に相当する。また、本実施の形態４にかかる姿勢補整用ショーツ２５は、「下着本体と、略Ｙ字形の伸縮性を有する生地からなる羽根部材とを具備する姿勢補整用下着」に相当し、下着本体２６は伸縮性を有しない生地からなるものである。
【０２２９】
また、羽根部材５Ｃは羽根部材５と同様に二枚のパワーネット生地を袋縫いしてなるものであり、１対の分岐部分５Ｃａ，５Ｃｂの先端及びその周囲の部分がステッチ縫い５Ｃｉによって、ショーツ本体２１の臀部裏側に直接縫付けられており、羽根部材５Ｃの分岐していない側５Ｃｄの先端５Ｃｅが、ステッチ縫い５Ｃｈによってショーツ本体２６の裏側（股下マチ布２７の前部）に縫付けられている。
【０２３０】
したがって、羽根部材５Ｃは、ステッチ縫い５Ｃｈによって分岐していない側５Ｃｄの先端５Ｃｅが股下マチ布２７の前部に縫付けられた部分と、ステッチ縫い５Ｃｉによってショーツ本体２１の臀部裏側に直接縫付けられた部分との間は縫付けられておらず、フリーの状態になっている。
【０２３１】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２３２】
そして、図１３（ｄ）に示されるように、羽根部材５Ｃは、姿勢補整用ショーツ２５を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２３３】
これによって、本実施の形態４にかかる姿勢補整用ショーツ２５を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２３４】
このようにして、本実施の形態４にかかる姿勢補整用ショーツ２５においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０２３５】
次に、本実施の形態４の第１変形例にかかる姿勢補整用ショーツ２５Ａについて、図１３（ｅ）を参照して説明する。図１３（ｅ）に示されるように、姿勢補整用ショーツ２５Ａを裏返すと、ショーツ本体２６の裏側背面には伸縮性を有する生地としてのパワーネットからなるヨーク部材２８が縫付けられており、そのヨーク部材２８の下（外側）と股下マチ布２７の上（裏側）とに伸縮性を有する生地としてのパワーネットからなる羽根部材５Ｃが縫付けられている。
【０２３６】
したがって、本実施の形態４の第１変形例にかかる姿勢補整用ショーツ２５Ａは、「下着本体と、下着本体の裏側に縫付けられたヨーク部材と、略Ｙ字形の伸縮性を有する生地からなる羽根部材とを具備する姿勢補整用下着」に相当し、ヨーク部材２８が伸縮性を有する生地からなるものである。
【０２３７】
したがって、羽根部材５Ｃは、ステッチ縫い５Ｃｈによって分岐していない側５Ｃｄの先端５Ｃｅが股下マチ布２７の前部に縫付けられた部分と、ステッチ縫い５Ｃｉによってヨーク部材２８の下側に縫付けられた部分との間は縫付けられておらず、フリーの状態になっている。
【０２３８】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２３９】
そして、図１３（ｅ）に示されるように、羽根部材５Ｃは、姿勢補整用ショーツ２５Ａを着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２４０】
これによって、本実施の形態４の第１変形例にかかる姿勢補整用ショーツ２５Ａを着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２４１】
このようにして、本実施の形態４の第１変形例にかかる姿勢補整用ショーツ２５Ａにおいては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０２４２】
さらに、本実施の形態４の第１変形例にかかる姿勢補整用ショーツ２５Ａにおいては、羽根部材５Ｃの１対の分岐部分５Ｃａ，５Ｃｂがヨーク部材２８の下に縫付けられているため、着用するときに羽根部材５Ｃの１対の分岐部分５Ｃａ，５Ｃｂがヨーク部材２８を介して着用者に当接するので、穿き心地が向上するという利点が得られる。
【０２４３】
次に、本実施の形態４の第２変形例にかかる姿勢補整用ショーツ２５Ｂについて、図１３（ｆ）を参照して説明する。図１３（ｆ）に示されるように、姿勢補整用ショーツ２５Ｂを裏返すと、ショーツ本体２６の裏側背面には伸縮性を有する生地としてのパワーネットからなるヨーク部材２８が縫付けられており、そのヨーク部材２８の上（内側）と股下マチ布２７の上（裏側）とに伸縮性を有する生地としてのパワーネットからなる羽根部材５Ｃが縫付けられている。
【０２４４】
したがって、本実施の形態４の第２変形例にかかる姿勢補整用ショーツ２５Ｂは、「下着本体と、下着本体の裏側に縫付けられたヨーク部材と、略Ｙ字形の伸縮性を有する生地からなる羽根部材とを具備する姿勢補整用下着」に相当し、ヨーク部材２８が伸縮性を有する生地からなるものである。この点については、上記第１変形例にかかる姿勢補整用ショーツ２５Ａと同様である。異なるのは、羽根部材５Ｃがヨーク部材２８の上に縫付けられている点である。
【０２４５】
このように、羽根部材５Ｃは、ステッチ縫い５Ｃｈによって分岐していない側５Ｃｄの先端５Ｃｅが股下マチ布２７の前部に縫付けられた部分と、ステッチ縫い５Ｃｉによってヨーク部材２８の上側に縫付けられた部分との間は縫付けられておらず、フリーの状態になっている。
【０２４６】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２４７】
そして、図１３（ｆ）に示されるように、羽根部材５Ｃは、姿勢補整用ショーツ２５Ｂを着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２４８】
これによって、本実施の形態４の第２変形例にかかる姿勢補整用ショーツ２５Ｂを着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２４９】
このようにして、本実施の形態４の第２変形例にかかる姿勢補整用ショーツ２５Ｂにおいては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０２５０】
なお、本実施の形態４の第２変形例にかかる姿勢補整用ショーツ２５Ｂにおいては、羽根部材５Ｃの１対の分岐部分５Ｃａ，５Ｃｂがヨーク部材２４の上に縫付けられている。これによって、羽根部材５Ｃの１対の分岐部分５Ｃａ，５Ｃｂが姿勢補整用ショーツの表側にひびかず、見栄えが向上するという利点が得られる。
【０２５１】
次に、本実施の形態４の第３変形例にかかる姿勢補整用ショーツについて、図１４を参照して説明する。
【０２５２】
図１４（ａ），（ｂ）に示されるように、本実施の形態４の第３変形例にかかる姿勢補整用下着としての姿勢補整用ショーツ３０は、伸縮性を有する生地としての肌触りの良いナイロン５５％、綿３０％、ポリウレタン１５％のポリウレタン混合生地からなる下着本体としてのショーツ本体３１を中心に構成されている。ショーツ本体３１は両脇部において縫い合わされており、さらにショーツ本体３１の股部には股下マチ布３２が縫付けられている。
【０２５３】
そして、図１４（ｄ）に示されるように、姿勢補整用ショーツ３０を裏返すと、ショーツ本体３１の裏側背面には伸縮性を有する生地としてのパワーネットからなるヨーク部材３３が縫付けられており、そのヨーク部材３３の下（外側）と股下マチ布３２の上（裏側）とに伸縮性を有する生地としてのパワーネットからなる羽根部材５Ｃが縫付けられている。
【０２５４】
したがって、ショーツ本体３１は、本発明における「着用者の股下に当接する股部を有する下着本体」に相当する。また、本実施の形態４の第３変形例にかかる姿勢補整用ショーツ３０は、「下着本体と、下着本体の裏側に縫付けられたヨーク部材と、略Ｙ字形の伸縮性を有する生地からなる羽根部材とを具備する姿勢補整用下着」に相当し、下着本体３１及びヨーク部材３３が伸縮性を有する生地からなるものである。
【０２５５】
また、羽根部材５Ｃは羽根部材５と同様に二枚のパワーネット生地を袋縫いしてなるものであり、１対の分岐部分５Ｃａ，５Ｃｂの先端及びその周囲の部分がステッチ縫い５Ｃｉによってヨーク部材３３の下（姿勢補整用ショーツ３０を着用したときには外側）のみに縫付けられており、羽根部材５Ｃの分岐していない側５Ｃｄの先端５Ｃｅが、ステッチ縫い５Ｃｈによってショーツ本体３１の裏側（股下マチ布３２の前部）に縫付けられている。
【０２５６】
したがって、羽根部材５Ｃは、ステッチ縫い５Ｃｈによって分岐していない側５Ｃｄの先端５Ｃｅが股下マチ布３２の前部に縫付けられた部分と、ステッチ縫い５Ｃｉによってヨーク部材３３の下に縫付けられた部分との間は縫付けられておらず、フリーの状態になっている。
【０２５７】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２５８】
そして、図１４（ｄ）に示されるように、羽根部材５Ｃは、姿勢補整用ショーツ３０を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２５９】
これによって、本実施の形態４の第３変形例にかかる姿勢補整用ショーツ３０を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２６０】
さらに、本実施の形態４の第３変形例にかかる姿勢補整用ショーツ３０においては、羽根部材５Ｃの１対の分岐部分５Ｃａ，５Ｃｂがヨーク部材３３の下に縫付けられているため、着用するときに羽根部材５Ｃの１対の分岐部分５Ｃａ，５Ｃｂがヨーク部材３３を介して着用者に当接するので、穿き心地が向上するという利点が得られる。
【０２６１】
このようにして、本実施の形態４の第３変形例にかかる姿勢補整用ショーツ３０においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０２６２】
なお、本実施の形態４の第３変形例にかかる姿勢補整用ショーツ３０においては、羽根部材５Ｃの１対の分岐部分５Ｃａ，５Ｃｂがヨーク部材３３の下に縫付けられた場合のみについて説明したが、上記実施の形態１の姿勢補整用ロングガードル１のように、羽根部材５Ｃの１対の分岐部分５Ｃａ，５Ｃｂをヨーク部材３３の上に縫付けることもできる。これによって、羽根部材５Ｃの１対の分岐部分５Ｃａ，５Ｃｂが姿勢補整用ショーツの表側にひびかず、見栄えが向上するという利点が得られる。
【０２６３】
また、上記実施の形態１の第２変形例の姿勢補整用ロングガードル１３のように、ヨーク部材３３を用いず、羽根部材５Ｃの１対の分岐部分５Ｃａ，５Ｃｂをショーツ本体３１の臀部の裏側に直接縫付けることもできる。これによって、製造工程が短縮され、より低コストで製造できるという利点が得られる。
【０２６４】
さらに、本実施の形態４においては、ヨーク部材２８，３３が姿勢補整用ショーツ２５Ａ，２５Ｂ，３０のショーツ本体２６，３１の裏側の背面のほぼ全体を覆っている例について説明したが、ヨーク部材２８，３３はショーツ本体２６，３１の裏側の少なくとも臀部を覆うものであれば良く、ショーツ本体２６，３１の裏側の背面全体からさらに両脇部を巻いて前面の一部まで覆うものでも、ショーツ本体２６，３１の裏側の臀部のみ、または臀部及びその周辺を覆うものでも構わない。
【０２６５】
実施の形態５
次に、本発明の実施の形態５にかかる姿勢補整用下着としての姿勢補整用キュロット下着について、図１５及び図１６を参照して説明する。ここで、「キュロット下着」とは、キュロットスカートやキュロットパンツと同様の形状を有する下着のことである。
【０２６６】
図１５（ａ）は本発明の実施の形態５にかかる姿勢補整用下着としての姿勢補整用キュロット下着の全体構成を示す正面図、（ｂ）は背面図、（ｃ）は本発明の実施の形態５にかかる姿勢補整用キュロット下着を裏返した場合の全体構成を示す正面図、（ｄ）は背面図である。図１６（ａ）は本発明の実施の形態５の変形例にかかる姿勢補整用下着としての姿勢補整用キュロット下着の全体構成を示す正面図、（ｂ）は背面図、（ｃ）は本発明の実施の形態５の変形例にかかる姿勢補整用キュロット下着を裏返した場合の全体構成を示す正面図、（ｄ）は背面図である。
【０２６７】
図１５（ａ），（ｂ）に示されるように、本実施の形態５にかかる姿勢補整用下着としての姿勢補整用キュロット下着３５は、伸縮性を有する生地としてのパワーネット生地からなる下着本体としてのキュロット下着本体３６を中心に構成されている。キュロット下着本体３６は、キュロットスカートに類似した脚部３６Ａ，３６Ｂの裾がフリル状に広がった形状を有していて、前中心ＦＣ及び後中心ＢＣにおいて縫い合わされている。
【０２６８】
そして、図１５（ｄ）に示されるように、姿勢補整用キュロット下着３５を裏返すと、キュロット下着本体３６の臀部裏側には、伸縮性を有する生地としてのパワーネットからなる羽根部材５Ｃが直接縫付けられている。
【０２６９】
したがって、キュロット下着本体３６は、本発明における「着用者の股下に当接する股部を有する下着本体」に相当する。また、本実施の形態５にかかる姿勢補整用キュロット下着３５は、「下着本体と、略Ｙ字形の伸縮性を有する生地からなる羽根部材とを具備する姿勢補整用下着」に相当し、下着本体３６は伸縮性を有する生地からなるものである。
【０２７０】
また、羽根部材５Ｃは羽根部材５と同様に二枚のパワーネット生地を袋縫いしてなるものであり、１対の分岐部分５Ｃａ，５Ｃｂの先端及びその周囲の部分がステッチ縫い５Ｃｉによって、キュロット下着本体３６の臀部裏側に直接縫付けられており、羽根部材５Ｃの分岐していない側５Ｃｄの先端５Ｃｅが、ステッチ縫い５Ｃｈによってキュロット下着本体３６の裏側の前部に縫付けられている。
【０２７１】
したがって、羽根部材５Ｃは、ステッチ縫い５Ｃｈによって分岐していない側５Ｃｄの先端５Ｃｅがキュロット下着本体３６の裏側の前部に縫付けられた部分と、ステッチ縫い５Ｃｉによってキュロット下着本体３６の臀部裏側に直接縫付けられた部分との間は縫付けられておらず、フリーの状態になっている。
【０２７２】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２７３】
そして、図１５（ｄ）に示されるように、羽根部材５Ｃは、姿勢補整用キュロット下着３５を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２７４】
これによって、本実施の形態５にかかる姿勢補整用キュロット下着３５を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２７５】
このようにして、本実施の形態５にかかる姿勢補整用キュロット下着３５においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０２７６】
次に、本実施の形態５の変形例にかかる姿勢補整用キュロット下着３７について、図１６を参照して説明する。
【０２７７】
図１６（ａ），（ｂ）に示されるように、本実施の形態５の変形例にかかる姿勢補整用下着としての姿勢補整用キュロット下着３７は、伸縮性を有する生地としてのパワーネット生地からなる下着本体としてのキュロット下着本体３８を中心に構成されている。キュロット下着本体３８は、キュロットパンツに類似した脚部３８Ａ，３８Ｂが着用者の太もも部分にフィットする形状を有していて、前中心ＦＣ及び後中心ＢＣにおいて縫い合わされている。
【０２７８】
そして、図１６（ｄ）に示されるように、姿勢補整用キュロット下着３７を裏返すと、キュロット下着本体３８の臀部裏側には、伸縮性を有する生地としてのパワーネットからなる羽根部材５Ｃが直接縫付けられている。
【０２７９】
したがって、キュロット下着本体３８は、本発明における「着用者の股下に当接する股部を有する下着本体」に相当する。また、本実施の形態５にかかる姿勢補整用キュロット下着３７は、「下着本体と、略Ｙ字形の伸縮性を有する生地からなる羽根部材とを具備する姿勢補整用下着」に相当し、下着本体３８は伸縮性を有する生地からなるものである。
【０２８０】
また、羽根部材５Ｃは二枚のパワーネット生地を袋縫いしてなるものであり、１対の分岐部分５Ｃａ，５Ｃｂの先端及びその周囲の部分がステッチ縫い５Ｃｉによって、キュロット下着本体３８の臀部裏側に直接縫付けられており、羽根部材５Ｃの分岐していない側５Ｃｄの先端５Ｃｅが、ステッチ縫い５Ｃｈによってキュロット下着本体３８の裏側の前部に縫付けられている。
【０２８１】
したがって、羽根部材５Ｃは、ステッチ縫い５Ｃｈによって分岐していない側５Ｃｄの先端５Ｃｅがキュロット下着本体３８の裏側の前部に縫付けられた部分と、ステッチ縫い５Ｃｉによってキュロット下着本体３８の臀部裏側に直接縫付けられた部分との間は縫付けられておらず、フリーの状態になっている。
【０２８２】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２８３】
そして、図１６（ｄ）に示されるように、羽根部材５Ｃは、姿勢補整用キュロット下着３７を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２８４】
これによって、本実施の形態５の変形例にかかる姿勢補整用キュロット下着３７を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０２８５】
このようにして、本実施の形態５の変形例にかかる姿勢補整用キュロット下着３７においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０２８６】
なお、本実施の形態５にかかる姿勢補整用下着としての姿勢補整用キュロット下着３５，３７においては、脚部３６Ａ，３６Ｂ，３８Ａ，３８Ｂの下端が着用者の膝上近くにくる長さを有する場合について説明したが、姿勢補整用キュロット下着の脚部の長さはもっと短くても、もっと長くても（膝下近傍或いはもっと膝下までの長さでも）良い。
【０２８７】
実施の形態６
次に、本発明の実施の形態６にかかる姿勢補整用下着としての姿勢補整用サポーターについて、図１７乃至図１９を参照して説明する。
【０２８８】
図１７（ａ）は本発明の実施の形態６にかかる姿勢補整用下着としての姿勢補整用サポーターの全体構成を示す正面図、（ｂ）は背面図、（ｃ）は本発明の実施の形態６にかかる姿勢補整用サポーターを裏返した場合の全体構成を示す正面図、（ｄ）は背面図、（ｅ）は本発明の実施の形態６にかかる姿勢補整用下着としての姿勢補整用サポーターの全体構成を示す背面斜視図である。
【０２８９】
図１８（ａ）は本発明の実施の形態６の第１変形例にかかる姿勢補整用下着としての姿勢補整用サポーターの全体構成を示す正面図、（ｂ）は背面図である。図１８（ｃ）は本発明の実施の形態６の第２変形例にかかる姿勢補整用下着としての姿勢補整用サポーターの全体構成を示す正面図、（ｄ）は背面図である。図１８（ｅ）は本発明の実施の形態６の第３変形例にかかる姿勢補整用下着としての姿勢補整用サポーターの全体構成を示す正面図、（ｆ）は背面図である。図１８（ｇ）は本発明の実施の形態６の第４変形例にかかる姿勢補整用下着としての姿勢補整用サポーターの全体構成を示す正面図、（ｈ）は背面図である。図１８（ｉ）は本発明の実施の形態６の第５変形例にかかる姿勢補整用下着としての姿勢補整用サポーターの全体構成を示す正面図、（ｊ）は背面図である。
【０２９０】
図１９（ａ）は本発明の実施の形態６の第６変形例にかかる姿勢補整用下着としての姿勢補整用サポーターの全体構成を示す正面図、（ｂ）は背面図である。図１９（ｃ）は本発明の実施の形態６の第７変形例にかかる姿勢補整用下着としての姿勢補整用サポーターの全体構成を示す正面図、（ｄ）は背面図である。図１９（ｅ）は本発明の実施の形態６の第８変形例にかかる姿勢補整用下着としての姿勢補整用サポーターの全体構成を示す正面図、（ｆ）は背面図である。
【０２９１】
図１９（ｇ）は本発明の実施の形態６の第９変形例にかかる姿勢補整用下着としての姿勢補整用サポーターの全体構成を示す正面図、（ｈ）は背面図である。図１９（ｉ）は本発明の実施の形態６の第１０変形例にかかる姿勢補整用下着としての姿勢補整用サポーターの全体構成を示す正面図、（ｊ）は背面図である。図１９（ｋ）は本発明の実施の形態６の第１１変形例にかかる姿勢補整用下着としての姿勢補整用サポーターの全体構成を示す正面図、（ｌ）は背面図である。
【０２９２】
図１７（ａ），（ｂ）に示されるように、本実施の形態６にかかる姿勢補整用下着としての姿勢補整用サポーター４０は、伸縮性を有する生地としてのパワーネット生地からなる下着本体としてのサポーター本体４１を中心に構成されている。サポーター本体４１は、腰周りを覆う腹巻き状の部分に股部の前半分のみを形成するための突出部４１ａが一体となったものであり、後中心ＢＣにおいて縫い合わされており、伸縮性を有する生地としてのパワーネットからなる羽根部材５Ｃを縫付けることによって初めて股部が形成される。
【０２９３】
したがって、サポーター本体４１は、本発明における「着用者の股下に当接する股部を有しない下着本体」に相当する。また、本実施の形態６にかかる姿勢補整用サポーター４０は、「下着本体と、略Ｙ字形の伸縮性を有する生地からなる羽根部材とを具備する姿勢補整用下着」に相当し、下着本体４１は伸縮性を有する生地からなるものである。
【０２９４】
そして、図１７（ｄ）に示されるように、姿勢補整用サポーター４０を裏返すと、サポーター本体４１の臀部裏側には、伸縮性を有する生地としてのパワーネットからなる羽根部材５Ｃが直接縫付けられている。羽根部材５Ｃは前述の如く二枚のパワーネット生地を袋縫いしてなるものであり、１対の分岐部分５Ｃａ，５Ｃｂの先端及びその周囲の部分がステッチ縫い５Ｃｉによって、サポーター本体４１の臀部裏側に直接縫付けられている。
【０２９５】
一方、図１７（ｅ）に示されるように、サポーター本体４１の突出部４１ａの裏側にはパワーネットからなる見返し布４２が縫付けられており、羽根部材５Ｃの分岐していない側５Ｃｄは、この見返し布４２の先端近傍にステッチ縫い５Ｃｈによって縫付けられ、さらに羽根部材５Ｃの分岐していない側５Ｃｄの先端５Ｃｅが、ステッチ縫い５Ｃｈによってサポーター本体４１の突出部４１ａの裏側に縫付けられたパワーネットからなる見返し布４２の付け根近傍に縫付けられている。
【０２９６】
したがって、羽根部材５Ｃは、ステッチ縫い５Ｃｈによって分岐していない側５Ｃｄの分岐点５Ｃｃの近傍が見返し布４２の先端近傍に縫付けられた部分と、ステッチ縫い５Ｃｉによって１対の分岐部分５Ｃａ，５Ｃｂの先端及びその周囲の部分がサポーター本体４１の臀部裏側に直接縫付けられた部分との間は縫付けられておらず、フリーの状態になっている。
【０２９７】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０２９８】
そして、図１７（ｄ）に示されるように、羽根部材５Ｃは、姿勢補整用サポーター４０を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０２９９】
これによって、本実施の形態６にかかる姿勢補整用サポーター４０を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０３００】
このようにして、本実施の形態６にかかる姿勢補整用サポーター４０においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０３０１】
次に、本実施の形態６にかかる姿勢補整用サポーター４０の種々の変形例について、図１８及び図１９を参照して説明する。なお、以下の姿勢補整用サポーター４０の各変形例においては、サポーター本体４１及び見返し布４２の構成及び生地については姿勢補整用サポーター４０と同一であるため、説明を省略する。
【０３０２】
図１８（ａ），（ｂ）に示される本実施の形態６の第１変形例にかかる姿勢補整用サポーター４０Ａにおいては、羽根部材５Ｑの１対の分岐部分５Ｑａ，５Ｑｂの大きさが、上記姿勢補整用サポーター４０よりも小さくなっている。これに対して、図１８（ｃ），（ｄ）に示される本実施の形態６の第２変形例にかかる姿勢補整用サポーター４０Ｂにおいては、羽根部材５Ｒの１対の分岐部分５Ｒａ，５Ｒｂの長さが、上記姿勢補整用サポーター４０よりも長くなって、姿勢補整用サポーター４０Ｂの両脇部分まで到達している。これによって、羽根部材５Ｒによる引っ張り力が一段と向上する。
【０３０３】
図１８（ｅ），（ｆ）に示される本実施の形態６の第３変形例にかかる姿勢補整用サポーター４０Ｃにおいては、羽根部材５Ｓの１対の分岐部分５Ｓａ，５Ｓｂの長さが、上記姿勢補整用サポーター４０Ｂよりもさらに長くなって、姿勢補整用サポーター４０Ｃの前面部分まで到達している。また、図１８（ｇ），（ｈ）に示される本実施の形態６の第４変形例にかかる姿勢補整用サポーター４０Ｄにおいては、さらに長くなって、羽根部材５Ｔの１対の分岐部分５Ｔａ，５Ｔｂが姿勢補整用サポーター４０Ｄの前中心まで到達している。
【０３０４】
これによって、羽根部材５Ｓ，５Ｔによる引っ張り力が一段と向上するとともに、前腹部を引き締める効果をも発揮する。図１８（ｉ），（ｊ）に示される本実施の形態６の第５変形例にかかる姿勢補整用サポーター４０Ｅは、この姿勢補整用サポーター４０Ｄの前中心にパワーネットからなる引き締め部材４４がさらに縫付けられている。これによって、前腹部を引き締める効果がさらに向上する。
【０３０５】
図１９（ａ），（ｂ）に示される本実施の形態６の第６変形例にかかる姿勢補整用サポーター４０Ｆにおいては、図１８（ａ），（ｂ）と比較して分かるように、羽根部材５Ｑの１対の分岐部分５Ｑａ，５Ｑｂがサポーター本体４１の臀部裏側でなく、臀部表側にステッチ５Ｑｉによって縫付けられている点が異なるのみで、その他の部分は本実施の形態６の第１変形例にかかる姿勢補整用サポーター４０Ａと同様である。したがって、外観が異なるのみで、姿勢補整用サポーター４０Ａと同様の作用効果を有する。
【０３０６】
また、図１９（ｃ），（ｄ）に示される本実施の形態６の第７変形例にかかる姿勢補整用サポーター４０Ｇにおいては、図１７（ａ），（ｂ）と比較して分かるように、羽根部材５Ｃの１対の分岐部分５Ｃａ，５Ｑｂがサポーター本体４１の臀部裏側でなく、臀部表側にステッチ５Ｃｉによって縫付けられている点が異なるのみで、その他の部分は本実施の形態６にかかる姿勢補整用サポーター４０と同様である。したがって、外観が異なるのみで、姿勢補整用サポーター４０と同様の作用効果を有する。
【０３０７】
また、図１９（ｅ），（ｆ）に示される本実施の形態６の第８変形例にかかる姿勢補整用サポーター４０Ｈにおいては、図１８（ｃ），（ｄ）と比較して分かるように、羽根部材５Ｒの１対の分岐部分５Ｒａ，５Ｒｂがサポーター本体４１の裏側でなく、表側にステッチ５Ｒｉによって縫付けられている点が異なるのみで、その他の部分は本実施の形態６の第２変形例にかかる姿勢補整用サポーター４０Ｂと同様である。したがって、外観が異なるのみで、姿勢補整用サポーター４０Ｂと同様の作用効果を有する。
【０３０８】
また、図１９（ｇ），（ｈ）に示される本実施の形態６の第９変形例にかかる姿勢補整用サポーター４０Ｊにおいては、図１８（ｅ），（ｆ）と比較して分かるように、羽根部材５Ｓの１対の分岐部分５Ｓａ，５Ｓｂがサポーター本体４１の裏側でなく、表側にステッチ５Ｓｉによって縫付けられている点が異なるのみで、その他の部分は本実施の形態６の第３変形例にかかる姿勢補整用サポーター４０Ｃと同様である。したがって、外観が異なるのみで、姿勢補整用サポーター４０Ｃと同様の作用効果を有する。
【０３０９】
また、図１９（ｉ），（ｊ）に示される本実施の形態６の第１０変形例にかかる姿勢補整用サポーター４０Ｋにおいては、図１８（ｇ），（ｈ）と比較して分かるように、羽根部材５Ｔの１対の分岐部分５Ｔａ，５Ｔｂがサポーター本体４１の裏側でなく、表側にステッチ５Ｔｉによって縫付けられている点が異なるのみで、その他の部分は本実施の形態６の第４変形例にかかる姿勢補整用サポーター４０Ｄと同様である。したがって、外観が異なるのみで、姿勢補整用サポーター４０Ｄと同様の作用効果を有する。
【０３１０】
同じく、図１９（ｋ），（ｌ）に示される本実施の形態６の第１１変形例にかかる姿勢補整用サポーター４０Ｍにおいても、図１８（ｉ），（ｊ）と比較して分かるように、羽根部材５Ｔの１対の分岐部分５Ｔａ，５Ｔｂがサポーター本体４１の裏側でなく、表側にステッチ５Ｔｉによって縫付けられている点が異なるのみで、その他の部分は本実施の形態６の第５変形例にかかる姿勢補整用サポーター４０Ｅと同様である。したがって、外観が異なるのみで、姿勢補整用サポーター４０Ｅと同様の作用効果を有する。
【０３１１】
なお、以上説明した本実施の形態６の第１変形例〜第１１変形例にかかる姿勢補整用サポーター４０Ａ，・・・，４０Ｍにおいても、羽根部材５Ｑ，５Ｒ，５Ｓ，５Ｔは、羽根部材５Ｃと同様に、二枚のパワーネット生地を袋縫いしてなるものである。そして、羽根部材５Ｑ，５Ｒ，５Ｓ，５Ｔにおける縫い止まり点の位置も、着用者の肛門の当接する位置も、本実施の形態６にかかる姿勢補整用サポーター４０の場合と同様である。
【０３１２】
以上説明した本実施の形態６の第１変形例〜第１１変形例にかかる姿勢補整用サポーター４０Ａ，・・・，４０Ｍを着用することによって、羽根部材５Ｃ，５Ｑ，５Ｒ，５Ｓ，５Ｔには伸縮性による引っ張り力がかかり、着用者の着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃ，５Ｑ，５Ｒ，５Ｓ，５Ｔによって直接、または伸縮性を有するサポーター本体４１によって間接的に押えられるため、着用者の臀部が引き締まって小尻になるとともにヒップアップの効果が得られる。
【０３１３】
このようにして、本実施の形態６の第１変形例〜第１１変形例にかかる姿勢補整用サポーター４０Ａ，・・・，４０Ｍにおいては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０３１４】
実施の形態７
次に、本発明の実施の形態７にかかる姿勢補整用下着としての姿勢補整用サポーターについて、図２０を参照して説明する。図２０（ａ）は本発明の実施の形態７にかかる姿勢補整用下着としての姿勢補整用サポーターの全体構成を示す正面図、（ｂ）は背面図、（ｃ）は本発明の実施の形態７にかかる姿勢補整用サポーターを裏返した場合の全体構成を示す正面図、（ｄ）は背面図である。
【０３１５】
図２０（ａ），（ｂ）に示されるように、本実施の形態７にかかる姿勢補整用下着としての姿勢補整用サポーター４５は、伸縮性を有する生地としてのパワーネット生地からなる下着本体としてのサポーター本体４６及び同じく伸縮性を有する生地としてのパワーネット生地からなる羽根部材５Ｕによって構成されている。サポーター本体４６は、腰周りを覆う腹巻き形状のもので、後中心ＢＣにおいて縫い合わされており、このサポーター本体４６の前後に羽根部材５Ｕを縫付けることによって初めて股部が形成される。
【０３１６】
したがって、サポーター本体４６は、本発明における「着用者の股下に当接する股部を有しない下着本体」に相当する。また、本実施の形態７にかかる姿勢補整用サポーター４５は、「下着本体と、略Ｙ字形の伸縮性を有する生地からなる羽根部材とを具備する姿勢補整用下着」に相当し、下着本体４６は伸縮性を有する生地からなるものである。
【０３１７】
羽根部材５Ｕは、羽根部材５Ｃと同様に、二枚のパワーネット生地を袋縫いしてなるものである。そして、図２０（ｃ），（ｄ）に示されるように、姿勢補整用サポーター４５を裏返すと、サポーター本体４６の前部裏側には、羽根部材５Ｕの分岐していない側５Ｕｄの先端５Ｕｅが、ステッチ縫い５Ｕｈによって直接縫付けられている。一方、サポーター本体４６の臀部裏側には、羽根部材５Ｕの１対の分岐部分５Ｕａ，５Ｕｂの先端及びその周囲の部分がステッチ縫い５Ｕｉによって、直接縫付けられている。
【０３１８】
１対の分岐部分５Ｕａ，５Ｕｂの内側におけるステッチ縫い５Ｕｉの縫い止まり点は、羽根部材５Ｕの分岐点５Ｕｃから約７ｃｍ（６．５ｃｍ〜７．５ｃｍ）離れており、１対の分岐部分５Ｕａ，５Ｕｂの外側におけるステッチ縫い５Ｕｉの縫い止まり点は、内側のステッチ縫い５Ｕｉの縫い止まり点とほぼ対応する位置にあって、少なくとも着用者の肛門の位置ＨＣＰよりは上方にある。
【０３１９】
したがって、羽根部材５Ｕは、ステッチ縫い５Ｕｈによって分岐していない側５Ｕｄの端５Ｕｅがサポーター本体４６の前部裏側に縫付けられた部分と、ステッチ縫い５Ｕｉによって１対の分岐部分５Ｕａ，５Ｕｂの先端及びその周囲の部分がサポーター本体４６の臀部裏側に直接縫付けられた部分（縫い止まり点）との間は縫付けられておらず、フリーの状態になっている。
【０３２０】
そして、図２０（ｄ）に示されるように、羽根部材５Ｕは、姿勢補整用サポーター４５を着用したときに、着用者の肛門の位置ＨＣＰが１対の分岐部分５Ｕａ，５Ｕｂの間の分岐点５Ｕｃの近傍（分岐点５Ｕｃから約１．５ｃｍ（１．３ｃｍ〜１．７ｃｍ）離れた位置）にくるように縫付けられている。
【０３２１】
これによって、本実施の形態７にかかる姿勢補整用サポーター４５を着用することによって、羽根部材５Ｕには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｕの１対の分岐部分５Ｕａ，５Ｕｂによって押えられるため、着用者の臀部が引き締まって小尻になるとともにヒップアップの効果が得られる。
【０３２２】
このようにして、本実施の形態７にかかる姿勢補整用サポーター４５においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０３２３】
実施の形態８
次に、本発明の実施の形態８にかかる姿勢補整用下着としての姿勢補整用サポーターについて、図２１及び図２２を参照して説明する。
【０３２４】
図２１（ａ）は本発明の実施の形態８にかかる姿勢補整用下着としての姿勢補整用サポーターの全体構成を示す正面図、（ｂ）は背面図、（ｃ）は本発明の実施の形態８にかかる姿勢補整用サポーターを裏返した場合の全体構成を示す正面図、（ｄ）は背面図、（ｅ）は本発明の実施の形態８にかかる姿勢補整用サポーターに用いられる羽根部材の形状を示す図である。
【０３２５】
図２２（ａ）は本発明の実施の形態８の第１変形例にかかる姿勢補整用サポーターの全体構成を示す正面図、（ｂ）は背面図、（ｃ）は本発明の実施の形態８の第１変形例にかかる姿勢補整用サポーターに用いられる羽根部材の形状を示す図である。図２２（ｄ）は本発明の実施の形態８の第２変形例にかかる姿勢補整用サポーターの全体構成を示す正面図、（ｅ）は背面図、（ｆ）は本発明の実施の形態８の第２変形例にかかる姿勢補整用サポーターに用いられる羽根部材の形状を示す図である。
【０３２６】
図２２（ｇ）は本発明の実施の形態８の第３変形例にかかる姿勢補整用サポーターの全体構成を示す正面図、（ｈ）は背面図、（ｉ）は本発明の実施の形態８の第３変形例にかかる姿勢補整用サポーターに用いられる羽根部材の形状を示す図である。図２２（ｊ）は本発明の実施の形態８の第４変形例にかかる姿勢補整用サポーターの全体構成を示す正面図、（ｋ）は背面図、（ｌ）は本発明の実施の形態８の第４変形例にかかる姿勢補整用サポーターに用いられる羽根部材の形状を示す図である。
【０３２７】
図２１（ａ），（ｂ）に示されるように、本実施の形態８にかかる姿勢補整用下着としての姿勢補整用サポーター５０は、伸縮性を有する生地としてのパワーネット生地からなる下着本体としてのサポーター本体５１及び同じく伸縮性を有する生地としてのパワーネット生地からなる羽根部材５２によって構成されている。サポーター本体５１は、腰周りを覆う腹巻き形状のもので、前中心ＦＣ及び後中心ＢＣにおいて縫い合わされており、このサポーター本体５１の前後に羽根部材５２を縫付けることによって股部が形成される。
【０３２８】
そして、図２１（ｅ）に示されるように、本実施の形態８にかかる姿勢補整用サポーター５０に用いられる羽根部材５２は、１対の分岐部分５２ａ，５２ｂと１対の前部分岐部分５２ｄ，５２ｅとを有する略Ｘ字形のものである。
【０３２９】
したがって、サポーター本体５１は、本発明における「着用者の股下に当接する股部を有しない下着本体」に相当する。また、本実施の形態８にかかる姿勢補整用サポーター５０は、「下着本体と、略Ｘ字形の伸縮性を有する生地からなる羽根部材とを具備する姿勢補整用下着」に相当し、下着本体５１は伸縮性を有する生地からなるものである。
【０３３０】
羽根部材５２は、図６（ｂ）に示される羽根部材５Ｎと同様に、一枚のパワーネット生地の縁を裁ちかがり縫いしてなるものである。そして、図２１（ｃ），（ｄ）に示されるように、姿勢補整用サポーター５０を裏返すと、サポーター本体５１の前部裏側には、羽根部材５２の１対の前部分岐部分５２ｄ，５２ｅが、ステッチ縫い５２ｊによって直接縫付けられている。一方、サポーター本体５１の臀部裏側には、羽根部材５２の１対の分岐部分５２ａ，５２ｂの先端及びその周囲の部分がステッチ縫い５２ｉによって、直接縫付けられている。
【０３３１】
１対の分岐部分５２ａ，５２ｂの内側におけるステッチ縫い５２ｉの縫い止まり点は、サポーター本体５１の臀部裏側の端であり、羽根部材５２の分岐点５２ｃから約７ｃｍ（６．５ｃｍ〜７．５ｃｍ）離れており、１対の分岐部分５２ａ，５２ｂの外側におけるステッチ縫い５２ｉの縫い止まり点もサポーター本体５１の臀部裏側の端で、内側のステッチ縫い５２ｉの縫い止まり点とほぼ対応する位置にあって、少なくとも着用者の肛門の位置ＨＣＰよりは上方にある。
【０３３２】
したがって、羽根部材５２は、ステッチ縫い５２ｊによって１対の前部分岐部分５２ｄ，５２ｅがサポーター本体５１の前部裏側に縫付けられた部分と、ステッチ縫い５２ｉによって１対の分岐部分５２ａ，５２ｂの先端及びその周囲の部分がサポーター本体５１の臀部裏側に直接縫付けられた部分（縫い止まり点）との間は縫付けられておらず、フリーの状態になっている。
【０３３３】
そして、図２１（ｄ）に示されるように、羽根部材５２は、姿勢補整用サポーター５０を着用したときに、着用者の肛門の位置ＨＣＰが１対の分岐部分５２ａ，５２ｂの間の分岐点５２ｃの近傍（分岐点５２ｃから約１．５ｃｍ（１．３ｃｍ〜１．７ｃｍ）離れた位置）にくるように縫付けられている。
【０３３４】
これによって、本実施の形態８にかかる姿勢補整用サポーター５０を着用することによって、羽根部材５２には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰがサポーター本体５１を介して羽根部材５２によって押えられるため、着用者の臀部が引き締まって小尻になるとともにヒップアップの効果が得られる。
【０３３５】
さらに、伸縮性を有する生地からなる羽根部材５２の１対の前部分岐部分５２ｄ，５２ｅがサポーター本体５１の前部に縫付けられているため、肛門を引き締める効果が向上するとともにヒップアップの効果をも得ることができる。また、本実施の形態８にかかる姿勢補整用サポーター５０を男性用下着に適用した場合には、１対の前部分岐部分５２ｄ，５２ｅの間が開いているので、排尿時に姿勢補整用サポーター５０を一々脱ぐ必要がないという利点も得られる。
【０３３６】
このようにして、本実施の形態８にかかる姿勢補整用サポーター５０においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、男性用の姿勢補整用下着としても使い勝手が良いものとなる。
【０３３７】
次に、本実施の形態８にかかる姿勢補整用サポーター５０の種々の変形例について、図２２を参照して説明する。
【０３３８】
図２２（ａ），（ｂ），（ｃ）に示される本実施の形態８の第１変形例にかかる姿勢補整用サポーター５０Ａにおいては、サポーター本体５１Ａの前部の下端が上記サポーター本体５１よりも下方に下がって、サポーター本体５１Ａの前部が大きくなっている。その分だけ、羽根部材５２Ａの１対の前部分岐部分５２Ａｄ，５２Ａｅの大きさが、上記羽根部材５２の１対の前部分岐部分５２ｄ，５２ｅよりも小さくなっている。
【０３３９】
これに対して、図２２（ｄ），（ｅ），（ｆ）に示される本実施の形態８の第２変形例にかかる姿勢補整用サポーター５０Ｂにおいては、サポーター本体５１Ｂの形状は上記サポーター本体５１とほぼ同一であるが、羽根部材５２Ｂの１対の前部分岐部分５２Ｂｄ，５２Ｂｅの大きさが上記羽根部材５２の１対の前部分岐部分５２ｄ，５２ｅよりも前部分岐部分の間の側に大きくなって、図２２（ｄ）に示されるように、姿勢補整用サポーター５０Ｂの前部の開き部分が狭くなっている。
【０３４０】
また、図２２（ｇ），（ｈ），（ｉ）に示される本実施の形態８の第３変形例にかかる姿勢補整用サポーター５０Ｃにおいては、サポーター本体５１Ｃの前部の下端が上記サポーター本体５１Ａよりもさらに下方に下がるとともに、羽根部材５２Ｃの１対の前部分岐部分５２Ｃｄ，５２Ｃｅの大きさが、前部分岐部分の間の側に大きくなって、図２２（ｇ）に示されるように、姿勢補整用サポーター５０Ｃの前部の開き部分がさらに狭く、短くなっている。
【０３４１】
さらに、図２２（ｊ），（ｋ），（ｌ）に示される本実施の形態８の第４変形例にかかる姿勢補整用サポーター５０Ｄにおいては、サポーター本体５１Ｄの形状は上記サポーター本体５１Ｃとほぼ同一であるが、前中心は一体となっていて後中心ＢＣのみにおいて縫付けられている。また、羽根部材５２Ｄの１対の前部分岐部分５２Ｄｄ，５２Ｄｅは前部分岐部分の間の側に大きく、図２２（ｊ）に示されるように、姿勢補整用サポーター５０Ｄの前部の開き部分が、上記姿勢補整用サポーター５０Ｃと同様に狭く短くなっている。
【０３４２】
そして、図２２（ｋ），（ｌ）に示されるように、羽根部材５２Ｄの１対の分岐部分５２Ｄａ，５２Ｄｂが上記羽根部材５２，５２Ａ，５２Ｂ，５２Ｃの各１対の分岐部分５２ａ，５２ｂ，５２Ａａ，５２Ａｂ，５２Ｂａ，５２Ｂｂ，５２Ｃａ，５２Ｃｂよりも大きくなっているために、着用者の肛門を締め付ける効果がより大きくなっている。
【０３４３】
なお、以上説明した本実施の形態８の第１変形例〜第４変形例にかかる姿勢補整用サポーター５０Ａ，５０Ｂ，５０Ｃ，５０Ｄにおいても、羽根部材５２Ａ，５２Ｂ，５２Ｃ，５２Ｄは、羽根部材５２と同様に、一枚のパワーネット生地の縁を裁ちかがり縫いしてなるものである。そして、羽根部材５２Ａ，５２Ｂ，５２Ｃ，５２Ｄにおける縫い止まり点の位置も、着用者の肛門の当接する位置も、本実施の形態８にかかる姿勢補整用サポーター５０の場合と同様である。
【０３４４】
したがって、本実施の形態８の第１変形例〜第４変形例にかかる姿勢補整用サポーター５０Ａ，５０Ｂ，５０Ｃ，５０Ｄを着用することによって、羽根部材５２Ａ，５２Ｂ，５２Ｃ，５２Ｄには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５２Ａ，５２Ｂ，５２Ｃ，５２Ｄによって直接、または伸縮性を有するサポーター本体５１Ａ，５１Ｂ，５１Ｃ，５１Ｄによって間接的に押えられるため、着用者の臀部が引き締まって小尻になるとともにヒップアップの効果が得られる。
【０３４５】
さらに、伸縮性を有する生地からなる羽根部材５２Ａ，５２Ｂ，５２Ｃ，５２Ｄの１対の前部分岐部分５２Ａｄ，５２Ａｅ，５２Ｂｄ，５２Ｂｅ，５２Ｃｄ，５２Ｃｅ，５２Ｄｄ，５２Ｄｅがサポーター本体５１Ａ，５１Ｂ，５１Ｃ，５１Ｄの前部に縫付けられているため、肛門を引き締める効果が向上するとともにヒップアップの効果をも得ることができる。また、姿勢補整用サポーター５０Ａ，５０Ｂ，５０Ｃ，５０Ｄを男性用下着に適用した場合には、１対の前部分岐部分５２Ａｄ，５２Ａｅ，５２Ｂｄ，５２Ｂｅ，５２Ｃｄ，５２Ｃｅ，５２Ｄｄ，５２Ｄｅの間が開いているので、排尿時に姿勢補整用サポーター５０Ａ，５０Ｂ，５０Ｃ，５０Ｄを一々脱ぐ必要がないという利点も得られる。
【０３４６】
このようにして、本実施の形態８の第１変形例〜第４変形例にかかる姿勢補整用サポーター５０Ａ，５０Ｂ，５０Ｃ，５０Ｄにおいては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、男性用の姿勢補整用下着としても使い勝手が良いものとなる。
【０３４７】
実施の形態９
次に、本発明の実施の形態９にかかる姿勢補整用下着としての姿勢補整用ボディースーツについて、図２３を参照して説明する。
【０３４８】
図２３（ａ）は本発明の実施の形態９にかかる姿勢補整用下着としての姿勢補整用ボディースーツの全体構成を示す正面図、（ｂ）は背面図、（ｃ）は姿勢補整用ボディースーツの股部を外した状態を示す部分拡大図、（ｄ）は本発明の実施の形態９にかかる姿勢補整用ボディースーツを裏返した場合の下半分の構成を示す背面図、（ｅ）は本発明の実施の形態９の第１変形例にかかる姿勢補整用ボディースーツを裏返した場合の下半分の構成を示す背面図、（ｆ）は本発明の実施の形態９の第２変形例にかかる姿勢補整用ボディースーツを裏返した場合の下半分の構成を示す背面図である。
【０３４９】
図２３に示されるように、本実施の形態９にかかる姿勢補整用下着としての姿勢補整用ボディースーツ５５は、伸縮性を有する生地としてのサテンネット（ストレッチサテン）生地からなる下着本体としてのボディースーツ本体５６、伸縮性を有する生地としてのパワーネット生地からなるヨーク部材５７及び同じく伸縮性を有する生地としてのパワーネット生地からなる羽根部材５８によって構成されている。
【０３５０】
図２３（ａ），（ｂ）に示されるように、ボディースーツ本体５６は胸・胴回りから股下までを覆う形状のもので、図２３（ｃ）に示されるように、このボディースーツ本体５６の前部下端の裏側には、凹側ホック５９ａが２個並んで取付けられており、ボディースーツ本体５６の股部を構成する股下マチ布５６ａの先端表側には、凸側ホック５９ｂが２個並んで取付けられている。これらの凹側ホック５９ａに凸側ホック５９ｂが嵌められることによって、ボディースーツ本体５６の股部が接続されて、着用者の体全体を引き締める効果を発揮する。
【０３５１】
そして、図２３（ｄ）に示されるように、この股下マチ布５６ａの裏側の先端に、羽根部材５８の分岐していない側５８ｄの先端５８ｅがステッチ縫い５８ｈによって縫付けられており、羽根部材５８の１対の分岐部分５８ａ，５８ｂが、ボディースーツ本体５６の裏側に縫付けられたヨーク部材５７の下側にステッチ縫い５８ｉによって縫付けられることによって羽根部材５８が縫付けられている。本実施の形態９にかかる姿勢補整用ボディースーツ５５に用いられる羽根部材５８は、前記羽根部材５，５Ｃと同様に二枚のパワーネット生地を袋縫いしてなるものである。
【０３５２】
したがって、ボディースーツ本体５６は、本発明における「着用者の股下に当接する股部を有する下着本体」に相当する。また、本実施の形態９にかかる姿勢補整用ボディースーツ５５は、「下着本体と、下着本体の裏側に縫付けられたヨーク部材と、略Ｙ字形の伸縮性を有する生地からなる羽根部材とを具備する姿勢補整用下着」に相当し、下着本体５６及びヨーク部材５７が伸縮性を有する生地からなるものである。
【０３５３】
これによって、羽根部材５８は、ステッチ縫い５８ｈによって分岐していない側５８ｄの先端５８ｅが股下マチ布５６ａの前部に縫付けられた部分と、ステッチ縫い５８ｉによってヨーク部材５７の下に縫付けられた部分との間は縫付けられておらず、フリーの状態になっている。
【０３５４】
１対の分岐部分５８ａ，５８ｂの内側におけるステッチ縫い５８ｉの縫い止まり点５８ｋは、羽根部材５８の分岐点５８ｃから約７ｃｍ（６．５ｃｍ〜７．５ｃｍ）離れており、１対の分岐部分５８ａ，５８ｂの外側におけるステッチ縫い５８ｉの縫い止まり点５８ｋは、内側のステッチ縫い５８ｉの縫い止まり点とほぼ対応する位置にあって、少なくとも着用者の肛門の位置ＨＣＰよりは上方にある。
【０３５５】
そして、図２３（ｄ）に示されるように、羽根部材５８は、姿勢補整用ボディースーツ５５を着用したときに、着用者の肛門の位置ＨＣＰが１対の分岐部分５８ａ，５８ｂの間の分岐点５８ｃの近傍（分岐点５８ｃから約１．５ｃｍ（１．３ｃｍ〜１．７ｃｍ）離れた位置）にくるように縫付けられている。
【０３５６】
これによって、本実施の形態９にかかる姿勢補整用ボディースーツ５５を着用することによって、羽根部材５８には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５８の１対の分岐部分５８ａ，５８ｂによって押えられるため、着用者の臀部が引き締まって小尻になるとともにヒップアップの効果が得られる。
【０３５７】
さらに、本実施の形態９にかかる姿勢補整用ボディースーツ５５においては、羽根部材５８の１対の分岐部分５８ａ，５８ｂがヨーク部材５７の下に縫付けられているため、着用するときに羽根部材５８の１対の分岐部分５８ａ，５８ｂがヨーク部材５７を介して着用者に当接するので、穿き心地が向上するという利点が得られる。
【０３５８】
このようにして、本実施の形態９にかかる姿勢補整用ボディースーツ５５においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０３５９】
次に、本実施の形態９の第１変形例にかかる姿勢補整用ボディースーツ５５Ａについて、図２３（ｅ）を参照して説明する。なお、第１変形例にかかる姿勢補整用ボディースーツ５５Ａの下着本体としてのボディースーツ本体５６については、本実施の形態９にかかる姿勢補整用ボディースーツ５５と同様であるので、同一の符号を付して説明を省略する。
【０３６０】
図２３（ｅ）に示されるように、本実施の形態９の第１変形例にかかる姿勢補整用ボディースーツ５５Ａも、ボディースーツ本体５６の裏側にヨーク部材５７が縫付けられている点は同様である。異なるのは、羽根部材５８の１対の分岐部分５８ａ，５８ｂがヨーク部材５７の上に縫付けられている点のみである。
【０３６１】
したがって、ボディースーツ本体５６は、本発明における「着用者の股下に当接する股部を有する下着本体」に相当する。また、本実施の形態９の第１変形例にかかる姿勢補整用ボディースーツ５５Ａは、「下着本体と、下着本体の裏側に縫付けられたヨーク部材と、略Ｙ字形の伸縮性を有する生地からなる羽根部材とを具備する姿勢補整用下着」に相当し、下着本体５６及びヨーク部材５７が伸縮性を有する生地からなるものである。
【０３６２】
これによって、羽根部材５８は、ステッチ縫い５８ｈによって分岐していない側５８ｄの先端５８ｅが股下マチ布５６ａの前部に縫付けられた部分と、ステッチ縫い５８ｉによってヨーク部材５７の下に縫付けられた部分との間は縫付けられておらず、フリーの状態になっている。
【０３６３】
１対の分岐部分５８ａ，５８ｂの内側におけるステッチ縫い５８ｉの縫い止まり点５８ｋは、羽根部材５８の分岐点５８ｃから約７ｃｍ（６．５ｃｍ〜７．５ｃｍ）離れており、１対の分岐部分５８ａ，５８ｂの外側におけるステッチ縫い５８ｉの縫い止まり点５８ｋは、内側のステッチ縫い５８ｉの縫い止まり点とほぼ対応する位置にあって、少なくとも着用者の肛門の位置ＨＣＰよりは上方にある。
【０３６４】
そして、図２３（ｅ）に示されるように、羽根部材５８は、姿勢補整用ボディースーツ５５Ａを着用したときに、着用者の肛門の位置ＨＣＰが１対の分岐部分５８ａ，５８ｂの間の分岐点５８ｃの近傍（分岐点５８ｃから約１．５ｃｍ（１．３ｃｍ〜１．７ｃｍ）離れた位置）にくるように縫付けられている。
【０３６５】
これによって、本実施の形態９の第１変形例にかかる姿勢補整用ボディースーツ５５Ａを着用することによって、羽根部材５８には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５８の１対の分岐部分５８ａ，５８ｂによって押えられるため、着用者の臀部が引き締まって小尻になるとともにヒップアップの効果が得られる。
【０３６６】
さらに、本実施の形態９の第１変形例にかかる姿勢補整用ボディースーツ５５Ａにおいては、羽根部材５８の１対の分岐部分５８ａ，５８ｂがヨーク部材５７の上に縫付けられており、ヨーク部材５７はウエスト周り及び両脇線のみにおいてボディースーツ本体５６に縫付けられていて、羽根部材５８の１対の分岐部分５８ａ，５８ｂが縫付けられる部分はボディースーツ本体５６から離れているため、羽根部材５８の１対の分岐部分５８ａ，５８ｂが姿勢補整用ボディースーツ５５Ａの表側にひびかず、見栄えが向上するという利点が得られる。
【０３６７】
このようにして、本実施の形態９の第１変形例にかかる姿勢補整用ボディースーツ５５Ａにおいては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また見栄えも優れたものとなる。
【０３６８】
次に、本実施の形態９の第２変形例にかかる姿勢補整用ボディースーツ５５Ｂについて、図２３（ｆ）を参照して説明する。なお、第２変形例にかかる姿勢補整用ボディースーツ５５Ｂの下着本体としてのボディースーツ本体５６については、本実施の形態９にかかる姿勢補整用ボディースーツ５５と同様であるので、同一の符号を付して説明を省略する。
【０３６９】
図２３（ｆ）に示されるように、本実施の形態９の第２変形例にかかる姿勢補整用ボディースーツ５５Ｂは、ボディースーツ本体５６の裏側にヨーク部材５７が縫付けられておらず、羽根部材５８の１対の分岐部分５８ａ，５８ｂがボディースーツ本体５６の裏側に直接縫付けられている。
【０３７０】
したがって、ボディースーツ本体５６は、本発明における「着用者の股下に当接する股部を有する下着本体」に相当する。また、本実施の形態９の第２変形例にかかる姿勢補整用ボディースーツ５５Ｂは、「下着本体と、略Ｙ字形の伸縮性を有する生地からなる羽根部材とを具備する姿勢補整用下着」に相当し、下着本体５６が伸縮性を有する生地からなるものである。
【０３７１】
これによって、羽根部材５８は、ステッチ縫い５８ｈによって分岐していない側５８ｄの先端５８ｅが股下マチ布５６ａの前部に縫付けられた部分と、ステッチ縫い５８ｉによってボディースーツ本体５６の臀部裏側に直接縫付けられた部分との間は縫付けられておらず、フリーの状態になっている。
【０３７２】
１対の分岐部分５８ａ，５８ｂの内側におけるステッチ縫い５８ｉの縫い止まり点５８ｋは、羽根部材５８の分岐点５８ｃから約７ｃｍ（６．５ｃｍ〜７．５ｃｍ）離れており、１対の分岐部分５８ａ，５８ｂの外側におけるステッチ縫い５８ｉの縫い止まり点５８ｋは、内側のステッチ縫い５８ｉの縫い止まり点とほぼ対応する位置にあって、少なくとも着用者の肛門の位置ＨＣＰよりは上方にある。
【０３７３】
そして、図２３（ｆ）に示されるように、羽根部材５８は、姿勢補整用ボディースーツ５５Ｂを着用したときに、着用者の肛門の位置ＨＣＰが１対の分岐部分５８ａ，５８ｂの間の分岐点５８ｃの近傍（分岐点５８ｃから約１．５ｃｍ（１．３ｃｍ〜１．７ｃｍ）離れた位置）にくるように縫付けられている。
【０３７４】
これによって、本実施の形態９の第２変形例にかかる姿勢補整用ボディースーツ５５Ｂを着用することによって、羽根部材５８には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５８の１対の分岐部分５８ａ，５８ｂによって押えられるため、着用者の臀部が引き締まって小尻になるとともにヒップアップの効果が得られる。
【０３７５】
このようにして、本実施の形態９の第２変形例にかかる姿勢補整用ボディースーツ５５Ｂにおいては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０３７６】
なお、本実施の形態９においては、ヨーク部材５７が姿勢補整用ボディースーツ５５，５５Ａのボディースーツ本体５６のウエストから下の裏側の背面のほぼ全体を覆っている例について説明したが、ヨーク部材５７はボディースーツ本体５６の裏側の少なくとも臀部を覆うものであれば良く、ボディースーツ本体５６のウエストから下の裏側の背面全体からさらに両脇部を巻いて前面の一部まで覆うものでも、ボディースーツ本体５６の裏側の臀部のみ、または臀部及びその周辺を覆うものでも構わない。
【０３７７】
実施の形態１０
次に、本発明の実施の形態１０にかかる姿勢補整用下着としての姿勢補整用パンティー・ストッキングについて、図２４を参照して説明する。図２４（ａ）は本発明の実施の形態１０にかかる姿勢補整用下着としての姿勢補整用パンティー・ストッキングの全体構成を示す正面図、（ｂ）は背面図である。なお、下着本体としてのタイツを中心に構成される姿勢補整用下着としての姿勢補整用タイツについても、本実施の形態１０にかかる姿勢補整用パンティー・ストッキングと同様に構成される。
【０３７８】
図２４に示されるように、本実施の形態１０にかかる姿勢補整用下着としての姿勢補整用パンティー・ストッキング６０は、伸縮性を有する生地としてのパワーネット生地からなる下着本体としてのパンティー・ストッキング本体６１、及び伸縮性を有する生地としてのパワーネット生地からなる羽根部材６３によって構成されている。パンティー・ストッキング本体６１は脚部６１Ａ，６１Ｂを有し、脚部６１Ａ，６１Ｂはストッキングとして着用者のつま先まで包み込む構造を有している。
【０３７９】
したがって、パンティー・ストッキング本体６１は、本発明における「着用者の股下に当接する股部を有する下着本体」に相当する。また、本実施の形態１０にかかる姿勢補整用パンティー・ストッキング６０は、「下着本体と、略Ｙ字形の伸縮性を有する生地からなる羽根部材とを具備する姿勢補整用下着」に相当し、下着本体６１が伸縮性を有する生地からなるものである。
【０３８０】
パンティー・ストッキング本体６１の腰周り部分（脚部６１Ａ，６１Ｂを除く部分）６２は、パワーネット生地が２枚重ねられてなり、脚部６１Ａ，６１Ｂよりも厚手になっている。図２４（ｂ）に示されるように、この厚手の部分６２の臀部裏側に、羽根部材６３の１対の分岐部分６３ａ，６３ｂが縫付けられている。羽根部材６３は、図６（ｂ）に示される羽根部材５Ｎのように、一枚の伸縮性を有する生地としてのパワーネット生地の縁を裁ちかがり縫いしてなるものである。
【０３８１】
図２４（ｂ）に示されるように、羽根部材６３の１対の分岐部分６３ａ，６３ｂは、ステッチ縫い６３ｉによって、パンティー・ストッキング本体６１の厚手の部分６２の臀部裏側に縫付けられており、図２４（ａ）に示されるように、羽根部材６３の分岐していない側６３ｄの先端６３ｅは、ステッチ縫い６３ｈによって、パンティー・ストッキング本体６１の厚手の部分６２の股部裏側前部に縫付けられている。
【０３８２】
これによって、羽根部材６３は、ステッチ縫い６３ｈによって分岐していない側６３ｄの先端６３ｅがパンティー・ストッキング本体６１の厚手の部分６２の股部裏側の前部に縫付けられた部分と、ステッチ縫い６３ｉによってパンティー・ストッキング本体６１の厚手の部分６２の臀部裏側に縫付けられた部分との間は縫付けられておらず、フリーの状態になっている。
【０３８３】
１対の分岐部分６３ａ，６３ｂの内側におけるステッチ縫い６３ｉの縫い止まり点６３ｋは、羽根部材６３の分岐点６３ｃから約７ｃｍ（６．５ｃｍ〜７．５ｃｍ）離れており、１対の分岐部分６３ａ，６３ｂの外側におけるステッチ縫い６３ｉの縫い止まり点６３ｋは、内側のステッチ縫い６３ｉの縫い止まり点６３ｋとほぼ対応する位置にあって、少なくとも着用者の肛門の位置ＨＣＰよりは上方にある。
【０３８４】
そして、図２４（ｂ）に示されるように、羽根部材６３は、姿勢補整用パンティー・ストッキング６０を着用したときに、着用者の肛門の位置ＨＣＰが１対の分岐部分６３ａ，６３ｂの間の分岐点６３ｃの近傍（分岐点６３ｃから約１．５ｃｍ（１．３ｃｍ〜１．７ｃｍ）離れた位置）にくるように縫付けられている。
【０３８５】
これによって、本実施の形態１０にかかる姿勢補整用パンティー・ストッキング６０を着用することによって、羽根部材６３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材６３の１対の分岐部分６３ａ，６３ｂによって押えられるため、着用者の臀部が引き締まって小尻になるとともにヒップアップの効果が得られる。
【０３８６】
このようにして、本実施の形態１０にかかる姿勢補整用パンティー・ストッキング６０においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができる。
【０３８７】
実施の形態１１
次に、本発明の実施の形態１１にかかる姿勢補整用下着としての調節機能付きの姿勢補整用ロングガードルについて、図２５及び図２６を参照して説明する。
【０３８８】
図２５（ａ）は本発明の実施の形態１１にかかる姿勢補整用下着としての調節機能付きの姿勢補整用ロングガードルの全体構成を示す正面図、（ｂ）は背面図、（ｃ）は本発明の実施の形態１１にかかる調節機能付きの姿勢補整用ロングガードルを裏返した状態の全体構成を示す正面図、（ｄ）は背面図である。図２６（ａ）は本発明の実施の形態１１にかかる姿勢補整用下着としての調節機能付きの姿勢補整用ロングガードルの調節機能付き接続具を外した状態を示す部分拡大図、（ｂ）は調節機能付き接続具を留めた状態を示す部分拡大図である。
【０３８９】
なお、本実施の形態１１にかかる調節機能付きの姿勢補整用ロングガードル６５は、調節機能付き接続具が取付けられている点及び羽根部材の形状が異なる点以外は、図７及び図８に示される実施の形態１の第１変形例にかかる姿勢補整用ロングガードル１１と同様であるため、同一部分には同一の符号を付して一部説明を省略する。
【０３９０】
図２５及び図２６に示されるように、本実施の形態１１にかかる姿勢補整用下着としての調節機能付きの姿勢補整用ロングガードル６５は、伸縮性を有する生地としてのパワーネット生地からなる下着本体としてのロングガードル本体２、伸縮性を有する生地としてのパワーネット生地からなるヨーク部材６、伸縮性を有する生地としてのパワーネット生地からなる羽根部材５Ｅ、及び１組の調節機能付き接続具６６Ａ，６６Ｂによって構成されている。
【０３９１】
したがって、ロングガードル本体２は、本発明における「着用者の股下に当接する股部を有する下着本体」に相当する。また、本実施の形態１１にかかる姿勢補整用ロングガードル６５は、「下着本体と、下着本体の裏側に縫付けられたヨーク部材と、略Ｙ字形の伸縮性を有する生地からなる羽根部材とを具備する姿勢補整用下着」に相当し、下着本体２及びヨーク部材６が伸縮性を有する生地からなるものである。
【０３９２】
さらに、図２６（ａ）に示されるように、１組の調節機能付き接続具６６Ａ，６６Ｂは、ロングガードル本体２の裏側の前中心切替布３ａに縫付けられた３段の接続位置に取付けられた２個ずつのメンカン６６ａを有する雌側接続具６６Ａと、羽根部材５Ｅの分岐していない側５Ｅｄに縫付けられた２個のカギホック６６ｂを有する雄側接続具６６Ｂとからなり、２個のカギホック６６ｂをどの接続位置の２個のメンカン６６ａに係合させるかを選択できる。
【０３９３】
したがって、１組の調節機能付き接続具６６Ａ，６６Ｂは、本発明における「羽根部材の分岐していない側と、下着本体の裏側の前部とに取付けられた複数の接続位置を選択できる１組の調節機能付き接続具」に相当する。
【０３９４】
羽根部材５Ｅは、上記羽根部材５，５Ｃと同様に、二枚のパワーネット生地を袋縫いしてなるものであり、図２５（ｄ），図２６（ａ），（ｂ）に示されるように、１対の分岐部分５Ｅａ，５Ｅｂがステッチ縫い５Ｅｉによって、ヨーク部材６の下に縫付けられている。
【０３９５】
一方、図２６（ａ）に示されるように、羽根部材５Ｅの分岐していない側５Ｅｄの端５Ｅｅはロングガードル本体２の裏側の前部に縫付けられておらず、分岐していない側５Ｅｄに縫付けられた雄側接続具６６Ｂの２個のカギホック６６ｂを、ロングガードル本体２の裏側の前中心切替布３ａに縫付けられた雌側接続具６６Ａのどの接続位置の２個のメンカン６６ａに係合させるかによって、羽根部材５Ｅの引っ張り力を最適に調節することができる。
【０３９６】
図２６（ｂ）においては、最上段の２個のメンカン６６ａに雄側接続具６６Ｂの２個のカギホック６６ｂを係合させた状態が示されており、したがって最も羽根部材５Ｅの引っ張り力が大きく調節されている。そして、羽根部材５Ｅは１対の分岐部分５Ｅａ，５Ｅｂがステッチ縫い５Ｅｉによってヨーク部材６の下に縫付けられた端（縫い止まり点）５Ｅｋと、２個のカギホック６６ｂと２個のメンカン６６ａとが係合した部分との間においては、固定されておらずフリーの状態になっている。
【０３９７】
図２５（ｄ），図２６に示されるように、１対の分岐部分５Ｅａ，５Ｅｂの内側におけるステッチ縫い５Ｅｉの縫い止まり点５Ｅｋは、羽根部材５Ｅの分岐点５Ｅｃから約７ｃｍ（６．５ｃｍ〜７．５ｃｍ）離れており、１対の分岐部分５Ｅａ，５Ｅｂの外側におけるステッチ縫い５Ｅｉの縫い止まり点５Ｅｋは、内側のステッチ縫い５Ｅｉの縫い止まり点とほぼ対応する位置にあって、少なくとも着用者の肛門の位置ＨＣＰよりは上方にある。
【０３９８】
そして、羽根部材５Ｅは、姿勢補整用ロングガードル６５を着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．３ｃｍ〜１．７ｃｍ）離れた点）に位置するように縫付けられている。
【０３９９】
これによって、本実施の形態１１にかかる姿勢補整用ロングガードル６５を着用することによって、羽根部材５Ｅには伸縮性による引っ張り力がかかり、着用者の肛門が最適の引っ張り力で効果的に引き締められて骨盤を安定させる力が強くなり、背筋が伸びるので、正しい姿勢で座り、正しい姿勢で立ち、正しい姿勢で歩くことができる。また、肛門が引き締められると臀部に左右１対の笑窪様の小さい窪みが生じ、これらの小さい窪みの位置する点ＨＥＰがヨーク部材６を介して羽根部材５Ｅによって押えられるため、着用者の臀部が引き締まって小尻になるとともにヒップアップの効果が得られる。
【０４００】
また、本実施の形態１１にかかる姿勢補整用ロングガードル６５においては、羽根部材５Ｅの１対の分岐部分５Ｅａ，５Ｅｂがヨーク部材６の下に縫付けられており、１対の分岐部分５Ｅａ，５Ｅｂはヨーク部材６を介して着用者に当接するので穿き心地が向上するという利点が得られる。
【０４０１】
このようにして、本実施の形態１１にかかる姿勢補整用ロングガードル６５においては、意識しなくてもズボン・パンツやスカート等の衣服の下に着用するだけで、最適な引っ張り力で肛門が引き締められて正しい姿勢をとることができ、さらに着用して歩行するだけで正しい歩き方をすることができるとともに、小尻になってヒップアップの効果も得られて美しいプロポーションを得ることができ、穿き心地も良い。
【０４０２】
なお、本実施の形態１１にかかる姿勢補整用ロングガードル６５においては、上記実施の形態１の第１変形例にかかる姿勢補整用ロングガードル１１に１組の調節機能付き接続具６６Ａ，６６Ｂを適用した場合について説明したが、上記実施の形態１にかかる姿勢補整用ロングガードル１、または上記実施の形態１の第２変形例にかかる姿勢補整用ロングガードル１３に、同様に１組の調節機能付き接続具６６Ａ，６６Ｂを適用することもできる。
【０４０３】
また、本実施の形態１１においては、３段の位置に２個ずつのメンカン６６ａを取付けた雌側接続具６６Ａと、その２個ずつのメンカン６６ａのいずれにも係合する２個のカギホック６６ｂを有する雄側接続具６６Ｂとを組にした調節機能付き接続具６６Ａ，６６Ｂについて説明したが、メンカン６６ａの段数や個数及びカギホック６６ｂの個数については、これに限定されるものではない。
【０４０４】
さらに、調節機能付き接続具としては、他にも複数の位置に凹側のホックを取付けたものとその複数の凹側のホックのいずれにも嵌合する凸側のホックを布地に取付けたものとを組にしたもの、複数の位置に凹側のドット釦を取付けたものとその複数の凹側のドット釦のいずれにも嵌合する凸側のドット釦を布地に取付けたものとを組にしたもの、一組の接続布（マジックテープ（登録商標））、複数の位置に凹側のスプリングホックを取付けたものとその複数の凹側のスプリングホックのいずれにも嵌合する凸側のスプリングホックを布地に取付けたものとを組にしたもの、等をも用いることができる。
【０４０５】
また、本実施の形態１１においては、ヨーク部材６が姿勢補整用ロングガードル６５のロングガードル本体２の裏側の背面のほぼ全体からさらに両脇部を巻いて前面の一部までを覆っている例について説明したが、ヨーク部材６はロングガードル本体２の裏側の少なくとも臀部を覆うものであれば良く、ロングガードル本体２の裏側の背面全体を覆うものでも、ロングガードル本体２の裏側の臀部のみ、または臀部及びその周辺を覆うものでも構わない。
【０４０６】
実施の形態１２
次に、本発明の実施の形態１２にかかる姿勢補整用下着としての調節機能付きの姿勢補整用ショートガードルについて、図２７を参照して説明する。図２７（ａ）は本発明の実施の形態１２にかかる姿勢補整用下着としての調節機能付きの姿勢補整用ショートガードルの全体構成を示す正面図、（ｂ）は背面図、（ｃ）は本発明の実施の形態１２にかかる調節機能付きの姿勢補整用ショートガードルを裏返した状態の全体構成を示す正面図、（ｄ）は背面図である。
【０４０７】
なお、本実施の形態１２にかかる調節機能付きの姿勢補整用ショートガードル６８は、調節機能付き接続具が取付けられている点及び羽根部材の形状が異なる点以外は、図１１に示される実施の形態２にかかる姿勢補整用ショートガードル１５と同様であるため、同一部分には同一の符号を付して一部説明を省略する。
【０４０８】
図２７に示されるように、本実施の形態１２にかかる姿勢補整用下着としての姿勢補整用ショートガードル６８は、伸縮性を有する生地としてのパワーネット生地からなる下着本体としてのショートガードル本体１６、伸縮性を有する生地としてのパワーネット生地からなるヨーク部材１８、伸縮性を有する生地としてのパワーネット生地からなる羽根部材５Ｅ、及び１組の調節機能付き接続具６６Ａ，６６Ｂによって構成されている。
【０４０９】
したがって、ショートガードル本体１６は、本発明における「着用者の股下に当接する股部を有する下着本体」に相当する。また、本実施の形態１２にかかる姿勢補整用ショートガードル６８は、「下着本体と、下着本体の裏側に縫付けられたヨーク部材と、略Ｙ字形の伸縮性を有する生地からなる羽根部材とを具備する姿勢補整用下着」に相当し、下着本体１６及びヨーク部材１８が伸縮性を有する生地からなるものである。
【０４１０】
さらに、図２７（ｃ）に示されるように、１組の調節機能付き接続具６６Ａ，６６Ｂは、ショートガードル本体１６の裏側の前中心切替布１６ａに縫付けられた３段の接続位置に取付けられた２個ずつのメンカン６６ａを有する雌側接続具６６Ａと、羽根部材５Ｅの分岐していない側５Ｅｄに縫付けられた２個のカギホック６６ｂを有する雄側接続具６６Ｂとからなり、２個のカギホック６６ｂをどの接続位置の２個のメンカン６６ａに係合させるかを選択できる。
【０４１１】
したがって、１組の調節機能付き接続具６６Ａ，６６Ｂは、本発明における「羽根部材の分岐していない側と、下着本体の裏側の前部とに取付けられた複数の接続位置を選択できる１組の調節機能付き接続具」に相当する。
【０４１２】
羽根部材５Ｅは、前述の如く、二枚のパワーネット生地を袋縫いしてなるものであり、図２７（ｄ）に示されるように、１対の分岐部分５Ｅａ，５Ｅｂがステッチ縫い５Ｅｉによって、ヨーク部材１８の下に縫付けられている。一方、図２７（ｃ）に示されるように、羽根部材５Ｅの分岐していない側５Ｅｄの端５Ｅｅはショートガードル本体１６の裏側の前部に縫付けられておらず、分岐していない側５Ｅｄに縫付けられた雄側接続具６６Ｂの２個のカギホック６６ｂを、ショートガードル本体１６の裏側の前中心切替布１６ａに縫付けられた雌側接続具６６Ａのどの接続位置の２個のメンカン６６ａに係合させるかによって、羽根部材５Ｅの引っ張り力を最適に調節することができる。
【０４１３】
図２７（ｃ）においては、最下段の２個のメンカン６６ａに雄側接続具６６Ｂの２個のカギホック６６ｂを係合させた状態が示されており、したがって最も羽根部材５Ｅの引っ張り力が小さく調節されている。そして、羽根部材５Ｅは１対の分岐部分５Ｅａ，５Ｅｂがステッチ縫い５Ｅｉによってヨーク部材１８の下に縫付けられた端（縫い止まり点）５Ｅｋと、２個のカギホック６６ｂと２個のメンカン６６ａとが係合した部分との間においては、固定されておらずフリーの状態になっている。
【０４１４】
図２７（ｄ）に示されるように、１対の分岐部分５Ｅａ，５Ｅｂの内側におけるステッチ縫い５Ｅｉの縫い止まり点５Ｅｋは、羽根部材５Ｅの分岐点５Ｅｃから約７ｃｍ（６．５ｃｍ〜７．５ｃｍ）離れており、１対の分岐部分５Ｅａ，５Ｅｂの外側におけるステッチ縫い５Ｅｉの縫い止まり点５Ｅｋは、内側のステッチ縫い５Ｅｉの縫い止まり点とほぼ対応する位置にあって、少なくとも着用者の肛門の位置ＨＣＰよりは上方にある。
【０４１５】
そして、羽根部材５Ｅは、姿勢補整用ショートガードル６８を着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．３ｃｍ〜１．７ｃｍ）離れた点）に位置するように縫付けられている。
【０４１６】
これによって、本実施の形態１２にかかる姿勢補整用ショートガードル６８を着用することによって、羽根部材５Ｅには伸縮性による引っ張り力がかかり、着用者の肛門が最適の引っ張り力で効果的に引き締められて骨盤を安定させる力が強くなり、背筋が伸びるので、正しい姿勢で座り、正しい姿勢で立ち、正しい姿勢で歩くことができる。また、肛門が引き締められると臀部に左右１対の笑窪様の小さい窪みが生じ、これらの小さい窪みの位置する点ＨＥＰがヨーク部材１８を介して羽根部材５Ｅによって押えられるため、着用者の臀部が引き締まって小尻になるとともにヒップアップの効果が得られる。
【０４１７】
また、本実施の形態１２にかかる姿勢補整用ショートガードル６８においては、羽根部材５Ｅの１対の分岐部分５Ｅａ，５Ｅｂがヨーク部材１８の下に縫付けられており、１対の分岐部分５Ｅａ，５Ｅｂはヨーク部材１８を介して着用者に当接するので穿き心地が向上するという利点が得られる。
【０４１８】
このようにして、本実施の形態１２にかかる姿勢補整用ショートガードル６８においては、意識しなくてもズボン・パンツやスカート等の衣服の下に着用するだけで、最適な引っ張り力で肛門が引き締められて正しい姿勢をとることができ、さらに着用して歩行するだけで正しい歩き方をすることができるとともに、小尻になってヒップアップの効果も得られて美しいプロポーションを得ることができ、穿き心地も良い。
【０４１９】
なお、本実施の形態１２にかかる姿勢補整用ショートガードル６８においては、上記実施の形態２にかかる姿勢補整用ショートガードル１５（羽根部材がヨーク部材１８の下に縫付けられたもの）に１組の調節機能付き接続具６６Ａ，６６Ｂを適用した場合について説明したが、羽根部材がヨーク部材１８の上に縫付けられた姿勢補整用ショートガードル、またはヨーク部材１８を用いずに羽根部材がショートガードル本体１６の裏側に直接縫付けられた姿勢補整用ショートガードルに、同様に１組の調節機能付き接続具６６Ａ，６６Ｂを適用することもできる。
【０４２０】
また、本実施の形態１２においては、３段の位置に２個ずつのメンカン６６ａを取付けた雌側接続具６６Ａと、その２個ずつのメンカン６６ａのいずれにも係合する２個のカギホック６６ｂを有する雄側接続具６６Ｂとを組にした調節機能付き接続具６６Ａ，６６Ｂについて説明したが、メンカン６６ａの段数や個数及びカギホック６６ｂの個数については、これに限定されるものではない。
【０４２１】
さらに、調節機能付き接続具としては、他にも複数の位置に凹側のホックを取付けたものとその複数の凹側のホックのいずれにも嵌合する凸側のホックを布地に取付けたものとを組にしたもの、複数の位置に凹側のドット釦を取付けたものとその複数の凹側のドット釦のいずれにも嵌合する凸側のドット釦を布地に取付けたものとを組にしたもの、一組の接続布（マジックテープ（登録商標））、複数の位置に凹側のスプリングホックを取付けたものとその複数の凹側のスプリングホックのいずれにも嵌合する凸側のスプリングホックを布地に取付けたものとを組にしたもの、等をも用いることができる。
【０４２２】
また、本実施の形態１２においては、ヨーク部材１８が姿勢補整用ショートガードル６８のショートガードル本体１６の裏側の背面のほぼ全体を覆っている例について説明したが、ヨーク部材１８はショートガードル本体１６の裏側の少なくとも臀部を覆うものであれば良く、ショートガードル本体１６の裏側の背面全体からさらに両脇部を巻いて前面の一部までを覆うものでも、ショートガードル本体１６の裏側の臀部のみ、または臀部及びその周辺を覆うものでも構わない。
【０４２３】
実施の形態１３
次に、本発明の実施の形態１３にかかる姿勢補整用下着としての調節機能付きの姿勢補整用サポーターについて、図２８を参照して説明する。
【０４２４】
図２８（ａ）は本発明の実施の形態１３にかかる姿勢補整用下着としての調節機能付きの姿勢補整用サポーターの全体構成を示す正面図、（ｂ）は背面図、（ｃ）は本発明の実施の形態１３にかかる調節機能付きの姿勢補整用サポーターを裏返した状態の全体構成を示す正面図、（ｄ）は背面図、（ｅ）は本発明の実施の形態１３にかかる調節機能付きの姿勢補整用サポーターに用いられる羽根部材の構造を示す図である。
【０４２５】
図２８に示されるように、本実施の形態１３にかかる姿勢補整用下着としての姿勢補整用サポーター７０は、伸縮性を有する生地としてのパワーネット生地からなる下着本体としての腹巻き状のサポーター本体７１、伸縮性を有する生地としてのパワーネット生地からなる略Ｘ字形の羽根部材７２、及び２組の調節機能付き接続具７３Ａ，７３Ｂによって構成されている。
【０４２６】
したがって、サポーター本体７１は、本発明における「着用者の股下に当接する股部を有しない下着本体」に相当する。また、本実施の形態１３にかかる姿勢補整用サポーター７０は、「下着本体と、略Ｘ字形の伸縮性を有する生地からなる羽根部材とを具備する姿勢補整用下着」に相当し、下着本体７１が伸縮性を有する生地からなるものである。
【０４２７】
さらに、図２８（ｃ）に示されるように、２組の調節機能付き接続具７３Ａ，７３Ｂは、サポーター本体７１の裏側の左右前部に縫付けられた２段の接続位置に取付けられた２個ずつの凹側ドット釦７３ａを有する２組の雌側接続具７３Ａと、羽根部材７２の１対の前部分岐部分７２ｄ，７２ｅの先端にそれぞれ縫付けられた２個の凸側ドット釦７３ｂを有する２組の雄側接続具７３Ｂとからなり、各２個の凸側ドット釦７３ｂをそれぞれどの接続位置の２個の凹側ドット釦７３ａに嵌合させるかを選択できる。
【０４２８】
したがって、２組の調節機能付き接続具７３Ａ，７３Ｂは、本発明における「羽根部材の１対の前部分岐部分と、下着本体の裏側の前部とに取付けられた複数の接続位置を選択できる２組の調節機能付き接続具」に相当する。
【０４２９】
羽根部材７２は、図６（ｂ）に示される羽根部材５Ｎと同様に、一枚のパワーネット生地の縁を裁ちかがり縫いしてなるものであり、図２８（ｄ）に示されるように、１対の分岐部分７２ａ，７２ｂがステッチ縫い７２ｉによって、サポーター本体７１の臀部裏側に直接縫付けられている。一方、図２８（ｃ）に示されるように、羽根部材７２の１対の前部分岐部分７２ｄ，７２ｅはサポーター本体７１の裏側の前部に縫付けられておらず、羽根部材７２の１対の前部分岐部分７２ｄ，７２ｅに縫付けられた２組の雄側接続具７３Ｂの各２個の凸側ドット釦７３ｂを、サポーター本体７１の裏側の左右前部に縫付けられた２組の雌側接続具７３Ａのどの接続位置の各２個の凹側ドット釦７３ａに嵌合させるかによって、羽根部材７２の引っ張り力を最適に調節することができる。
【０４３０】
図２８（ｃ）においては、上段の各２個の凹側ドット釦７３ａに２組の雄側接続具７３Ｂの各２個の凸側ドット釦７３ｂを嵌合させた状態が示されており、したがって最も羽根部材７２の引っ張り力が大きく調節されている。そして、羽根部材７２は１対の分岐部分７２ａ，７２ｂがステッチ縫い７２ｉによってサポーター本体７１の臀部裏側に縫付けられた端（縫い止まり点）と、各２個の凹側ドット釦７３ａと各２個の凸側ドット釦７３ｂとが嵌合した部分との間においては、固定されておらずフリーの状態になっている。
【０４３１】
図２８（ｄ）に示されるように、１対の分岐部分７２ａ，７２ｂの内側におけるステッチ縫い７２ｉの縫い止まり点は、羽根部材７２の分岐点７２ｃから約７ｃｍ（６．５ｃｍ〜７．５ｃｍ）離れており、１対の分岐部分７２ａ，７２ｂの外側におけるステッチ縫い７２ｉの縫い止まり点は、内側のステッチ縫い７２ｉの縫い止まり点とほぼ対応する位置にあって、少なくとも着用者の肛門の位置ＨＣＰよりは上方にある。
【０４３２】
そして、羽根部材７２は、姿勢補整用サポーター７０を着用したときに、着用者の肛門の位置ＨＣＰが１対の分岐部分７２ａ，７２ｂの間の分岐点７２ｃの近傍（分岐点７２ｃから約１．５ｃｍ（１．３ｃｍ〜１．７ｃｍ）離れた点）に位置するように縫付けられている。
【０４３３】
これによって、本実施の形態１３にかかる姿勢補整用サポーター７０を着用することによって、羽根部材７２には伸縮性による引っ張り力がかかり、着用者の肛門が最適の引っ張り力で効果的に引き締められて骨盤を安定させる力が強くなり、背筋が伸びるので、正しい姿勢で座り、正しい姿勢で立ち、正しい姿勢で歩くことができる。また、肛門が引き締められると臀部に左右１対の笑窪様の小さい窪みが生じ、これらの小さい窪みの位置する点ＨＥＰがサポーター本体７１を介して羽根部材７２によって押えられるため、着用者の臀部が引き締まって小尻になるとともにヒップアップの効果が得られる。
【０４３４】
さらに、伸縮性を有する生地からなる羽根部材７２の１対の前部分岐部分７２ｄ，７２ｅがサポーター本体７１の前部に固定されるため、肛門を引き締める効果が向上するとともにヒップアップの効果をも得ることができる。また、本実施の形態１３にかかる姿勢補整用サポーター７０を男性用下着に適用した場合には、１対の前部分岐部分７２ｄ，７２ｅの間が開いているので、排尿時に姿勢補整用サポーター７０を一々脱ぐ必要がないという利点も得られる。
【０４３５】
このようにして、本実施の形態１３にかかる姿勢補整用サポーター７０においては、意識しなくてもズボン・パンツやスカート等の衣服の下に着用するだけで、最適な引っ張り力で肛門が引き締められて正しい姿勢をとることができ、さらに着用して歩行するだけで正しい歩き方をすることができるとともに、小尻になってヒップアップの効果も得られて美しいプロポーションを得ることができ、男性用の姿勢補整用下着としても使い勝手が良いものとなる。
【０４３６】
なお、本実施の形態１３においては、２段の位置に２個ずつの凹側ドット釦７３ａを取付けた雌側接続具７３Ａと、その２個ずつの凹側ドット釦７３ａのいずれにも嵌合する２個の凸側ドット釦７３ｂを有する雄側接続具７３Ｂとを組にした調節機能付き接続具７３Ａ，７３Ｂについて説明したが、凹側ドット釦７３ａの段数や個数及び凸側ドット釦７３ｂの個数については、これに限定されるものではない。
【０４３７】
さらに、調節機能付き接続具としては、他にも複数の位置に凹側のホックを取付けたものとその複数の凹側のホックのいずれにも嵌合する凸側のホックを布地に取付けたものとを組にしたもの、複数の位置にメンカンを取付けたものとその複数のメンカンのいずれにも嵌合するカギホックを布地に取付けたものとを組にしたもの、一組の接続布（マジックテープ（登録商標））、複数の位置に凹側のスプリングホックを取付けたものとその複数の凹側のスプリングホックのいずれにも嵌合する凸側のスプリングホックを布地に取付けたものとを組にしたもの、等をも用いることができる。
【０４３８】
実施の形態１４
次に、本発明の実施の形態１４にかかる姿勢補整用下着としての調節機能付きの姿勢補整用サポーターについて、図２９を参照して説明する。図２９（ａ）は本発明の実施の形態１４にかかる姿勢補整用下着としての調節機能付きの姿勢補整用サポーターの全体構成を示す正面図、（ｂ）は背面図、（ｃ）は本発明の実施の形態１４にかかる調節機能付きの姿勢補整用サポーターを裏返した状態の全体構成を示す正面図、（ｄ）は背面図である。
【０４３９】
図２９に示されるように、本実施の形態１４にかかる姿勢補整用下着としての姿勢補整用サポーター７５は、伸縮性を有する生地としてのパワーネット生地からなる下着本体としての腹巻き状のサポーター本体７６、伸縮性を有する生地としてのパワーネット生地からなる略Ｙ字形の羽根部材５Ｅ、及び１組の調節機能付き接続具７７Ａ，７７Ｂによって構成されている。
【０４４０】
したがって、サポーター本体７６は、本発明における「着用者の股下に当接する股部を有しない下着本体」に相当する。また、本実施の形態１４にかかる姿勢補整用サポーター７５は、「下着本体と、略Ｙ字形の伸縮性を有する生地からなる羽根部材とを具備する姿勢補整用下着」に相当し、下着本体７６が伸縮性を有する生地からなるものである。
【０４４１】
さらに、図２９（ａ）に示されるように、１組の調節機能付き接続具７７Ａ，７７Ｂは、サポーター本体７６の股部突出部７６ａの表側に縫付けられた３段の接続位置に取付けられた２個ずつの凹側ホック７７ａを有する雌側接続具７７Ａと、羽根部材５Ｅの分岐していない側５Ｅｄに縫付けられた２個の凸側ホック７７ｂを有する雄側接続具７７Ｂとからなり、２個の凸側ホック７７ｂをどの接続位置の２個の凹側ホック７７ａに嵌合させるかを選択できる。
【０４４２】
したがって、１組の調節機能付き接続具７７Ａ，７７Ｂは、本発明における「羽根部材の分岐していない側と、下着本体の表側の前部とに取付けられた複数の接続位置を選択できる１組の調節機能付き接続具」に相当する。
【０４４３】
羽根部材５Ｅは、前述の如く、二枚のパワーネット生地を袋縫いしてなるものであり、図２９（ｄ）に示されるように、１対の分岐部分５Ｅａ，５Ｅｂがステッチ縫い５Ｅｉによって、サポーター本体７６の臀部裏側に直接縫付けられている。一方、図２９（ａ）に示されるように、羽根部材５Ｅの分岐していない側５Ｅｄはサポーター本体７６の表側の前部に縫付けられておらず、羽根部材５Ｅの分岐していない側５Ｅｄに縫付けられた雄側接続具７７Ｂの２個の凸側ホック７７ｂを、サポーター本体７６の股部突出部７６ａの表側に縫付けられた雌側接続具７７Ａのどの接続位置の２個の凹側ホック７７ａに嵌合させるかによって、羽根部材５Ｅの引っ張り力を最適に調節することができる。
【０４４４】
図２９（ｃ）においては、中段の２個の凹側ホック７７ａに雄側接続具７７Ｂの２個の凸側ホック７７ｂを嵌合させた状態が示されており、したがって羽根部材５Ｅの引っ張り力が中ぐらいに調節されている。そして、羽根部材５Ｅは１対の分岐部分５Ｅａ，５Ｅｂがステッチ縫い５Ｅｉによってサポーター本体７６の臀部裏側に縫付けられた端（縫い止まり点）と、２個の凹側ホック７７ａと２個の凸側ホック７７ｂとが嵌合した部分との間においては、固定されておらずフリーの状態になっている。
【０４４５】
図２９（ｄ）に示されるように、１対の分岐部分５Ｅａ，５Ｅｂの内側におけるステッチ縫い５Ｅｉの縫い止まり点は、羽根部材５Ｅの分岐点５Ｅｃから約７ｃｍ（６．５ｃｍ〜７．５ｃｍ）離れており、１対の分岐部分５Ｅａ，５Ｅｂの外側におけるステッチ縫い５Ｅｉの縫い止まり点は、内側のステッチ縫い５Ｅｉの縫い止まり点とほぼ対応する位置にあって、少なくとも着用者の肛門の位置ＨＣＰよりは上方にある。
【０４４６】
そして、羽根部材５Ｅは、姿勢補整用サポーター７５を着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．３ｃｍ〜１．７ｃｍ）離れた点）に位置するように縫付けられている。
【０４４７】
これによって、本実施の形態１４にかかる姿勢補整用サポーター７５を着用することによって、羽根部材５Ｅには伸縮性による引っ張り力がかかり、着用者の肛門が最適の引っ張り力で効果的に引き締められて骨盤を安定させる力が強くなり、背筋が伸びるので、正しい姿勢で座り、正しい姿勢で立ち、正しい姿勢で歩くことができる。また、肛門が引き締められると臀部に左右１対の笑窪様の小さい窪みが生じ、これらの小さい窪みの位置する点ＨＥＰがサポーター本体７６を介して羽根部材５Ｅによって押えられるため、着用者の臀部が引き締まって小尻になるとともにヒップアップの効果が得られる。
【０４４８】
このようにして、本実施の形態１４にかかる姿勢補整用サポーター７５においては、意識しなくてもズボン・パンツやスカート等の衣服の下に着用するだけで、最適な引っ張り力で肛門が引き締められて正しい姿勢をとることができ、さらに着用して歩行するだけで正しい歩き方をすることができるとともに、小尻になってヒップアップの効果も得られて美しいプロポーションを得ることができる。
【０４４９】
なお、本実施の形態１４においては、３段の位置に２個ずつの凹側ホック７７ａを取付けた雌側接続具７７Ａと、その２個ずつの凹側ホック７７ａのいずれにも嵌合する２個の凸側ホック７７ｂを有する雄側接続具７７Ｂとを組にした調節機能付き接続具７７Ａ，７７Ｂについて説明したが、凹側ホック７７ａの段数や個数及び凸側ホック７７ｂの個数については、これに限定されるものではない。
【０４５０】
さらに、調節機能付き接続具としては、他にも複数の位置に凹側のドット釦を取付けたものとその複数の凹側のドット釦のいずれにも嵌合する凸側のドット釦を布地に取付けたものとを組にしたもの、複数の位置にメンカンを取付けたものとその複数のメンカンのいずれにも嵌合するカギホックを布地に取付けたものとを組にしたもの、一組の接続布（マジックテープ（登録商標））、複数の位置に凹側のスプリングホックを取付けたものとその複数の凹側のスプリングホックのいずれにも嵌合する凸側のスプリングホックを布地に取付けたものとを組にしたもの、等をも用いることができる。
【０４５１】
実施の形態１５
次に、本発明の実施の形態１５にかかる姿勢補整用下着としての調節機能付きの姿勢補整用ボディースーツについて、図３０を参照して説明する。図３０（ａ）は本発明の実施の形態１５にかかる姿勢補整用下着としての調節機能付きの姿勢補整用ボディースーツの全体構成を示す正面図、（ｂ）は背面図、（ｃ）は姿勢補整用ボディースーツの股部を外した状態を示す部分拡大図である。
【０４５２】
なお、本実施の形態１５にかかる姿勢補整用下着としての調節機能付きの姿勢補整用ボディースーツの下着本体としてのボディースーツ本体については、上記実施の形態９にかかる姿勢補整用ボディースーツ５５と同様であるので、同一の部分には同一の符号を付して、一部説明を省略する。
【０４５３】
図３０に示されるように、本実施の形態１５にかかる姿勢補整用下着としての姿勢補整用ボディースーツ８０は、伸縮性を有する生地としてのサテンネット（ストレッチサテン）生地からなる下着本体としてのボディースーツ本体５６、伸縮性を有する生地としてのパワーネット生地からなるヨーク部材５７、同じく伸縮性を有する生地としてのパワーネット生地からなる羽根部材５８、及び１組の調節機能付き接続具８１Ａ，８１Ｂによって構成されている。
【０４５４】
図３０（ａ），（ｂ）に示されるように、ボディースーツ本体５６は胸・胴回りから股下までを覆う形状のもので、図３０（ｃ）に示されるように、１組の調節機能付き接続具８１Ａ，８１Ｂは、ボディースーツ本体５６の前部下端の表側に縫付けられた、３段の接続位置に取付けられた３個ずつの凹側ホック８１ａを有する雌側接続具８１Ａと、ボディースーツ本体５６の後部下端の股下マチ布５６ａの裏側に縫付けられた羽根部材５Ｅの分岐していない側５Ｅｄに縫付けられた、３個の凸側ホック８１ｂを有する雄側接続具８１Ｂとからなり、３個の凸側ホック８１ｂをどの接続位置の３個の凹側ホック８１ａに嵌合させるかを選択できる。
【０４５５】
そして、図３０（ａ），（ｂ）に示されるように、このように股下マチ布５６ａの裏側に羽根部材５Ｅの分岐していない側５Ｅｄの先端５Ｅｅがステッチ縫い５Ｅｈによって縫付けられ、１対の分岐部分５Ｅａ，５Ｅｂが、ボディースーツ本体５６の裏側に縫付けられたヨーク部材５７の下側にステッチ縫い５Ｅｉによって縫付けられることによって羽根部材５Ｅが縫付けられている。本実施の形態１５にかかる姿勢補整用ボディースーツ８０に用いられる羽根部材５Ｅは、前述の如く、二枚のパワーネット生地を袋縫いしてなるものである。
【０４５６】
したがって、ボディースーツ本体５６は、本発明における「着用者の股下に当接する股部を有する下着本体」に相当する。また、本実施の形態１５にかかる姿勢補整用ボディースーツ８０は、「下着本体と、下着本体の裏側に縫付けられたヨーク部材と、略Ｙ字形の伸縮性を有する生地からなる羽根部材とを具備する姿勢補整用下着」に相当し、下着本体５６及びヨーク部材５７が伸縮性を有する生地からなるものである。また、１組の調節機能付き接続具８１Ａ，８１Ｂは、本発明における「羽根部材の分岐していない側と、下着本体の表側の前部とに取付けられた複数の接続位置を選択できる１組の調節機能付き接続具」に相当する。
【０４５７】
即ち、本実施の形態１５にかかる姿勢補整用ボディースーツ８０においては、羽根部材５Ｅの分岐していない側５Ｅｄに縫付けられた雄側接続具８１Ｂの３個の凸側ホック８１ｂを、ボディースーツ本体５６の前部下端の表側に縫付けられた雌側接続具８１Ａのどの接続位置の３個の凹側ホック８１ａに嵌合させるかによって、羽根部材５Ｅの引っ張り力を最適に調節することができる。図３０（ａ）においては、雄側接続具８１Ｂの３個の凸側ホック８１ｂが雌側接続具８１Ａの中段の３個の凹側ホック８１ａに嵌合した状態が示されている。
【０４５８】
一方、羽根部材５Ｅは、ステッチ縫い５Ｅｈによって分岐していない側５Ｅｄの先端５Ｅｅが股下マチ布５６ａの前部に縫付けられた部分と、ステッチ縫い５Ｅｉによってヨーク部材５７の下に縫付けられた部分との間は縫付けられておらず、フリーの状態になっている。
【０４５９】
１対の分岐部分５Ｅａ，５Ｅｂの内側におけるステッチ縫い５Ｅｉの縫い止まり点５Ｅｋは、羽根部材５Ｅの分岐点５Ｅｃから約７ｃｍ（６．５ｃｍ〜７．５ｃｍ）離れており、１対の分岐部分５Ｅａ，５Ｅｂの外側におけるステッチ縫い５Ｅｉの縫い止まり点５Ｅｋは、内側のステッチ縫い５Ｅｉの縫い止まり点とほぼ対応する位置にあって、少なくとも着用者の肛門の位置ＨＣＰよりは上方にある。
【０４６０】
そして、図３０（ｂ）に示されるように、羽根部材５Ｅは、姿勢補整用ボディースーツ８０を着用したときに、着用者の肛門の位置ＨＣＰが１対の分岐部分５Ｅａ，５Ｅｂの間の分岐点５Ｅｃの近傍（分岐点５Ｅｃから約１．５ｃｍ（１．３ｃｍ〜１．７ｃｍ）離れた位置）にくるように縫付けられている。
【０４６１】
これによって、本実施の形態１５にかかる姿勢補整用ボディースーツ８０を着用することによって、羽根部材５Ｅには伸縮性による引っ張り力がかかり、着用者の肛門が最適の引っ張り力で効果的に引き締められて骨盤を安定させる力が強くなり、背筋が伸びるので、正しい姿勢で座り、正しい姿勢で立ち、正しい姿勢で歩くことができる。また、肛門が引き締められると臀部に左右１対の笑窪様の小さい窪みが生じ、これらの小さい窪みの位置する点ＨＥＰがヨーク部材５７を介して羽根部材５Ｅによって押えられるため、着用者の臀部が引き締まって小尻になるとともにヒップアップの効果が得られる。
【０４６２】
さらに、本実施の形態１５にかかる姿勢補整用ボディースーツ８０においては、羽根部材５Ｅの１対の分岐部分５Ｅａ，５Ｅｂがヨーク部材５７の下に縫付けられているため、着用するときに羽根部材５Ｅの１対の分岐部分５Ｅａ，５Ｅｂがヨーク部材５７を介して着用者に当接するので、穿き心地が向上するという利点が得られる。
【０４６３】
このようにして、本実施の形態１５にかかる姿勢補整用ボディースーツ８０においては、意識しなくてもズボン・パンツやスカート等の衣服の下に着用するだけで、最適な引っ張り力で肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０４６４】
なお、本実施の形態１５にかかる姿勢補整用ボディースーツ８０においては、上記実施の形態９にかかる姿勢補整用ボディースーツ５５（羽根部材がヨーク部材５７の下に縫付けられたもの）に１組の調節機能付き接続具８１Ａ，８１Ｂを適用した場合について説明したが、羽根部材がヨーク部材５７の上に縫付けられた姿勢補整用ボディースーツ、またはヨーク部材５７を用いずに羽根部材がボディースーツ本体５６の裏側に直接縫付けられた姿勢補整用ボディースーツに、同様に１組の調節機能付き接続具８１Ａ，８１Ｂを適用することもできる。
【０４６５】
また、本実施の形態１５においては、３段の位置に３個ずつの凹側ホック８１ａを取付けた雌側接続具８１Ａと、その３個ずつの凹側ホック８１ａのいずれにも嵌合する３個の凸側ホック８１ｂを有する雄側接続具８１Ｂとを組にした調節機能付き接続具８１Ａ，８１Ｂについて説明したが、凹側ホック８１ａの段数や個数及び凸側ホック８１ｂの個数については、これに限定されるものではない。
【０４６６】
さらに、調節機能付き接続具としては、他にも複数の位置に凹側のドット釦を取付けたものとその複数の凹側のドット釦のいずれにも嵌合する凸側のドット釦を布地に取付けたものとを組にしたもの、複数の位置にメンカンを取付けたものとその複数のメンカンのいずれにも嵌合するカギホックを布地に取付けたものとを組にしたもの、一組の接続布（マジックテープ（登録商標））、複数の位置に凹側のスプリングホックを取付けたものとその複数の凹側のスプリングホックのいずれにも嵌合する凸側のスプリングホックを布地に取付けたものとを組にしたもの、等をも用いることができる。
【０４６７】
また、本実施の形態１５においては、ヨーク部材５７が姿勢補整用ボディースーツ８０のボディースーツ本体５６のウエストから下の裏側の背面のほぼ全体を覆っている例について説明したが、ヨーク部材５７はボディースーツ本体５６の裏側の少なくとも臀部を覆うものであれば良く、ボディースーツ本体５６のウエストから下の裏側の背面全体からさらに両脇部を巻いて前面の一部まで覆うものでも、ボディースーツ本体５６の裏側の臀部のみ、または臀部及びその周辺を覆うものでも構わない。
【０４６８】
実施の形態１６
次に、本発明の実施の形態１６にかかる姿勢補整用ロングガードルについて、図３１を参照して説明する。
【０４６９】
図３１（ａ）は本発明の実施の形態１６にかかる姿勢補整用ロングガードルの全体構成を示す正面図、（ｂ）は背面図、（ｃ）は本発明の実施の形態１６にかかる姿勢補整用ロングガードルを裏返した場合の全体構成を示す正面図、（ｄ）は背面図、（ｅ）は本発明の実施の形態１６にかかる姿勢補整用ロングガードルの股下部分の内部構造を示す部分拡大図である。
【０４７０】
なお、本実施の形態１６にかかる姿勢補整用ロングガードルの構成は、一部を除いて上記実施の形態１の第２変形例にかかる図９に示される姿勢補整用ロングガードル１３と同様であるため、同一部分には図９と同一の符号を付して、一部説明を省略する。
【０４７１】
図３１（ａ）に示されるように、本実施の形態１６にかかる姿勢補整用下着としての姿勢補整用ロングガードル８３は、伸縮性を有する生地としてのパワーネットからなる下着本体としてのロングガードル本体２を中心に構成されており、ロングガードル本体２は脚部２Ａ，２Ｂを有する。また、図３１（ｂ）に示されるように、ロングガードル本体２の背面は後中心ＢＣにおいて縫付けられ、脚部２Ａ，２Ｂは後股切り替え線２Ｃにおいて縫付けられている。
【０４７２】
さらに、図３１（ｃ），（ｄ）に示されるように、姿勢補整用ロングガードル８３を裏返すと、ガードル本体２の裏側には伸縮性を有する生地としてのパワーネットからなる羽根部材５が、ロングガードル本体２に直接縫付けられている。そして、羽根部材５は、ガードル本体２の股部の裏側に取付けられた股下当て布８４の中を潜って、ロングガードル本体２に縫付けられている。
【０４７３】
したがって、ロングガードル本体２は、本発明における「着用者の股下に当接する股部を有する下着本体」に相当する。また、本実施の形態１６にかかる姿勢補整用ロングガードル８３は、「下着本体と、１対の分岐部分を有する略Ｙ字形の伸縮性を有する生地からなる羽根部材とを具備する姿勢補整用下着」に相当し、さらに「羽根部材は下着本体の股部の裏側に取付けられた股下当て布と下着本体の股部との間を潜って取付けられている姿勢補整用下着」に相当し、下着本体２が伸縮性を有する生地からなるものである。
【０４７４】
即ち、図３１（ｄ）に示されるように、前述したように二枚のパワーネット生地を袋縫いしてなる羽根部材５は、１対の分岐部分５ａ，５ｂの先端及びその周囲の部分がステッチ縫い５ｉによってロングガードル本体２の臀部裏側に直接縫付けられており、羽根部材５の分岐していない側５ｄの先端５ｅが、ステッチ縫い５ｈによってロングガードル本体２の裏側（股下マチ布４の前部）に縫付けられている。
【０４７５】
そして、図３１（ｅ）に示されるように、股下当て布８４は、羽根部材５を縫付けずに羽根部材５を覆うように、その両縁がロングガードル本体２の股部の裏側に、ステッチ縫い８４ａによって縫付けられている。これによって、着用者の股部に羽根部材５が直接当接することが防止され、股下当て布８４を介して当接するため、股下当て布８４がクッションとなって穿き心地が向上し、長時間着用しても違和感を覚えることがなくなる。また、羽根部材５は股下当て布８４の中で自由に伸縮することができる。
【０４７６】
したがって、羽根部材５は、ステッチ縫い５ｈによって分岐していない側５ｄの先端が股下マチ布４の前部に縫付けられた部分と、ステッチ縫い５ｉによってロングガードル本体２の臀部裏側に縫付けられた部分との間は縫付けられておらず、フリーの状態になっている。
【０４７７】
１対の分岐部分５ａ，５ｂの内側におけるステッチ縫い５ｉの縫い止まり点は、羽根部材５の分岐点５ｃから約７ｃｍ（６．５ｃｍ〜７．５ｃｍ）離れており、１対の分岐部分５ａ，５ｂの外側におけるステッチ縫い５ｉの縫い止まり点は、内側のステッチ縫い５ｉの縫い止まり点とほぼ対応する位置にあって、少なくとも着用者の肛門の位置ＨＣＰよりは上方にある。
【０４７８】
そして、図３１（ｄ）に示されるように、羽根部材５は、姿勢補整用ロングガードル８３を着用したときに、着用者の肛門の位置ＨＣＰが１対の分岐部分５ａ，５ｂの間の分岐点５ｃの近傍（分岐点５ｃから約１．５ｃｍ（１．３ｃｍ〜１．７ｃｍ）離れた位置）にくるように縫付けられている。
【０４７９】
これによって、本実施の形態１６にかかる姿勢補整用ロングガードル８３を着用することによって、羽根部材５には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５の１対の分岐部分５ａ，５ｂによって押えられるため、着用者の臀部が引き締まって小尻になるとともにヒップアップの効果が得られる。
【０４８０】
さらに、本実施の形態１６にかかる姿勢補整用ロングガードル８３においては、ヨーク部材を用いていないため、製造工程が短縮され、より低コストで製造できるという利点が得られる。
【０４８１】
なお、本実施の形態１６にかかる姿勢補整用ロングガードル８３においては、羽根部材５を用いた例について説明したが、羽根部材としては羽根部材５に限られず、先に説明した羽根部材５Ｂ，５Ｃ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０４８２】
また、羽根部材５Ｂ，５Ｃ，５Ｄ，５Ｅ，５Ｆ，５Ｇ，５Ｈ，５Ｊ，５Ｋ，５Ｌ，５Ｍについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０４８３】
さらに、本実施の形態１６にかかる姿勢補整用ロングガードル８３においては、羽根部材５の分岐していない側５ｄの先端５ｅが、股下当て布８４の外側においてステッチ縫い５ｈによって股下マチ布４の前部に縫付けられた場合について説明したが、分岐していない側５ｄの先端５ｅが股下当て布８４の内部においてステッチ縫い５ｈによって股下マチ布４の前部に縫付けられていても良い。即ち、羽根部材５の分岐していない側５ｄの先端５ｅが、股下当て布８４の下に隠れてしまっても構わない。
【０４８４】
このようにして、本実施の形態１６にかかる姿勢補整用ロングガードル８３においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０４８５】
なお、本実施の形態１６においては、伸縮性を有する生地としてパワーネットを使用した場合について説明したが、サテンネット（ストレッチサテン）、ストレッチレースを始めとして他の伸縮性を有する生地を用いても良い。また、ガードル本体２と羽根部材５とをそれぞれ異なる種類の伸縮性を有する生地から作製しても良い。
【０４８６】
実施の形態１７
次に、本発明の実施の形態１７にかかる姿勢補整用下着としての姿勢補整用ショートガードルについて、図３２を参照して説明する。
【０４８７】
図３２（ａ）は本発明の実施の形態１７にかかる姿勢補整用下着としての姿勢補整用ショートガードルの全体構成を示す正面図、（ｂ）は背面図、（ｃ）は本発明の実施の形態１７にかかる姿勢補整用ショートガードルを裏返した場合の全体構成を示す正面図、（ｄ）は背面図、（ｅ）は本発明の実施の形態１７にかかる姿勢補整用ショートガードルの股下部分の内部構造を示す部分拡大図である。
【０４８８】
なお、本実施の形態１７にかかる姿勢補整用ショートガードルの構成は、一部を除いて上記実施の形態２にかかる図１１に示される姿勢補整用ショートガードル１５と同様であるため、同一部分には図１１と同一の符号を付して、一部説明を省略する。
【０４８９】
図３２（ａ）に示されるように、本実施の形態１７にかかる姿勢補整用下着としての姿勢補整用ショートガードル８５は、伸縮性を有する生地としてのパワーネットからなる下着本体としてのショートガードル本体１６を中心に構成されている。また、図３２（ｂ）に示されるように、ショートガードル本体１６の背面は後中心ＢＣにおいて縫付けられている。
【０４９０】
さらに、図３２（ｃ），（ｄ）に示されるように、姿勢補整用ショートガードル８５を裏返すと、ショートガードル本体１６の裏側には伸縮性を有する生地としてのパワーネットからなるヨーク部材１８が縫付けられており、そのヨーク部材１８の下（外側）と股下マチ布１７の上（裏側）とに伸縮性を有する生地としてのパワーネットからなる羽根部材５Ｃが縫付けられている。そして、羽根部材５Ｃは、ショートガードル本体１６の股部の裏側に取付けられた股下当て布８６の中を潜って、ショートガードル本体１６に縫付けられている。
【０４９１】
したがって、ショートガードル本体１６は、本発明における「着用者の股下に当接する股部を有する下着本体」に相当する。また、本実施の形態１７にかかる姿勢補整用ショートガードル８５は、「下着本体と、下着本体の裏側に縫付けられたヨーク部材と、１対の分岐部分を有する略Ｙ字形の伸縮性を有する生地からなる羽根部材とを具備する姿勢補整用下着」に相当する。
【０４９２】
さらに、本実施の形態１７にかかる姿勢補整用ショートガードル８５は、「羽根部材が下着本体の股部の裏側に取付けられた股下当て布と下着本体の股部との間を潜って取付けられている姿勢補整用下着」に相当し、下着本体１６及びヨーク部材１８が伸縮性を有する生地からなるものである。
【０４９３】
また、羽根部材５Ｃは前述の如く、二枚のパワーネット生地を袋縫いしてなるものであり、１対の分岐部分５Ｃａ，５Ｃｂの先端及びその周囲の部分がステッチ縫い５Ｃｉによってヨーク部材１８の下（姿勢補整用ショートガードル８５を着用したときには外側）のみに縫付けられており、羽根部材５Ｃの分岐していない側５Ｃｄの先端５Ｃｅが、ステッチ縫い５Ｃｈによってショートガードル本体１６（股下マチ布１７の前部）に縫付けられている。
【０４９４】
そして、図３２（ｅ）に示されるように、股下当て布８６は、羽根部材５Ｃを縫付けずに羽根部材５Ｃを覆うように、その両縁がショートガードル本体１６の股部の裏側に、ステッチ縫い８６ａによって縫付けられている。これによって、着用者の股部に羽根部材５Ｃが直接当接することが防止され、股下当て布８６を介して当接するため、股下当て布８６がクッションとなって穿き心地が向上し、長時間着用しても違和感を覚えることがなくなる。また、羽根部材５Ｃは股下当て布８６の中で自由に伸縮することができる。
【０４９５】
したがって、羽根部材５Ｃは、ステッチ縫い５Ｃｈによって分岐していない側５Ｃｄの先端５Ｃｅが股下マチ布１７の前部に縫付けられた部分と、ステッチ縫い５Ｃｉによってショートガードル本体１６の臀部裏側に縫付けられた部分との間は縫付けられておらず、フリーの状態になっている。
【０４９６】
１対の分岐部分５Ｃａ，５Ｃｂの内側におけるステッチ縫い５Ｃｉの縫い止まり点は、羽根部材５Ｃの分岐点５Ｃｃから約７ｃｍ（６．５ｃｍ〜７．５ｃｍ）離れており、１対の分岐部分５Ｃａ，５Ｃｂの外側におけるステッチ縫い５Ｃｉの縫い止まり点は、内側のステッチ縫い５Ｃｉの縫い止まり点とほぼ対応する位置にあって、少なくとも着用者の肛門の位置ＨＣＰよりは上方にある。
【０４９７】
そして、図３２（ｄ）に示されるように、羽根部材５Ｃは、姿勢補整用ショートガードル８５を着用したときに、着用者の肛門の位置ＨＣＰが１対の分岐部分５Ｃａ，５Ｃｂの間の分岐点５Ｃｃの近傍（分岐点５Ｃｃから約１．５ｃｍ（１．３ｃｍ〜１．７ｃｍ）離れた位置）にくるように縫付けられている。
【０４９８】
これによって、本実施の形態１７にかかる姿勢補整用ショートガードル８５を着用することによって、羽根部材５Ｃには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材５Ｃの１対の分岐部分５Ｃａ，５Ｃｂによって押えられるため、着用者の臀部が引き締まって小尻になるとともにヒップアップの効果が得られる。
【０４９９】
さらに、本実施の形態１７にかかる姿勢補整用ショートガードル８５においては、羽根部材５Ｃの１対の分岐部分５Ｃａ，５Ｃｂがヨーク部材１８の下に縫付けられているため、着用するときに羽根部材５Ｃの１対の分岐部分５Ｃａ，５Ｃｂがヨーク部材１８を介して着用者に当接し、かつ羽根部材５Ｃの分岐していない側５Ｃｄが股下当て布８６を介して着用者の股下に当接するので、穿き心地が著しく向上するという利点が得られる。
【０５００】
なお、本実施の形態１７にかかる姿勢補整用ショートガードル８５においては、羽根部材５Ｃを用いた例について説明したが、羽根部材としては羽根部材５Ｃに限られず、先に説明した羽根部材５，５Ｂ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０５０１】
また、羽根部材５，５Ｂ，５Ｄ，５Ｅ，５Ｆ，５Ｇ，５Ｈ，５Ｊ，５Ｋ，５Ｌ，５Ｍについては、羽根部材５Ｃのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５０２】
さらに、本実施の形態１７にかかる姿勢補整用ショートガードル８５においては、羽根部材５Ｃの分岐していない側５Ｃｄの先端５Ｃｅが、股下当て布８６の外側においてステッチ縫い５Ｃｈによって股下マチ布１７の前部に縫付けられた場合について説明したが、分岐していない側５Ｃｄの先端５Ｃｅが股下当て布８６の内部においてステッチ縫い５Ｃｈによって股下マチ布１７の前部に縫付けられていても良い。即ち、羽根部材５Ｃの分岐していない側５Ｃｄの先端５Ｃｅが、股下当て布８６の下に隠れてしまっても構わない。
【０５０３】
このようにして、本実施の形態１７にかかる姿勢補整用ショートガードル８５においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も非常に優れたものとなる。
【０５０４】
なお、本実施の形態１７においては、伸縮性を有する生地としてパワーネットを使用した場合について説明したが、サテンネット（ストレッチサテン）、ストレッチレースを始めとして他の伸縮性を有する生地を用いても良い。また、ショートガードル本体１６とヨーク部材１８と羽根部材５Ｃとをそれぞれ異なる種類の伸縮性を有する生地から作製しても良い。
【０５０５】
また、本実施の形態１７においては、ヨーク部材１８が姿勢補整用ショートガードル８５のショートガードル本体１６の裏側の背面のほぼ全体を覆っている例について説明したが、ヨーク部材１８はショートガードル本体１６の裏側の少なくとも臀部を覆うものであれば良く、ショートガードル本体１６の裏側の背面全体からさらに両脇部を巻いて前面の一部まで覆うものでも、ショートガードル本体１６の裏側の臀部のみ、または臀部及びその周辺を覆うものでも構わない。
【０５０６】
実施の形態１８
次に、本発明の実施の形態１８にかかる姿勢補整用下着としての姿勢補整用ショートガードルについて、図３３を参照して説明する。
【０５０７】
図３３（ａ）は本発明の実施の形態１８にかかる姿勢補整用下着としての姿勢補整用ショートガードルの全体構成を示す正面図、（ｂ）は背面図、（ｃ）は本発明の実施の形態１８にかかる姿勢補整用ショートガードルを裏返した場合の全体構成を示す正面図、（ｄ）は背面図、（ｅ）は本発明の実施の形態１８にかかる姿勢補整用ショートガードルの股下部分の内部構造を示す部分拡大図である。
【０５０８】
図３３（ａ），（ｂ）に示されるように、本実施の形態１８にかかる姿勢補整用下着としての姿勢補整用ショートガードル９０は、伸縮性を有する生地としての綿９５％、ポリウレタン５％のポリウレタン混合生地からなる下着本体としてのショートガードル本体９１を中心に構成されている。
【０５０９】
また、図３３（ｃ），（ｄ）に示されるように、姿勢補整用ショートガードル９０を裏返すと、ショートガードル本体９１の裏側には伸縮性を有する生地としてのパワーネットからなる羽根部材９４が直接縫付けられている。ここで、羽根部材９４は、分岐していない側９４ｄの端９４ｅが、ショートガードル本体９１の裏側の前部の上端にステッチ縫い９４ｈによって縫付けられている。そして、羽根部材９４は、ショートガードル本体９１の股部の裏側に取付けられた伸縮性を有する生地としてのパワーネットからなる股下当て布９３の中を潜って、ショートガードル本体９１に縫付けられている。
【０５１０】
なお、股下当て布９３を構成する生地は、パワーネット以外の、トリコット、ニット生地、ポリウレタン混合生地、綿ストレッチ、スパンレックス、サテンネット、ストレッチレース等の伸縮性を有する生地でも、ポリエステル生地、アクリル生地を始めとする伸縮性を有しない生地でも良い。股下当て布９３は、着用者の股部に当接するものなので、できるだけ肌触りが良く、弾力性を有するものが好ましい。
【０５１１】
したがって、ショートガードル本体９１は、本発明における「着用者の股下に当接する股部を有する下着本体」に相当する。また、本実施の形態１８にかかる姿勢補整用ショートガードル９０は、「下着本体と、１対の分岐部分を有する略Ｙ字形の伸縮性を有する生地からなる羽根部材とを具備する姿勢補整用下着」に相当する。
【０５１２】
さらに、本実施の形態１８にかかる姿勢補整用ショートガードル９０は、「羽根部材の分岐していない側の先端が下着本体の裏側の前部の上端に縫付けられている姿勢補整用下着」に相当し、また「羽根部材が下着本体の股部の裏側に取付けられた股下当て布と下着本体の股部との間を潜って取付けられている姿勢補整用下着」に相当し、下着本体９１が伸縮性を有する生地からなるものである。
【０５１３】
また、羽根部材９４は、羽根部材５，５Ｃと同様に二枚のパワーネット生地を袋縫いしてなるものであり、１対の分岐部分９４ａ，９４ｂの先端及びその周囲の部分がステッチ縫い９４ｉによってショートガードル本体９１の臀部に縫付けられており、羽根部材９４の分岐していない側９４ｄの先端９４ｅが、ステッチ縫い９４ｈによってショートガードル本体９１の裏側の前部の上端まで伸びて縫付けられている。
【０５１４】
これによって、伸縮性を有する生地としての二枚のパワーネット生地からなる羽根部材９４の引っ張り力がより強力になって、肛門が効果的に締付けられるとともに、下腹部が羽根部材９４によって押え付けられるので、下腹部が引っ込んでより美しいプロポーションを得ることができる。
【０５１５】
そして、図３３（ｅ）に示されるように、股下当て布９３は、羽根部材９４を縫付けずに羽根部材９４を覆うように、その両縁がショートガードル本体９１の股部の裏側に、ステッチ縫い９３ａによって縫付けられている。これによって、着用者の股部に羽根部材９４が直接当接することが防止され、股下当て布９３を介して当接するため、股下当て布９３がクッションとなって穿き心地が向上し、長時間着用しても違和感を覚えることがなくなる。また、羽根部材９４は股下当て布９３の中で自由に伸縮することができる。
【０５１６】
したがって、羽根部材９４は、ステッチ縫い９４ｈによって分岐していない側９４ｄの先端９４ｅがショートガードル本体９１の裏側の前部の上端に縫付けられた部分と、ステッチ縫い９４ｉによってショートガードル本体９１の臀部裏側に縫付けられた部分との間は縫付けられておらず、フリーの状態になっている。
【０５１７】
１対の分岐部分９４ａ，９４ｂの内側におけるステッチ縫い９４ｉの縫い止まり点９４ｋは、羽根部材９４の分岐点９４ｃから約７ｃｍ（６．５ｃｍ〜７．５ｃｍ）離れており、１対の分岐部分９４ａ，９４ｂの外側におけるステッチ縫い９４ｉの縫い止まり点９４ｋは、内側のステッチ縫い９４ｉの縫い止まり点とほぼ対応する位置にあって、少なくとも着用者の肛門の位置ＨＣＰよりは上方にある。
【０５１８】
そして、図３３（ｄ）に示されるように、羽根部材９４は、姿勢補整用ショートガードル９０を着用したときに、着用者の肛門の位置ＨＣＰが１対の分岐部分９４ａ，９４ｂの間の分岐点９４ｃの近傍（分岐点９４ｃから約１．５ｃｍ（１．３ｃｍ〜１．７ｃｍ）離れた位置）にくるように縫付けられている。
【０５１９】
これによって、本実施の形態１８にかかる姿勢補整用ショートガードル９０を着用することによって、羽根部材９４には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５２０】
また、肛門が引き締められると臀部に左右１対の笑窪様の小さい窪みが生じ、これらの小さい窪みの位置する点ＨＥＰがショートガードル本体９１を介して羽根部材９４の１対の分岐部分９４ａ，９４ｂによって押えられるため、着用者の臀部が引き締まって小尻になるとともにヒップアップの効果が得られる。さらに、本実施の形態１８にかかる姿勢補整用ショートガードル９０においては、羽根部材９４の分岐していない側９４ｄが股下当て布９３を介して着用者の股下に当接するので、穿き心地が著しく向上するという利点が得られる。
【０５２１】
なお、羽根部材９４については、羽根部材５，５Ｃのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５２２】
このようにして、本実施の形態１８にかかる姿勢補整用ショートガードル９０においては、意識しなくてもズボン・パンツやスカート等の衣服の下に着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０５２３】
なお、本実施の形態１８においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０５２４】
実施の形態１９
次に、本発明の実施の形態１９にかかる姿勢補整用下着としての姿勢補整用ショートガードルについて、図３４及び図３５を参照して説明する。
【０５２５】
図３４（ａ）は本発明の実施の形態１９にかかる姿勢補整用下着としての姿勢補整用ショートガードルの全体構成を示す正面図、（ｂ）は背面図、（ｃ）は本発明の実施の形態１９にかかる姿勢補整用ショートガードルを裏返した場合の全体構成を示す正面図、（ｄ）は背面図、（ｅ）は本発明の実施の形態１９にかかる姿勢補整用ショートガードルの股下部分の内部構造を示す部分拡大図である。
【０５２６】
図３５（ａ）は本発明の実施の形態１９の第１変形例にかかる姿勢補整用ショートガードルを裏返した場合の全体構成を示す正面図、（ｂ）は股下部分の内部構造を示す部分拡大図、（ｃ）は本発明の実施の形態１９の第２変形例にかかる姿勢補整用ショートガードルを裏返した場合の全体構成を示す正面図、（ｄ）は本発明の実施の形態１９の第３変形例にかかる姿勢補整用ショートガードルを裏返した場合の全体構成を示す正面図である。
【０５２７】
なお、本実施の形態１９にかかる姿勢補整用ショートガードルの構成は、一部を除いて上記実施の形態１８にかかる姿勢補整用ショートガードル９０と同様であるため、同一の部分には同一の符号を付して、一部説明を省略する。
【０５２８】
図３４（ａ）に示されるように、本実施の形態１９にかかる姿勢補整用下着としての姿勢補整用ショートガードル９５は、伸縮性を有する生地としての綿９５％、ポリウレタン５％のポリウレタン混合生地からなる下着本体としてのショートガードル本体９１を中心に構成されている。
【０５２９】
また、図３４（ｃ），（ｄ）に示されるように、姿勢補整用ショートガードル９５を裏返すと、ショートガードル本体９１の裏側には伸縮性を有する生地としてのパワーネットからなる羽根部材９４Ａが直接縫付けられている。ここで、羽根部材９４Ａは、分岐していない側９４Ａｄの端９４Ａｅが、ショートガードル本体９１の裏側の前部の上端にステッチ縫い９４Ａｈによって縫付けられている。
【０５３０】
さらに、羽根部材９４Ａは、ショートガードル本体９１の股部の裏側に取付けられた股下当て布９３の中を潜って、ショートガードル本体９１に縫付けられている。そして、羽根部材９４Ａには１対の枝部分９４Ａｊが設けられており、羽根部材９４Ａが股下当て布９３を潜って取付けられる際に、１対の枝部分９４Ａｊが股下当て布９３の内部においてショートガードル本体９１の股部の裏側及び股下当て布９３に縫付けられている。
【０５３１】
したがって、ショートガードル本体９１は、本発明における「着用者の股下に当接する股部を有する下着本体」に相当する。また、本実施の形態１９にかかる姿勢補整用ショートガードル９５は、「下着本体と、１対の分岐部分を有する略Ｙ字形の伸縮性を有する生地からなる羽根部材とを具備する姿勢補整用下着」に相当し、「羽根部材の分岐していない側の先端が下着本体の裏側の前部の上端に縫付けられている姿勢補整用下着」に相当する。
【０５３２】
さらに、本実施の形態１９にかかる姿勢補整用ショートガードル９５は、「羽根部材が下着本体の股部の裏側に取付けられた股下当て布と下着本体の股部との間を潜って取付けられている姿勢補整用下着」に相当し、また「羽根部材には１対の枝部分が設けられており、羽根部材が下着本体の股部の裏側に取付けられた股下当て布と下着本体の股部との間を潜って取付けられる際に枝部分が股下当て布の内部において下着本体の股部の裏側及び股下当て布に縫付けられている姿勢補整用下着」に相当する。
【０５３３】
また、羽根部材９４Ａは、羽根部材９４と同様に二枚のパワーネット生地を袋縫いしてなるものであり、１対の分岐部分９４Ａａ，９４Ａｂの先端及びその周囲の部分がステッチ縫い９４Ａｉによってショートガードル本体９１の臀部に縫付けられており、羽根部材９４Ａの分岐していない側９４Ａｄの先端９４Ａｅが、ステッチ縫い９４Ａｈによってショートガードル本体９１の裏側の前部の上端まで伸びて縫付けられている。
【０５３４】
これによって、伸縮性を有する生地としての二枚のパワーネット生地からなる羽根部材９４Ａの引っ張り力がより強力になって、肛門が効果的に締付けられるとともに、下腹部が羽根部材９４Ａによって押え付けられるので、下腹部が引っ込んでより美しいプロポーションを得ることができる。
【０５３５】
そして、図３４（ｅ）に示されるように、股下当て布９３は、羽根部材９４Ａの枝部分９４Ａｊのみを縫付けて、羽根部材９４Ａを覆うようにその両縁がショートガードル本体９１の股部の裏側に、ステッチ縫い９３ａによって縫付けられている。これによって、着用者の股部に羽根部材９４Ａが直接当接することが防止され、股下当て布９３を介して当接するため、股下当て布９３がクッションとなって穿き心地が向上し、長時間着用しても違和感を覚えることがなくなる。
【０５３６】
また、羽根部材９４Ａは股下当て布９３の中で枝部分９４Ａｊのみが縫付けられることによって、長い羽根部材９４Ａの中間部分を羽根部材９４Ａの自由な伸縮を妨げることなく、長い羽根部材９４Ａの中間部分が捩れたりずれたりして肛門を引き締める効果が半減するとともに穿き心地も悪くなる事態を、確実に防止することができる。
【０５３７】
したがって、羽根部材９４Ａは、ステッチ縫い９４Ａｈによって分岐していない側９４Ａｄの先端９４Ａｅがショートガードル本体９１の裏側の前部の上端に縫付けられた部分と、ステッチ縫い９４Ａｉによってショートガードル本体９１の臀部裏側に縫付けられた部分との間は、枝部分９４Ａｊのみが縫付けられており、自由に伸縮することができる。
【０５３８】
１対の分岐部分９４Ａａ，９４Ａｂの内側におけるステッチ縫い９４Ａｉの縫い止まり点９４Ａｋは、羽根部材９４Ａの分岐点９４Ａｃから約７ｃｍ（６．５ｃｍ〜７．５ｃｍ）離れており、１対の分岐部分９４Ａａ，９４Ａｂの外側におけるステッチ縫い９４Ａｉの縫い止まり点９４Ａｋは、内側のステッチ縫い９４Ａｉの縫い止まり点とほぼ対応する位置にあって、少なくとも着用者の肛門の位置ＨＣＰよりは上方にある。
【０５３９】
そして、図３４（ｄ）に示されるように、羽根部材９４Ａは、姿勢補整用ショートガードル９５を着用したときに、着用者の肛門の位置ＨＣＰが１対の分岐部分９４Ａａ，９４Ａｂの間の分岐点９４Ａｃの近傍（分岐点９４Ａｃから約１．５ｃｍ（１．３ｃｍ〜１．７ｃｍ）離れた位置）にくるように縫付けられている。
【０５４０】
これによって、本実施の形態１９にかかる姿勢補整用ショートガードル９５を着用することによって、羽根部材９４Ａには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５４１】
また、肛門が引き締められると臀部に左右１対の笑窪様の小さい窪みが生じ、これらの小さい窪みの位置する点ＨＥＰがショートガードル本体９１を介して羽根部材９４Ａの１対の分岐部分９４Ａａ，９４Ａｂによって押えられるため、着用者の臀部が引き締まって小尻になるとともにヒップアップの効果が得られる。さらに、本実施の形態１９にかかる姿勢補整用ショートガードル９５においては、羽根部材９４Ａの分岐していない側９４Ａｄが股下当て布９３を介して着用者の股下に当接するので、穿き心地が著しく向上するという利点が得られる。
【０５４２】
なお、羽根部材９４Ａについては、羽根部材５，５Ｃ，９４のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５４３】
このようにして、本実施の形態１９にかかる姿勢補整用ショートガードル９５においては、意識しなくてもズボン・パンツやスカート等の衣服の下に着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０５４４】
なお、本実施の形態１９においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０５４５】
次に、本実施の形態１９の変形例にかかる姿勢補整用下着としての姿勢補整用ショートガードルについて、図３５を参照して説明する。なお、本実施の形態１９の変形例にかかる姿勢補整用ショートガードルの構成は、一部を除いて上記実施の形態１９にかかる姿勢補整用ショートガードル９５と同様であるため、同一の部分には同一の符号を付して、一部説明を省略する。
【０５４６】
図３５（ａ）に示されるように、本実施の形態１９の第１変形例にかかる姿勢補整用下着としての姿勢補整用ショートガードル９６は、伸縮性を有する生地としての綿９５％、ポリウレタン５％のポリウレタン混合生地からなる下着本体としてのショートガードル本体９１を中心に構成されている。本実施の形態１９の第１変形例にかかる姿勢補整用ショートガードル９６が上記姿勢補整用ショートガードル９５と異なるのは、図３５（ａ）に示されるように、羽根部材９４Ｂの形状のみである。
【０５４７】
即ち、本実施の形態１９の第１変形例にかかる姿勢補整用ショートガードル９６においても、羽根部材９４，９４Ａのように二枚の伸縮性を有する生地としてのパワーネット生地を袋縫いにしてなる羽根部材９４Ｂの分岐していない側９４Ｂｄの先端９４Ｂｅが、ステッチ縫い９４Ｂｈによってショートガードル本体９１の裏側の前部の上端まで伸びて縫付けられている。そして、羽根部材９４Ｂの分岐していない側９４Ｂｄは、上記姿勢補整用ショートガードル９５における羽根部材９４Ａよりも大きくなっている。
【０５４８】
これによって、伸縮性を有する生地としての二枚のパワーネット生地からなる羽根部材９４Ｂの引っ張り力がより強力になって、肛門が効果的に締付けられるとともに、下腹部が羽根部材９４Ｂによって押え付けられるので、下腹部が引っ込んでより美しいプロポーションを得ることができる。
【０５４９】
そして、図３５（ｂ）に示されるように、股下当て布９３は、羽根部材９４Ｂの枝部分９４Ｂｊのみを縫付けて、羽根部材９４Ｂを覆うようにその両縁がショートガードル本体９１の股部の裏側に、ステッチ縫い９３ａによって縫付けられている。これによって、着用者の股部に羽根部材９４Ｂが直接当接することが防止され、股下当て布９３を介して当接するため、股下当て布９３がクッションとなって穿き心地が向上し、長時間着用しても違和感を覚えることがなくなる。
【０５５０】
また、羽根部材９４Ｂは股下当て布９３の中で枝部分９４Ｂｊのみが縫付けられることによって、長い羽根部材９４Ｂの中間部分を羽根部材９４Ｂの自由な伸縮を妨げることなく、長い羽根部材９４Ｂの中間部分が捩れたりずれたりして肛門を引き締める効果が半減するとともに穿き心地も悪くなる事態を、確実に防止することができる。
【０５５１】
次に、図３５（ｃ）に示されるように、本実施の形態１９の第２変形例にかかる姿勢補整用下着としての姿勢補整用ショートガードル９７も、伸縮性を有する生地としての綿９５％、ポリウレタン５％のポリウレタン混合生地からなる下着本体としてのショートガードル本体９１を中心に構成されている。本実施の形態１９の第２変形例にかかる姿勢補整用ショートガードル９７が上記姿勢補整用ショートガードル９５，９６と異なるのは、図３５（ｃ）に示されるように、羽根部材９４Ｃの形状のみである。
【０５５２】
即ち、本実施の形態１９の第２変形例にかかる姿勢補整用ショートガードル９７においては、羽根部材９４，９４Ａ，９４Ｂのように二枚の伸縮性を有する生地としてのパワーネット生地を袋縫いにしてなる羽根部材９４Ｃの分岐していない側９４Ｃｄの先端９４Ｃｅが、ショートガードル本体９１の裏側の前部の上端までは届いておらず、上端から少し下がった位置において、ステッチ縫い９４Ｃｈによってショートガードル本体９１の裏側に縫付けられている。
【０５５３】
これによって、伸縮性を有する生地としての二枚のパワーネット生地からなる羽根部材９４Ｃの引っ張り力がより強力になって、肛門が効果的に締付けられるとともに、下腹部が羽根部材９４Ｃによって押え付けられるので、下腹部が引っ込んでより美しいプロポーションを得ることができる。
【０５５４】
そして、股下当て布９３は、羽根部材９４Ｃの枝部分９４Ｃｊのみを縫付けて、羽根部材９４Ｃを覆うようにその両縁がショートガードル本体９１の股部の裏側に、ステッチ縫い９３ａによって縫付けられている。これによって、着用者の股部に羽根部材９４Ｃが直接当接することが防止され、股下当て布９３を介して当接するため、股下当て布９３がクッションとなって穿き心地が向上し、長時間着用しても違和感を覚えることがなくなる。
【０５５５】
また、羽根部材９４Ｃは股下当て布９３の中で枝部分９４Ｃｊのみが縫付けられることによって、長い羽根部材９４Ｃの中間部分を羽根部材９４Ｃの自由な伸縮を妨げることなく、長い羽根部材９４Ｃの中間部分が捩れたりずれたりして肛門を引き締める効果が半減するとともに穿き心地も悪くなる事態を、確実に防止することができる。
【０５５６】
次に、図３５（ｄ）に示されるように、本実施の形態１９の第３変形例にかかる姿勢補整用下着としての姿勢補整用ショートガードル９８も、伸縮性を有する生地としての綿９５％、ポリウレタン５％のポリウレタン混合生地からなる下着本体としてのショートガードル本体９１を中心に構成されている。本実施の形態１９の第３変形例にかかる姿勢補整用ショートガードル９８が上記姿勢補整用ショートガードル９５，９６，９７と異なるのは、図３５（ｄ）に示されるように、羽根部材９４Ｄの形状のみである。
【０５５７】
即ち、本実施の形態１９の第３変形例にかかる姿勢補整用ショートガードル９８においては、羽根部材９４，９４Ａ，９４Ｂ，９４Ｃのように二枚の伸縮性を有する生地としてのパワーネット生地を袋縫いにしてなる羽根部材９４Ｄの分岐していない側９４Ｄｄの面積がさらに広くなっており、分岐していない側９４Ｄｄの先端９４Ｄｅが、ショートガードル本体９１の裏側の前部の上端まで届いているのみならず、ショートガードル本体９１の裏側の両脇部分にまで達しており、ステッチ縫い９４Ｄｈによってショートガードル本体９１の裏側に縫付けられている。
【０５５８】
これによって、伸縮性を有する生地としての二枚のパワーネット生地からなる羽根部材９４Ｄの引っ張り力がより強力になって、肛門が効果的に締付けられるとともに、下腹部が羽根部材９４Ｄによって押え付けられるので、下腹部が引っ込んでより美しいプロポーションを得ることができる。
【０５５９】
そして、股下当て布９３は、羽根部材９４Ｄの枝部分９４Ｄｊのみを縫付けて、羽根部材９４Ｄを覆うようにその両縁がショートガードル本体９１の股部の裏側に、ステッチ縫い９３ａによって縫付けられている。これによって、着用者の股部に羽根部材９４Ｄが直接当接することが防止され、股下当て布９３を介して当接するため、股下当て布９３がクッションとなって穿き心地が向上し、長時間着用しても違和感を覚えることがなくなる。
【０５６０】
また、羽根部材９４Ｄは股下当て布９３の中で枝部分９４Ｄｊのみが縫付けられることによって、長い羽根部材９４Ｄの中間部分を羽根部材９４Ｄの自由な伸縮を妨げることなく、長い羽根部材９４Ｄの中間部分が捩れたりずれたりして肛門を引き締める効果が半減するとともに穿き心地も悪くなる事態を、確実に防止することができる。
【０５６１】
このようにして、本実施の形態１９の変形例にかかる姿勢補整用ショートガードル９６，９７，９８においては、意識しなくてもズボン・パンツやスカート等の衣服の下に着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０５６２】
なお、本実施の形態１９の変形例においては、伸縮性を有する生地として、綿９５％、ポリウレタン５％のポリウレタン混合生地及びパワーネットを使用した場合について説明したが、サテンネット、ストレッチレースを始めとして他の伸縮性を有する生地を用いても良い。
【０５６３】
また、羽根部材９４Ｂ，９４Ｃ，９４Ｄについては、羽根部材５，５Ｃ，９４，９４Ａのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５６４】
実施の形態２０
次に、本発明の実施の形態２０にかかる姿勢補整用下着としての姿勢補整用ショートガードルについて、図３６を参照して説明する。
【０５６５】
図３６（ａ）は本発明の実施の形態２０にかかる姿勢補整用下着としての姿勢補整用ショートガードルの全体構成を示す正面図、（ｂ）は背面図、（ｃ）は本発明の実施の形態２０にかかる姿勢補整用ショートガードルを裏返した場合の全体構成を示す正面図、（ｄ）は背面図、（ｅ）は本発明の実施の形態２０にかかる姿勢補整用ショートガードルの股下部分の内部構造を示す部分拡大図である。
【０５６６】
図３６（ａ），（ｂ）に示されるように、本実施の形態２０にかかる姿勢補整用下着としての姿勢補整用ショートガードル１００は、伸縮性を有する生地としての綿９５％、ポリウレタン５％のポリウレタン混合生地からなる下着本体としてのショートガードル本体９１を中心に構成されている。
【０５６７】
また、図３６（ｃ），（ｄ）に示されるように、姿勢補整用ショートガードル１００を裏返すと、ショートガードル本体９１の裏側には伸縮性を有する生地としてのパワーネットからなる羽根部材１０１が直接縫付けられている。ここで、羽根部材１０１は略Ｘ字形状を有しており、前部分岐部分１００ｄ，１００ｅの先端が、ショートガードル本体９１の裏側の前部の上端にステッチ縫い１０１ｊによって縫付けられている。そして、羽根部材１０１は、ショートガードル本体９１の股部の裏側に取付けられた股下当て布９３の中を潜って、ショートガードル本体９１に縫付けられている。
【０５６８】
したがって、ショートガードル本体９１は、本発明における「着用者の股下に当接する股部を有する下着本体」に相当する。また、本実施の形態２０にかかる姿勢補整用ショートガードル１００は、「下着本体と、１対の分岐部分と１対の前部分岐部分とを有する略Ｘ字形の伸縮性を有する生地からなる羽根部材とを具備する姿勢補整用下着」に相当する。
【０５６９】
さらに、本実施の形態２０にかかる姿勢補整用ショートガードル１００は、「羽根部材の前部分岐部分の先端が下着本体の裏側の前部の上端に縫付けられている姿勢補整用下着」に相当し、また「羽根部材が下着本体の股部の裏側に取付けられた股下当て布と下着本体の股部との間を潜って取付けられている姿勢補整用下着」に相当し、下着本体９１が伸縮性を有する生地からなるものである。
【０５７０】
また、羽根部材１０１は、羽根部材５，５Ｃと同様に二枚のパワーネット生地を袋縫いしてなるものであり、１対の分岐部分１０１ａ，１０１ｂの先端及びその周囲の部分がステッチ縫い１０１ｉによってショートガードル本体９１の臀部に縫付けられており、羽根部材１０１の前部分岐部分１０１ｄ，１０１ｅの先端が、ステッチ縫い１０１ｊによってショートガードル本体９１の裏側の前部の上端まで伸びて縫付けられている。
【０５７１】
これによって、伸縮性を有する生地としての二枚のパワーネット生地からなる羽根部材１０１の引っ張り力がより強力になって、肛門が効果的に締付けられるとともに、下腹部が羽根部材１０１によって押え付けられるので、下腹部が引っ込んでより美しいプロポーションを得ることができる。
【０５７２】
そして、図３６（ｅ）に示されるように、股下当て布９３は、羽根部材１０１を縫付けずに羽根部材１０１を覆うように、その両縁がショートガードル本体９１の股部の裏側に、ステッチ縫い９３ａによって縫付けられている。これによって、着用者の股部に羽根部材１０１が直接当接することが防止され、股下当て布９３を介して当接するため、股下当て布９３がクッションとなって穿き心地が向上し、長時間着用しても違和感を覚えることがなくなる。また、羽根部材１０１は股下当て布９３の中で自由に伸縮することができる。
【０５７３】
したがって、羽根部材１０１は、ステッチ縫い１０１ｊによって前部分岐部分１０１ｄ，１０１ｅの先端がショートガードル本体９１の裏側の前部の上端に縫付けられた部分と、ステッチ縫い１０１ｉによってショートガードル本体９１の臀部裏側に縫付けられた部分との間は縫付けられておらず、フリーの状態になっている。
【０５７４】
１対の分岐部分１０１ａ，１０１ｂの内側におけるステッチ縫い１０１ｉの縫い止まり点１０１ｋは、羽根部材１０１の分岐点１０１ｃから約７ｃｍ（６．５ｃｍ〜７．５ｃｍ）離れており、１対の分岐部分１０１ａ，１０１ｂの外側におけるステッチ縫い１０１ｉの縫い止まり点１０１ｋは、内側のステッチ縫い１０１ｉの縫い止まり点とほぼ対応する位置にあって、少なくとも着用者の肛門の位置ＨＣＰよりは上方にある。
【０５７５】
そして、図３６（ｄ）に示されるように、羽根部材１０１は、姿勢補整用ショートガードル１００を着用したときに、着用者の肛門の位置ＨＣＰが１対の分岐部分１０１ａ，１０１ｂの間の分岐点１０１ｃの近傍（分岐点１０１ｃから約１．５ｃｍ（１．３ｃｍ〜１．７ｃｍ）離れた位置）にくるように縫付けられている。
【０５７６】
これによって、本実施の形態２０にかかる姿勢補整用ショートガードル１００を着用することによって、羽根部材１０１には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５７７】
また、肛門が引き締められると臀部に左右１対の笑窪様の小さい窪みが生じ、これらの小さい窪みの位置する点ＨＥＰがショートガードル本体９１を介して羽根部材１０１の１対の分岐部分１０１ａ，１０１ｂによって押えられるため、着用者の臀部が引き締まって小尻になるとともにヒップアップの効果が得られる。さらに、本実施の形態２０にかかる姿勢補整用ショートガードル１００においては、羽根部材１０１が股下当て布９３を介して着用者の股下に当接するので、穿き心地が著しく向上するという利点が得られる。
【０５７８】
なお、羽根部材１０１については、羽根部材５，５Ｃのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５７９】
このようにして、本実施の形態２０にかかる姿勢補整用ショートガードル１００においては、意識しなくてもズボン・パンツやスカート等の衣服の下に着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０５８０】
なお、本実施の形態２０においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０５８１】
実施の形態２１
次に、本発明の実施の形態２１にかかる姿勢補整用下着としての姿勢補整用ショートガードルについて、図３７及び図３８を参照して説明する。
【０５８２】
図３７（ａ）は本発明の実施の形態２１にかかる姿勢補整用下着としての姿勢補整用ショートガードルの全体構成を示す正面図、（ｂ）は背面図、（ｃ）は本発明の実施の形態２１にかかる姿勢補整用ショートガードルを裏返した場合の全体構成を示す正面図、（ｄ）は背面図、（ｅ）は本発明の実施の形態２１にかかる姿勢補整用ショートガードルの股下部分の内部構造を示す部分拡大図である。図３８（ａ）は本発明の実施の形態２１の第１変形例にかかる姿勢補整用ショートガードルを裏返した場合の全体構成を示す正面図、（ｂ）は本発明の実施の形態２１の第２変形例にかかる姿勢補整用ショートガードルを裏返した場合の全体構成を示す正面図である。
【０５８３】
なお、本実施の形態２１にかかる姿勢補整用ショートガードルの構成は、一部を除いて上記実施の形態２０にかかる姿勢補整用ショートガードル１００と同様であるため、同一の部分には同一の符号を付して、一部説明を省略する。
【０５８４】
図３７（ａ），（ｂ）に示されるように、本実施の形態２１にかかる姿勢補整用下着としての姿勢補整用ショートガードル１００Ａは、伸縮性を有する生地としての綿９５％、ポリウレタン５％のポリウレタン混合生地からなる下着本体としてのショートガードル本体９１を中心に構成されている。
【０５８５】
また、図３７（ｃ），（ｄ）に示されるように、姿勢補整用ショートガードル１００Ａを裏返すと、ショートガードル本体９１の裏側には伸縮性を有する生地としてのパワーネットからなる羽根部材１０１Ａが直接縫付けられている。ここで、羽根部材１０１Ａは略Ｘ字形状を有しており、前部分岐部分１００Ａｄ，１００Ａｅの先端が、ショートガードル本体９１の裏側の前部の上端にステッチ縫い１０１Ａｊによって縫付けられている。そして、羽根部材１０１Ａは、ショートガードル本体９１の股部の裏側に取付けられた股下当て布９３の中を潜って、ショートガードル本体９１に縫付けられている。
【０５８６】
さらに、羽根部材１０１Ａは、ショートガードル本体９１の股部の裏側に取付けられた股下当て布９３の中を潜って、ショートガードル本体９１に縫付けられている。そして、羽根部材１０１Ａには１対の枝部分１０１Ａｍが設けられており、羽根部材１０１Ａが股下当て布９３を潜って取付けられる際に、１対の枝部分１０１Ａｍが股下当て布９３の内部においてショートガードル本体９１の股部の裏側及び股下当て布９３に縫付けられている。
【０５８７】
したがって、ショートガードル本体９１は、本発明における「着用者の股下に当接する股部を有する下着本体」に相当する。また、本実施の形態２１にかかる姿勢補整用ショートガードル１００Ａは、「下着本体と、１対の分岐部分と１対の前部分岐部分とを有する略Ｘ字形の伸縮性を有する生地からなる羽根部材とを具備する姿勢補整用下着」に相当し、「羽根部材の前部分岐部分の先端が下着本体の裏側の前部の上端に縫付けられている姿勢補整用下着」に相当する。
【０５８８】
さらに、本実施の形態２１にかかる姿勢補整用ショートガードル１００Ａは、「羽根部材が下着本体の股部の裏側に取付けられた股下当て布と下着本体の股部との間を潜って取付けられている姿勢補整用下着」に相当し、また「羽根部材には１対の枝部分が設けられており、羽根部材が下着本体の股部の裏側に取付けられた股下当て布と下着本体の股部との間を潜って取付けられる際に枝部分が股下当て布の内部において下着本体の股部の裏側及び股下当て布に縫付けられている姿勢補整用下着」に相当する。
【０５８９】
ここで、羽根部材１０１Ａは、羽根部材１０１と同様に二枚のパワーネット生地を袋縫いしてなるものであり、１対の分岐部分１０１Ａａ，１０１Ａｂの先端及びその周囲の部分がステッチ縫い１０１Ａｉによってショートガードル本体９１の臀部に縫付けられており、羽根部材１０１Ａの前部分岐部分１０１Ａｄ，１０１Ａｅの先端が、ステッチ縫い１０１Ａｊによってショートガードル本体９１の裏側の前部の上端まで伸びて縫付けられている。
【０５９０】
これによって、伸縮性を有する生地としての二枚のパワーネット生地からなる羽根部材１０１Ａの引っ張り力がより強力になって、肛門が効果的に締付けられるとともに、下腹部が羽根部材１０１Ａによって押え付けられるので、下腹部が引っ込んでより美しいプロポーションを得ることができる。
【０５９１】
そして、図３７（ｅ）に示されるように、股下当て布９３は、羽根部材１０１Ａの枝部分１０１Ａｍのみを縫付けて、羽根部材１０１Ａを覆うようにその両縁がショートガードル本体９１の股部の裏側に、ステッチ縫い９３ａによって縫付けられている。これによって、着用者の股部に羽根部材１０１Ａが直接当接することが防止され、股下当て布９３を介して当接するため、股下当て布９３がクッションとなって穿き心地が向上し、長時間着用しても違和感を覚えることがなくなる。
【０５９２】
また、羽根部材１０１Ａは股下当て布９３の中で枝部分１０１Ａｍのみが縫付けられることによって、羽根部材１０１Ａの自由な伸縮を妨げることなく、長い羽根部材１０１Ａの中間部分が捩れたりずれたりして肛門を引き締める効果が半減するとともに穿き心地も悪くなる事態を、確実に防止することができる。
【０５９３】
したがって、羽根部材１０１Ａは、ステッチ縫い１０１Ａｊによって前部分岐部分１０１Ａｄ，１０１Ａｅの先端がショートガードル本体９１の裏側の前部の上端に縫付けられた部分と、ステッチ縫い１０１Ａｉによってショートガードル本体９１の臀部裏側に縫付けられた部分との間は、枝部分１０１Ａｍのみが縫付けられており、自由に伸縮することができる。
【０５９４】
１対の分岐部分１０１Ａａ，１０１Ａｂの内側におけるステッチ縫い１０１Ａｉの縫い止まり点１０１Ａｋは、羽根部材１０１Ａの分岐点１０１Ａｃから約７ｃｍ（６．５ｃｍ〜７．５ｃｍ）離れており、１対の分岐部分１０１Ａａ，１０１Ａｂの外側におけるステッチ縫い１０１Ａｉの縫い止まり点１０１Ａｋは、内側のステッチ縫い１０１Ａｉの縫い止まり点とほぼ対応する位置にあって、少なくとも着用者の肛門の位置ＨＣＰよりは上方にある。
【０５９５】
そして、図３７（ｄ）に示されるように、羽根部材１０１Ａは、姿勢補整用ショートガードル１００Ａを着用したときに、着用者の肛門の位置ＨＣＰが１対の分岐部分１０１Ａａ，１０１Ａｂの間の分岐点１０１Ａｃの近傍（分岐点１０１Ａｃから約１．５ｃｍ（１．３ｃｍ〜１．７ｃｍ）離れた位置）にくるように縫付けられている。
【０５９６】
これによって、本実施の形態２１にかかる姿勢補整用ショートガードル１００Ａを着用することによって、羽根部材１０１Ａには伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０５９７】
また、肛門が引き締められると臀部に左右１対の笑窪様の小さい窪みが生じ、これらの小さい窪みの位置する点ＨＥＰがショートガードル本体９１を介して羽根部材１０１Ａの１対の分岐部分１０１Ａａ，１０１Ａｂによって押えられるため、着用者の臀部が引き締まって小尻になるとともにヒップアップの効果が得られる。さらに、本実施の形態２１にかかる姿勢補整用ショートガードル１００Ａにおいては、羽根部材１０１Ａが股下当て布９３を介して着用者の股下に当接するので、穿き心地が著しく向上するという利点が得られる。
【０５９８】
なお、羽根部材１０１Ａについては、羽根部材５，５Ｃ，１０１のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０５９９】
このようにして、本実施の形態２１にかかる姿勢補整用ショートガードル１０１Ａにおいては、意識しなくてもズボン・パンツやスカート等の衣服の下に着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０６００】
なお、本実施の形態２１においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６０１】
次に、本実施の形態２１の変形例にかかる姿勢補整用下着としての姿勢補整用ショートガードルについて、図３８を参照して説明する。なお、本実施の形態２１の変形例にかかる姿勢補整用ショートガードルの構成は、一部を除いて上記実施の形態２０にかかる姿勢補整用ショートガードル１００Ａと同様であるため、同一の部分には同一の符号を付すとともに、姿勢補整用ショートガードルの全体構成を示す正面図及び背面図、姿勢補整用ショートガードルを裏返した場合の全体構成を示す背面図については、図３７（ａ），（ｂ），（ｄ）を参照して、一部説明を省略する。
【０６０２】
図３８（ａ）に示されるように、本実施の形態２１の第１変形例にかかる姿勢補整用下着としての姿勢補整用ショートガードル１００Ｂは、伸縮性を有する生地としての綿９５％、ポリウレタン５％のポリウレタン混合生地からなる下着本体としてのショートガードル本体９１を中心に構成されている。本実施の形態２１の第１変形例にかかる姿勢補整用ショートガードル１００Ｂが上記姿勢補整用ショートガードル１００Ａと異なるのは、図３８（ａ）に示されるように、羽根部材１０１Ｂの形状のみである。
【０６０３】
即ち、本実施の形態２１の第１変形例にかかる姿勢補整用ショートガードル１００Ｂにおいても、羽根部材１０１，１０１Ａのように二枚の伸縮性を有する生地としてのパワーネット生地を袋縫いにしてなる羽根部材１０１Ｂの前部分岐部分１０１Ｂｄ，１０１Ｂｅの先端が、ショートガードル本体９１の裏側の前部の上端まで伸びて、ステッチ縫い１０１Ｂｊによって脇部に縫付けられている。そして、羽根部材１０１Ｂの前部分岐部分１０１Ｂｄ，１０１Ｂｅは、上記姿勢補整用ショートガードル１００Ａにおける羽根部材１０１Ａよりも大きく広がっている。
【０６０４】
これによって、伸縮性を有する生地としての二枚のパワーネット生地からなる羽根部材１０１Ｂの引っ張り力がまろやかになって全体に広がり、肛門が効果的に締付けられるとともに、下腹部が羽根部材１０１Ｂによって押え付けられるので、下腹部が引っ込んでより美しいプロポーションを得ることができる。
【０６０５】
そして、股下当て布９３は、羽根部材１０１Ｂの枝部分１０１Ｂｍのみを縫付けて、羽根部材１０１Ｂを覆うようにその両縁がショートガードル本体９１の股部の裏側に、ステッチ縫い９３ａによって縫付けられている。これによって、着用者の股部に羽根部材１０１Ｂが直接当接することが防止され、股下当て布９３を介して当接するため、股下当て布９３がクッションとなって穿き心地が向上し、長時間着用しても違和感を覚えることがなくなる。
【０６０６】
また、羽根部材１０１Ｂは股下当て布９３の中で枝部分１０１Ｂｍのみが縫付けられることによって、羽根部材１０１Ｂの自由な伸縮を妨げることなく、長い羽根部材１０１Ｂの中間部分が捩れたりずれたりして肛門を引き締める効果が半減するとともに穿き心地も悪くなる事態を、確実に防止することができる。
【０６０７】
次に、図３８（ｂ）に示されるように、本実施の形態２１の第２変形例にかかる姿勢補整用下着としての姿勢補整用ショートガードル１００Ｃは、伸縮性を有する生地としての綿９５％、ポリウレタン５％のポリウレタン混合生地からなる下着本体としての、二つの部材に分かれたショートガードル本体１０２Ａ，１０２Ｂを中心に構成されている。
【０６０８】
本実施の形態２１の第２変形例にかかる姿勢補整用ショートガードル１００Ｃが上記姿勢補整用ショートガードル１００Ａ，１００Ｂと異なるのは、図３８（ｂ）に示されるように、ショートガードル本体が二つの部材１０２Ａ，１０２Ｂから構成されている点と、羽根部材１０１Ｃの形状のみである。
【０６０９】
即ち、本実施の形態２１の第２変形例にかかる姿勢補整用ショートガードル１００Ｃにおいては、羽根部材１０１，１０１Ａ，１０１Ｂのように二枚の伸縮性を有する生地としてのパワーネット生地を袋縫いにしてなる羽根部材１０１Ｃの前部分岐部分１０１Ｃｄ，１０１Ｃｅの先端が、ショートガードル本体１０２Ａ，１０２Ｂの裏側の前部の上端まで届いているとともに、二つの部材１０２Ａ，１０２Ｂを縫い合わせるステッチ縫い１０１Ｃｊによってショートガードル本体１０２Ａ，１０２Ｂの裏側に縫付けられている。
【０６１０】
これによって、伸縮性を有する生地としての二枚のパワーネット生地からなる羽根部材１０１Ｃの引っ張り力がより強力になって、肛門が効果的に締付けられるとともに、下腹部が羽根部材１０１Ｃによって押え付けられるので、下腹部が引っ込んでより美しいプロポーションを得ることができる。
【０６１１】
そして、股下当て布９３は、羽根部材１０１Ｃの枝部分１０１Ｃｍのみを縫付けて、羽根部材１０１Ｃを覆うようにその両縁がショートガードル本体１０２Ａ，１０２Ｂの股部の裏側に、ステッチ縫い９３ａによって縫付けられている。これによって、着用者の股部に羽根部材１０１Ｃが直接当接することが防止され、股下当て布９３を介して当接するため、股下当て布９３がクッションとなって穿き心地が向上し、長時間着用しても違和感を覚えることがなくなる。
【０６１２】
また、羽根部材１０１Ｃは股下当て布９３の中で枝部分１０１Ｃｍのみが縫付けられることによって、羽根部材１０１Ｃの自由な伸縮を妨げることなく、長い羽根部材１０１Ｃの中間部分が捩れたりずれたりして肛門を引き締める効果が半減するとともに穿き心地も悪くなる事態を、確実に防止することができる。
【０６１３】
このようにして、本実施の形態２１の変形例にかかる姿勢補整用ショートガードル１００Ｂ，１００Ｃにおいては、意識しなくてもズボン・パンツやスカート等の衣服の下に着用するだけで肛門がより強力に引き締められて正しい姿勢をとることができ、さらに着用して歩行するだけで正しい歩き方をすることができるとともに、小尻になってヒップアップの効果も得られて、さらに下腹部が引き締められるためより美しいプロポーションを得ることができ、また穿き心地も非常に優れたものとなる。
【０６１４】
なお、本実施の形態２１の変形例においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６１５】
また、羽根部材１０１Ｂ，１０１Ｃについては、羽根部材５，５Ｃのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６１６】
実施の形態２２
次に、本発明の実施の形態２２にかかる姿勢補整用下着としての姿勢補整用ショートガードルについて、図３９乃至図４１を参照して説明する。
【０６１７】
図３９（ａ）は本発明の実施の形態２２にかかる姿勢補整用下着としての姿勢補整用ショートガードルの全体構成を示す正面図、（ｂ）は背面図、（ｃ）は本発明の実施の形態２２にかかる姿勢補整用ショートガードルを裏返した場合の全体構成を示す正面図、（ｄ）は背面図、（ｅ）は本発明の実施の形態２２にかかる姿勢補整用ショートガードルの股下部分の内部構造を示す部分拡大図である。
【０６１８】
図４０（ａ）は本発明の実施の形態２２の第１変形例にかかる姿勢補整用下着としての姿勢補整用ショートガードルの全体構成を示す正面図、（ｂ）は背面図、（ｃ）は本発明の実施の形態２２の第１変形例にかかる姿勢補整用ショートガードルを裏返した場合の全体構成を示す正面図、（ｄ）は背面図、（ｅ）は本発明の実施の形態２２の第１変形例にかかる姿勢補整用ショートガードルの股下部分の内部構造を示す部分拡大図である。
【０６１９】
図４１（ａ）は本発明の実施の形態２２の第２変形例にかかる姿勢補整用下着としての姿勢補整用ショートガードルの全体構成を示す正面図、（ｂ）は背面図、（ｃ）は本発明の実施の形態２２の第２変形例にかかる姿勢補整用ショートガードルを裏返した場合の全体構成を示す正面図、（ｄ）は背面図、（ｅ）は本発明の実施の形態２２の第２変形例にかかる姿勢補整用ショートガードルの股下部分の内部構造を示す部分拡大図である。
【０６２０】
なお、本実施の形態２２にかかる姿勢補整用ショートガードルの構成は、一部を除いて上記実施の形態２０，２１にかかる姿勢補整用ショートガードル１００，１００Ａ，１００Ｂと同様であるため、同一の部分には同一の符号を付して、一部説明を省略する。
【０６２１】
図３９（ａ），（ｂ）に示されるように、本実施の形態２２にかかる姿勢補整用下着としての姿勢補整用ショートガードル１０５は、伸縮性を有する生地としての綿９５％、ポリウレタン５％のポリウレタン混合生地からなる下着本体としてのショートガードル本体９１を中心に構成されている。ここで、図３９（ｃ），（ｄ）に示されるように、姿勢補整用ショートガードル１０５の裏側には、股下当て布９３（伸縮性を有する生地としてのパワーネットからなる）が縫付けられている。
【０６２２】
そして、図３９（ｄ），（ｅ）に示されるように、姿勢補整用ショートガードル１０５の裏側臀部には、１対の分岐部分と分岐点を含む根元部分のみからなる伸縮性を有する生地としてのパワーネットからなる後部羽根部材１０４の１対の分岐部分１０４ａ，１０４ｂがステッチ縫い１０４ｉで縫付けられており、根元部分１０４ｅが股下当て布９３の後部の端にステッチ縫い１０４ｈで縫付けられている。
【０６２３】
したがって、ショートガードル本体９１は、本発明における「着用者の股下に当接する股部を有する下着本体」に相当する。また、本実施の形態２２にかかる姿勢補整用ショートガードル１０５は、「羽根部材が１対の分岐部分と分岐点を含む根元部分のみからなる伸縮性を有する生地からなる後部羽根部材であって、後部羽根部材は根元部分が下着本体の股部の裏側に取付けられた伸縮性を有する生地からなる股下当て布の後部の端に縫付けられている姿勢補整用下着」に相当する。
【０６２４】
ここで、後部羽根部材１０４は、羽根部材１０１，１０１Ａと同様に、二枚のパワーネット生地を袋縫いしてなるものである。これによって、着用者の股部には股下当て布９３が当接するため、股下当て布９３がクッションとなって穿き心地が向上し、長時間着用しても違和感を覚えることがなくなる。そして、股下当て布９３は、伸縮性を有する生地としてのパワーネットからなる。
【０６２５】
したがって、後部羽根部材１０４は、ステッチ縫い１０４ｈによって根元部分１０４ｅが股下当て布９３の後部の端に縫付けられた部分と、ステッチ縫い１０４ｉによってショートガードル本体９１の臀部裏側に縫付けられた部分との間は、自由に伸縮することができる。
【０６２６】
１対の分岐部分１０４ａ，１０４ｂの内側におけるステッチ縫い１０４ｉの縫い止まり点１０４ｋは、後部羽根部材１０４の分岐点１０４ｃから約７ｃｍ（６．５ｃｍ〜７．５ｃｍ）離れており、１対の分岐部分１０４ａ，１０４ｂの外側におけるステッチ縫い１０４ｉの縫い止まり点１０４ｋは、内側のステッチ縫い１０４ｉの縫い止まり点とほぼ対応する位置にあって、少なくとも着用者の肛門の位置ＨＣＰよりは上方にある。
【０６２７】
そして、図３９（ｄ）に示されるように、後部羽根部材１０４は、姿勢補整用ショートガードル１０５を着用したときに、着用者の肛門の位置ＨＣＰが１対の分岐部分１０４ａ，１０４ｂの間の分岐点１０４ｃの近傍（分岐点１０４ｃから約１．５ｃｍ（１．３ｃｍ〜１．７ｃｍ）離れた位置）にくるように縫付けられている。
【０６２８】
これによって、本実施の形態２２にかかる姿勢補整用ショートガードル１０５を着用することによって、後部羽根部材１０４には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。
【０６２９】
また、肛門が引き締められると臀部に左右１対の笑窪様の小さい窪みが生じ、これらの小さい窪みの位置する点ＨＥＰがショートガードル本体９１を介して羽根部材１０４の１対の分岐部分１０４ａ，１０４ｂによって押えられるため、着用者の臀部が引き締まって小尻になるとともにヒップアップの効果が得られる。さらに、本実施の形態２２にかかる姿勢補整用ショートガードル１０５においては、股下当て布９３が着用者の股下に当接するので、穿き心地が著しく向上するという利点が得られる。
【０６３０】
なお、後部羽根部材１０４については、羽根部材５，５Ｃのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６３１】
次に、本実施の形態２２の第１変形例にかかる姿勢補整用ショートガードル１０６について、図４０を参照して説明する。図４０（ａ），（ｂ），（ｄ）に示されるように、第１変形例にかかる姿勢補整用ショートガードル１０６の背面側の構成については、上記姿勢補整用ショートガードル１０５の構成と同様である。
【０６３２】
異なるのは、図４０（ｃ），（ｅ）に示されるように、第１変形例にかかる姿勢補整用ショートガードル１０６の前面裏側には、羽根部材の分岐していない側のみからなる伸縮性を有する生地としてのパワーネットからなる前部羽根部材１０８が縫付けられている点である。前部羽根部材１０８の分岐していない側１０８ｄの先端１０８ｅは、ステッチ縫い１０８ｈによってショートガードル本体９１の裏側の前部上端に縫付けられ、反対側の端１０８ａは、ステッチ縫い１０８ｉによって股下当て布９３の前部の端に縫付けられている。
【０６３３】
したがって、本実施の形態２２の第１変形例にかかる姿勢補整用ショートガードル１０６は、本発明における「後部羽根部材とともに羽根部材の分岐していない側のみからなる伸縮性を有する生地からなる前部羽根部材を有し、前部羽根部材の分岐していない側の先端は下着本体の裏側の前部に縫付けられており、前部羽根部材の反対側の端は股下当て布の前部の端に縫付けられている姿勢補整用下着」に相当する。
【０６３４】
これによって、上記姿勢補整用ショートガードル１０５における効果に加えて、伸縮性を有する生地からなる股下当て布９３を介してではあるが、後部羽根部材１０４が前部羽根部材１０８によって引っ張られるために後部羽根部材１０４が肛門を引き締める効果が向上するとともに、前部羽根部材１０８によって下腹部が押え付けられるので、下腹部が引っ込んでより美しいプロポーションを得ることができる。
【０６３５】
なお、前部羽根部材１０８については、羽根部材５，５Ｃのように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６３６】
次に、本実施の形態２２の第２変形例にかかる姿勢補整用ショートガードル１０７について、図４１を参照して説明する。図４１（ａ），（ｂ），（ｄ）に示されるように、第２変形例にかかる姿勢補整用ショートガードル１０７の背面側の構成については、上記姿勢補整用ショートガードル１０５，１０６の構成と同様である。
【０６３７】
異なるのは、図４１（ｃ），（ｅ）に示されるように、第２変形例にかかる姿勢補整用ショートガードル１０７の前面裏側には、羽根部材の１対の前部分岐部分のみからなる伸縮性を有する生地としてのパワーネットからなる前部羽根部材１０９が縫付けられている点である。前部羽根部材１０９の１対の前部分岐部分１０９ｄ，１０９ｅの先端は、ステッチ縫い１０９ｊによってショートガードル本体９１の裏側の前部上端に縫付けられ、反対側の端１０９ａは、ステッチ縫い１０９ｈによって股下当て布９３の前部の端に縫付けられている。
【０６３８】
したがって、本実施の形態２２の第２変形例にかかる姿勢補整用ショートガードル１０７は、本発明における「後部羽根部材とともに羽根部材の１対の前部分岐部分のみからなる伸縮性を有する生地からなる前部羽根部材を有し、前部羽根部材の１対の前部分岐部分の先端は下着本体の裏側の前部に縫付けられており、前部羽根部材の反対側の端は股下当て布の前部の端に縫付けられている姿勢補整用下着」に相当する。
【０６３９】
これによって、上記姿勢補整用ショートガードル１０５における効果に加えて、伸縮性を有する生地からなる股下当て布９３を介してではあるが、後部羽根部材１０４が前部羽根部材１０９によって引っ張られるために後部羽根部材１０４が肛門を引き締める効果が向上するとともに、前部羽根部材１０９によって下腹部が押え付けられるので、下腹部が引っ込んでより美しいプロポーションを得ることができる。
【０６４０】
なお、前部羽根部材１０９については、羽根部材５，５Ｃのように二枚の伸縮性を有する生地を袋縫いにしたものでも、羽根部材５Ｎのように一枚の伸縮性を有する生地の縁を裁ちかがり縫いしたものでも、二枚の伸縮性を有する生地の縁を裁ちかがり縫いしたものでも良い。
【０６４１】
このようにして、本実施の形態２２にかかる姿勢補整用ショートガードル１０５，１００６，１０７においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて、より美しいプロポーションを得ることができ、また穿き心地も非常に優れたものとなる。
【０６４２】
なお、本実施の形態２２においては、伸縮性を有する生地として、綿９５％、ポリウレタン５％のポリウレタン混合生地及びパワーネットを使用した場合について説明したが、サテンネット（ストレッチサテン）、ストレッチレースを始めとして他の伸縮性を有する生地を用いても良い。
【０６４３】
実施の形態２３
次に、本発明の実施の形態２３にかかる姿勢補整用下着としての姿勢補整用パンティー・ストッキングについて、図４２を参照して説明する。
【０６４４】
図４２（ａ）は本発明の実施の形態２３にかかる姿勢補整用下着としての姿勢補整用パンティー・ストッキングの全体構成を示す正面図、（ｂ）は背面図、（ｃ）は本発明の実施の形態２３にかかる姿勢補整用パンティー・ストッキングを裏返した場合の全体構成を示す正面図、（ｄ）は背面図、（ｅ）は本発明の実施の形態２３にかかる姿勢補整用パンティー・ストッキングの股下部分の内部構造を示す部分拡大図である。
【０６４５】
なお、本実施の形態２３にかかる姿勢補整用パンティー・ストッキングの構成は、一部を除いて上記実施の形態１０にかかる図２４に示される姿勢補整用パンティー・ストッキング６０と同様であるため、同一の部分には同一の符号を付して、一部説明を省略する。また、下着本体としてのタイツを中心に構成される姿勢補整用下着としての姿勢補整用タイツについても、本実施の形態２３にかかる姿勢補整用パンティー・ストッキングと同様に構成される。
【０６４６】
図２４（ａ），（ｂ）に示されるように、本実施の形態２３にかかる姿勢補整用下着としての姿勢補整用パンティー・ストッキング１１０は、伸縮性を有する生地としてのパワーネット生地からなる下着本体としてのパンティー・ストッキング本体６１、及び伸縮性を有する生地としてのパワーネット生地からなる羽根部材６３を有している。パンティー・ストッキング本体６１は脚部６１Ａ，６１Ｂを有し、脚部６１Ａ，６１Ｂはストッキングとして着用者のつま先まで包み込む構造を有している。
【０６４７】
本実施の形態２３にかかる姿勢補整用パンティー・ストッキング１１０が上記実施の形態１０にかかる姿勢補整用パンティー・ストッキング６０と異なるのは、パンティー・ストッキング本体６１の股部裏側に股下当て布１１１が取付けられており、羽根部材６３がその中を潜って取付けられている点である。
【０６４８】
したがって、パンティー・ストッキング本体６１は、本発明における「着用者の股下に当接する股部を有する下着本体」に相当する。また、本実施の形態２３にかかる姿勢補整用パンティー・ストッキング１１０は、「下着本体と、略Ｙ字形の伸縮性を有する生地からなる羽根部材とを具備する姿勢補整用下着」に相当し、さらに「羽根部材が下着本体の股部の裏側に取付けられた股下当て布と下着本体の股部との間を潜って取付けられている姿勢補整用下着」に相当し、下着本体６１が伸縮性を有する生地からなるものである。
【０６４９】
即ち、図４２（ｄ）に示されるように、二枚のパワーネット生地を裁ちかがり縫いしてなる羽根部材６３は、１対の分岐部分６３ａ，６３ｂの先端及びその周囲の部分がステッチ縫い６３ｉによってパンティー・ストッキング本体６１の臀部裏側に直接縫付けられており、羽根部材６３の分岐していない側６３ｄの先端６３ｅが、ステッチ縫い６３ｈによってパンティー・ストッキング本体６１の裏側前部に縫付けられている。
【０６５０】
そして、図４２（ｅ）に示されるように、股下当て布１１１は、羽根部材６３を縫付けずに羽根部材６３を覆うように、その両縁がパンティー・ストッキング本体６１の股部の裏側に、ステッチ縫い１１１ａによって縫付けられている。これによって、着用者の股部に羽根部材６３が直接当接することが防止され、股下当て布１１１を介して当接するため、股下当て布１１１がクッションとなって穿き心地が向上し、長時間着用しても違和感を覚えることがなくなる。また、羽根部材６３は股下当て布１１１の中で自由に伸縮することができる。
【０６５１】
したがって、羽根部材６３は、ステッチ縫い６３ｈによって分岐していない側６３ｄの先端６３ｅがパンティー・ストッキング本体６１の裏側前部に縫付けられた部分と、ステッチ縫い６３ｉによってパンティー・ストッキング本体６１の臀部裏側に縫付けられた部分との間は縫付けられておらず、フリーの状態になっている。
【０６５２】
１対の分岐部分６３ａ，６３ｂの内側におけるステッチ縫い６３ｉの縫い止まり点は、羽根部材６３の分岐点６３ｃから約７ｃｍ（６．５ｃｍ〜７．５ｃｍ）離れており、１対の分岐部分６３ａ，６３ｂの外側におけるステッチ縫い６３ｉの縫い止まり点は、内側のステッチ縫い６３ｉの縫い止まり点とほぼ対応する位置にあって、少なくとも着用者の肛門の位置ＨＣＰよりは上方にある。
【０６５３】
そして、図４２（ｄ）に示されるように、羽根部材６３は、姿勢補整用パンティー・ストッキング１１０を着用したときに、着用者の肛門の位置ＨＣＰが１対の分岐部分６３ａ，６３ｂの間の分岐点６３ｃの近傍（分岐点６３ｃから約１．５ｃｍ（１．３ｃｍ〜１．７ｃｍ）離れた位置）にくるように縫付けられている。
【０６５４】
これによって、本実施の形態２３にかかる姿勢補整用パンティー・ストッキング１１０を着用することによって、羽根部材６３には伸縮性による引っ張り力がかかり、着用者の肛門が効果的に引き締められ、肛門が軽く上に引き上げられて骨盤を安定させる力が強くなり、座ったときに最も背筋が伸びるので正しい姿勢で座ることができ、かつ正しい姿勢で立ち、正しい姿勢で歩くことができる。また、肛門が引き締められると臀部に左右１対の笑窪様の小さい窪みが生じ、これらの小さい窪みの位置する点ＨＥＰが羽根部材６３の１対の分岐部分６３ａ，６３ｂによって押えられるため、着用者の臀部が引き締まって小尻になるとともにヒップアップの効果が得られる。
【０６５５】
さらに、本実施の形態２３にかかる姿勢補整用パンティー・ストッキング１１０においては、ヨーク部材を用いていないため、製造工程が短縮され、より低コストで製造できるという利点が得られる。
【０６５６】
なお、本実施の形態２３にかかる姿勢補整用パンティー・ストッキング１１０においては、羽根部材６３を用いた例について説明したが、羽根部材としては羽根部材６３に限られず、先に説明した羽根部材５，５Ｂ，５Ｃ，５Ｄ，５Ｅ，５Ｆ，５Ｇ，５Ｈ，５Ｊ，５Ｋ，５Ｌ，５Ｍ，５Ｎ，５Ｐを始めとして、一対の分岐部分を有する略Ｙ字形のものであれば、これら以外にも様々な形状のものを用いることができる。
【０６５７】
また、羽根部材５Ｂ，５Ｃ，５Ｄ，５Ｅ，５Ｆ，５Ｇ，５Ｈ，５Ｊ，５Ｋ，５Ｌ，５Ｍについては、羽根部材５のように二枚の伸縮性を有する生地を袋縫いにしたものでも、羽根部材５Ｎのように一枚の伸縮性を有する生地の縁を裁ちかがり縫いしたものでも、羽根部材５Ｐのように袋縫いにして作製した左右対称の部分を中心接ぎ縫い５Ｐｇで接いでなるものでも良い。
【０６５８】
さらに、本実施の形態２３にかかる姿勢補整用パンティー・ストッキング１１０においては、羽根部材６３の分岐していない側６３ｄの先端６３ｅが、股下当て布１１１の外側においてステッチ縫い６３ｈによって縫付けられた場合について説明したが、分岐していない側６３ｄの先端６３ｅが股下当て布１１１の内部においてステッチ縫い６３ｈによって縫付けられていても良い。即ち、羽根部材６３の分岐していない側６３ｄの先端６３ｅが、股下当て布１１１の下に隠れてしまっても構わない。
【０６５９】
このようにして、本実施の形態２３にかかる姿勢補整用パンティー・ストッキング１１０においては、意識しなくてもズボン・パンツやスカート等の衣服の下に着用するだけで肛門が引き締められて正しい姿勢をとることができ、さらに着用して歩行するだけで正しい歩き方をすることができるとともに、小尻になってヒップアップの効果も得られて美しいプロポーションを得ることができ、また穿き心地も優れたものとなる。
【０６６０】
なお、本実施の形態２３においては、伸縮性を有する生地としてパワーネットを使用した場合について説明したが、サテンネット（ストレッチサテン）、ストレッチレースを始めとして他の伸縮性を有する生地を用いても良い。また、パンティー・ストッキング本体６１と羽根部材６３とをそれぞれ異なる種類の伸縮性を有する生地から作製しても良い。
【０６６１】
上記各実施の形態においては、姿勢補整用下着として主に男性用の（女性も使用できる）姿勢補整用サポーター５０，５０Ａ，５０Ｂ，５０Ｃ，５０Ｄ，５０Ｅ，７０を除いて、女性用の姿勢補整用ロングガードル、姿勢補整用ショートガードル、姿勢補整用ショーツガードル、姿勢補整用ショーツ、姿勢補整用サポーター、姿勢補整用キュロット下着、姿勢補整用ボディースーツ、姿勢補整用タイツ、姿勢補整用パンティー・ストッキングについてのみ説明したが、同様な構成で男性用の姿勢補整用下着としての姿勢補整用ブリーフ、姿勢補整用トランクス、姿勢補整用ボクサーパンツ、姿勢補整用ズボン下、等を作製することができる。
【０６６２】
また、上記各実施の形態においては、実施の形態８、実施の形態９、実施の形態１５及び実施の形態１８〜実施の形態２３を除いて、下着本体を伸縮性を有する生地としてのパワーネットで構成した場合について説明したが、下着本体を構成する伸縮性を有する生地として、サテンネット、ストレッチレース、トリコット、ニット生地、ポリウレタンが１％から３０％混入されたポリウレタン混合生地、綿ストレッチ、スパンレックス、ストレッチレース、を始めとする他の伸縮性を有する生地を用いても良いし、下着本体を、ポリエステル生地、アクリル生地を始めとする伸縮性を有しない生地で構成しても良い。
【０６６３】
さらに、上記各実施の形態においては、羽根部材を構成する伸縮性を有する生地として、パワーネット生地を用いた例についてのみ説明したが、羽根部材を構成する伸縮性を有する生地としては、その他にもサテンネット（ストレッチサテン）、ストレッチレース、を始めとする他の伸縮性を有する生地を用いることもできる。
【０６６４】
また、上記各実施の形態においては、「調節機能付き接続具」として、長さ方向の複数の位置にメンカンを取付けたものと、その複数のメンカンのいずれにも嵌合するカギホックを布地に取付けたものとを組にしたもの、長さ方向の複数の位置に凹側ホックを取付けたものと、その複数の凹側ホックのいずれにも嵌合する凸側ホックを布地に取付けたものとを組にしたもの、及び長さ方向の複数の位置に凹側のドット釦を取付けたものと、その複数の凹側のドット釦のいずれにも嵌合する凸側のドット釦を布地に取付けたものとを組にしたものについて説明したが、これ以外にも「調節機能付き接続具」としては、一組の接続布（マジックテープ（登録商標））や、長さ方向の複数の位置に凹側のスプリングホックを取付けたものと、その複数の凹側のスプリングホックのいずれにも嵌合する凸側のスプリングホックを布地に取付けたものとを組にしたもの、等をも用いることができる。
【０６６５】
姿勢補整用下着のその他の部分の構造、形状、材質、数量、大きさ（幅・長さ・厚さ等）、接続関係等についても、上記各実施の形態に限定されるものではない。
【図面の簡単な説明】
【０６６６】
【図１】図１（ａ）は本発明の実施の形態１にかかる姿勢補整用下着としての姿勢補整用ロングガードルの全体構成を示す正面図、（ｂ）は背面図、（ｃ）は本発明の実施の形態１にかかる姿勢補整用ロングガードルを裏返した場合の全体構成を示す正面図、（ｄ）は背面図である。
【図２】図２は本発明の実施の形態１にかかる姿勢補整用ロングガードルの股下部分の内部構造を示す部分拡大図である。
【図３】図３は人体の肛門が引き締められた場合に臀部に生ずる左右１対の笑窪様の小さい窪みの位置を示す模式図である。
【図４】図４（ａ）は本発明の実施の形態１にかかる姿勢補整用ロングガードルに用いられる羽根部材と肛門及び左右１対の小さい窪みとの位置関係を示す図、（ｂ）は羽根部材と肛門及び左右１対の小さい窪みとの別の位置関係を示す図、（ｃ）は羽根部材と肛門及び左右１対の小さい窪みとのさらに別の位置関係を示す図、（ｄ）は異なる羽根部材と肛門との位置関係を示す図である。
【図５】図５（ａ）〜（ｊ）は本発明の実施の形態１にかかる姿勢補整用ロングガードルに用いられる羽根部材の様々な形状を示す図である。
【図６】図６（ａ）は本発明の実施の形態１にかかる姿勢補整用ロングガードルに用いられる羽根部材の縫付け方法を示す図、（ｂ）は羽根部材の異なる縫付け方法を示す図、（ｃ）は羽根部材のさらに異なる縫付け方法を示す図である。
【図７】図７（ａ）は本発明の実施の形態１の第１変形例にかかる姿勢補整用ロングガードルの全体構成を示す正面図、（ｂ）は背面図、（ｃ）は本発明の実施の形態１の第１変形例にかかる姿勢補整用ロングガードルを裏返した場合の全体構成を示す正面図、（ｄ）は背面図である。
【図８】図８は本発明の実施の形態１の第１変形例にかかる姿勢補整用ロングガードルの股下部分の内部構造を示す部分拡大図である。
【図９】図９（ａ）は本発明の実施の形態１の第２変形例にかかる姿勢補整用ロングガードルの全体構成を示す正面図、（ｂ）は背面図、（ｃ）は本発明の実施の形態１の第２変形例にかかる姿勢補整用ロングガードルを裏返した場合の全体構成を示す正面図、（ｄ）は背面図である。
【図１０】図１０は本発明の実施の形態１の第２変形例にかかる姿勢補整用ロングガードルの股下部分の内部構造を示す部分拡大図である。
【図１１】図１１（ａ）は本発明の実施の形態２にかかる姿勢補整用下着としての姿勢補整用ショートガードルの全体構成を示す正面図、（ｂ）は背面図、（ｃ）は本発明の実施の形態２にかかる姿勢補整用ショートガードルを裏返した場合の全体構成を示す正面図、（ｄ）は背面図である。
【図１２】図１２（ａ）は本発明の実施の形態３にかかる姿勢補整用下着としての姿勢補整用ショーツガードルの全体構成を示す正面図、（ｂ）は背面図、（ｃ）は本発明の実施の形態３にかかる姿勢補整用ショーツガードルを裏返した場合の全体構成を示す正面図、（ｄ）は背面図である。
【図１３】図１３（ａ）は本発明の実施の形態４にかかる姿勢補整用下着としての姿勢補整用ショーツの全体構成を示す正面図、（ｂ）は背面図、（ｃ）は本発明の実施の形態４にかかる姿勢補整用ショーツを裏返した場合の全体構成を示す正面図、（ｄ）は背面図、（ｅ）は本発明の実施の形態４の第１変形例にかかる姿勢補整用ショーツを裏返した場合の全体構成を示す背面図、（ｆ）は本発明の実施の形態４の第２変形例にかかる姿勢補整用ショーツを裏返した場合の全体構成を示す背面図である。
【図１４】図１４（ａ）は本発明の実施の形態４の第３変形例にかかる姿勢補整用下着としての姿勢補整用ショーツの全体構成を示す正面図、（ｂ）は背面図、（ｃ）は本発明の実施の形態４の第３変形例にかかる姿勢補整用ショーツを裏返した場合の全体構成を示す正面図、（ｄ）は背面図である。
【図１５】図１５（ａ）は本発明の実施の形態５にかかる姿勢補整用下着としての姿勢補整用キュロット下着の全体構成を示す正面図、（ｂ）は背面図、（ｃ）は本発明の実施の形態５にかかる姿勢補整用キュロット下着を裏返した場合の全体構成を示す正面図、（ｄ）は背面図である。
【図１６】図１６（ａ）は本発明の実施の形態５の変形例にかかる姿勢補整用下着としての姿勢補整用キュロット下着の全体構成を示す正面図、（ｂ）は背面図、（ｃ）は本発明の実施の形態５の変形例にかかる姿勢補整用キュロット下着を裏返した場合の全体構成を示す正面図、（ｄ）は背面図である。
【図１７】図１７（ａ）は本発明の実施の形態６にかかる姿勢補整用下着としての姿勢補整用サポーターの全体構成を示す正面図、（ｂ）は背面図、（ｃ）は本発明の実施の形態６にかかる姿勢補整用サポーターを裏返した場合の全体構成を示す正面図、（ｄ）は背面図、（ｅ）は本発明の実施の形態６にかかる姿勢補整用下着としての姿勢補整用サポーターの全体構成を示す斜視図である。
【図１８】図１８（ａ）は本発明の実施の形態６の第１変形例にかかる姿勢補整用下着としての姿勢補整用サポーターの全体構成を示す正面図、（ｂ）は背面図である。図１８（ｃ）は本発明の実施の形態６の第２変形例にかかる姿勢補整用下着としての姿勢補整用サポーターの全体構成を示す正面図、（ｄ）は背面図である。図１８（ｅ）は本発明の実施の形態６の第３変形例にかかる姿勢補整用下着としての姿勢補整用サポーターの全体構成を示す正面図、（ｆ）は背面図である。図１８（ｇ）は本発明の実施の形態６の第４変形例にかかる姿勢補整用下着としての姿勢補整用サポーターの全体構成を示す正面図、（ｈ）は背面図である。図１８（ｉ）は本発明の実施の形態６の第５変形例にかかる姿勢補整用下着としての姿勢補整用サポーターの全体構成を示す正面図、（ｊ）は背面図である。
【図１９】図１９（ａ）は本発明の実施の形態６の第６変形例にかかる姿勢補整用下着としての姿勢補整用サポーターの全体構成を示す正面図、（ｂ）は背面図である。図１９（ｃ）は本発明の実施の形態６の第７変形例にかかる姿勢補整用下着としての姿勢補整用サポーターの全体構成を示す正面図、（ｄ）は背面図である。図１９（ｅ）は本発明の実施の形態６の第８変形例にかかる姿勢補整用下着としての姿勢補整用サポーターの全体構成を示す正面図、（ｆ）は背面図である。図１９（ｇ）は本発明の実施の形態６の第９変形例にかかる姿勢補整用下着としての姿勢補整用サポーターの全体構成を示す正面図、（ｈ）は背面図である。図１９（ｉ）は本発明の実施の形態６の第１０変形例にかかる姿勢補整用下着としての姿勢補整用サポーターの全体構成を示す正面図、（ｊ）は背面図である。図１９（ｋ）は本発明の実施の形態６の第１１変形例にかかる姿勢補整用下着としての姿勢補整用サポーターの全体構成を示す正面図、（ｌ）は背面図である。
【図２０】図２０（ａ）は本発明の実施の形態７にかかる姿勢補整用下着としての姿勢補整用サポーターの全体構成を示す正面図、（ｂ）は背面図、（ｃ）は本発明の実施の形態７にかかる姿勢補整用サポーターを裏返した場合の全体構成を示す正面図、（ｄ）は背面図である。
【図２１】図２１（ａ）は本発明の実施の形態８にかかる姿勢補整用下着としての姿勢補整用サポーターの全体構成を示す正面図、（ｂ）は背面図、（ｃ）は本発明の実施の形態８にかかる姿勢補整用サポーターを裏返した場合の全体構成を示す正面図、（ｄ）は背面図、（ｅ）は本発明の実施の形態８にかかる姿勢補整用サポーターに用いられる羽根部材の形状を示す図である。
【図２２】図２２（ａ）は本発明の実施の形態８の第１変形例にかかる姿勢補整用サポーターの全体構成を示す正面図、（ｂ）は背面図、（ｃ）は本発明の実施の形態８の第１変形例にかかる姿勢補整用サポーターに用いられる羽根部材の形状を示す図である。図２２（ｄ）は本発明の実施の形態８の第２変形例にかかる姿勢補整用サポーターの全体構成を示す正面図、（ｅ）は背面図、（ｆ）は本発明の実施の形態８の第２変形例にかかる姿勢補整用サポーターに用いられる羽根部材の形状を示す図である。図２２（ｇ）は本発明の実施の形態８の第３変形例にかかる姿勢補整用サポーターの全体構成を示す正面図、（ｈ）は背面図、（ｉ）は本発明の実施の形態８の第３変形例にかかる姿勢補整用サポーターに用いられる羽根部材の形状を示す図である。図２２（ｊ）は本発明の実施の形態８の第４変形例にかかる姿勢補整用サポーターの全体構成を示す正面図、（ｋ）は背面図、（ｌ）は本発明の実施の形態８の第４変形例にかかる姿勢補整用サポーターに用いられる羽根部材の形状を示す図である。
【図２３】図２３（ａ）は本発明の実施の形態９にかかる姿勢補整用下着としての姿勢補整用ボディースーツの全体構成を示す正面図、（ｂ）は背面図、（ｃ）は姿勢補整用ボディースーツの股部を外した状態を示す部分拡大図、（ｄ）は本発明の実施の形態９にかかる姿勢補整用ボディースーツを裏返した場合の下半分の構成を示す背面図、（ｅ）は本発明の実施の形態９の第１変形例にかかる姿勢補整用ボディースーツを裏返した場合の下半分の構成を示す背面図、（ｆ）は本発明の実施の形態９の第２変形例にかかる姿勢補整用ボディースーツを裏返した場合の下半分の構成を示す背面図である。
【図２４】図２４（ａ）は本発明の実施の形態１０にかかる姿勢補整用下着としての姿勢補整用パンティー・ストッキングの全体構成を示す正面図、（ｂ）は背面図である。
【図２５】図２５（ａ）は本発明の実施の形態１１にかかる姿勢補整用下着としての調節機能付きの姿勢補整用ロングガードルの全体構成を示す正面図、（ｂ）は背面図、（ｃ）は本発明の実施の形態１１にかかる調節機能付きの姿勢補整用ロングガードルを裏返した状態の全体構成を示す正面図、（ｄ）は背面図である。
【図２６】図２６（ａ）は本発明の実施の形態１１にかかる姿勢補整用下着としての調節機能付きの姿勢補整用ロングガードルの調節機能付き接続具を外した状態を示す部分拡大図、（ｂ）は調節機能付き接続具を留めた状態を示す部分拡大図である。
【図２７】図２７（ａ）は本発明の実施の形態１２にかかる姿勢補整用下着としての調節機能付きの姿勢補整用ショートガードルの全体構成を示す正面図、（ｂ）は背面図、（ｃ）は本発明の実施の形態１２にかかる調節機能付きの姿勢補整用ショートガードルを裏返した状態の全体構成を示す正面図、（ｄ）は背面図である。
【図２８】図２８（ａ）は本発明の実施の形態１３にかかる姿勢補整用下着としての調節機能付きの姿勢補整用サポーターの全体構成を示す正面図、（ｂ）は背面図、（ｃ）は本発明の実施の形態１３にかかる調節機能付きの姿勢補整用サポーターを裏返した状態の全体構成を示す正面図、（ｄ）は背面図、（ｅ）は本発明の実施の形態１３にかかる調節機能付きの姿勢補整用サポーターに用いられる羽根部材の構造を示す図である。
【図２９】図２９（ａ）は本発明の実施の形態１４にかかる姿勢補整用下着としての調節機能付きの姿勢補整用サポーターの全体構成を示す正面図、（ｂ）は背面図、（ｃ）は本発明の実施の形態１４にかかる調節機能付きの姿勢補整用サポーターを裏返した状態の全体構成を示す正面図、（ｄ）は背面図である。
【図３０】図３０（ａ）は本発明の実施の形態１５にかかる姿勢補整用下着としての調節機能付きの姿勢補整用ボディースーツの全体構成を示す正面図、（ｂ）は背面図、（ｃ）は姿勢補整用ボディースーツの股部を外した状態を示す部分拡大図である。
【図３１】図３１（ａ）は本発明の実施の形態１６にかかる姿勢補整用ロングガードルの全体構成を示す正面図、（ｂ）は背面図、（ｃ）は本発明の実施の形態１６にかかる姿勢補整用ロングガードルを裏返した場合の全体構成を示す正面図、（ｄ）は背面図、（ｅ）は本発明の実施の形態１６にかかる姿勢補整用ロングガードルの股下部分の内部構造を示す部分拡大図である。
【図３２】図３２（ａ）は本発明の実施の形態１７にかかる姿勢補整用下着としての姿勢補整用ショートガードルの全体構成を示す正面図、（ｂ）は背面図、（ｃ）は本発明の実施の形態１７にかかる姿勢補整用ショートガードルを裏返した場合の全体構成を示す正面図、（ｄ）は背面図、（ｅ）は本発明の実施の形態１７にかかる姿勢補整用ショートガードルの股下部分の内部構造を示す部分拡大図である。
【図３３】図３３（ａ）は本発明の実施の形態１８にかかる姿勢補整用下着としての姿勢補整用ショートガードルの全体構成を示す正面図、（ｂ）は背面図、（ｃ）は本発明の実施の形態１８にかかる姿勢補整用ショートガードルを裏返した場合の全体構成を示す正面図、（ｄ）は背面図、（ｅ）は本発明の実施の形態１８にかかる姿勢補整用ショートガードルの股下部分の内部構造を示す部分拡大図である。
【図３４】図３４（ａ）は本発明の実施の形態１９にかかる姿勢補整用下着としての姿勢補整用ショートガードルの全体構成を示す正面図、（ｂ）は背面図、（ｃ）は本発明の実施の形態１９にかかる姿勢補整用ショートガードルを裏返した場合の全体構成を示す正面図、（ｄ）は背面図、（ｅ）は本発明の実施の形態１９にかかる姿勢補整用ショートガードルの股下部分の内部構造を示す部分拡大図である。
【図３５】図３５（ａ）は本発明の実施の形態１９の第１変形例にかかる姿勢補整用ショートガードルを裏返した場合の全体構成を示す正面図、（ｂ）は股下部分の内部構造を示す部分拡大図、（ｃ）は本発明の実施の形態１９の第２変形例にかかる姿勢補整用ショートガードルを裏返した場合の全体構成を示す正面図、（ｄ）は本発明の実施の形態１９の第３変形例にかかる姿勢補整用ショートガードルを裏返した場合の全体構成を示す正面図である。
【図３６】図３６（ａ）は本発明の実施の形態２０にかかる姿勢補整用下着としての姿勢補整用ショートガードルの全体構成を示す正面図、（ｂ）は背面図、（ｃ）は本発明の実施の形態２０にかかる姿勢補整用ショートガードルを裏返した場合の全体構成を示す正面図、（ｄ）は背面図、（ｅ）は本発明の実施の形態２０にかかる姿勢補整用ショートガードルの股下部分の内部構造を示す部分拡大図である。
【図３７】図３７（ａ）は本発明の実施の形態２１にかかる姿勢補整用下着としての姿勢補整用ショートガードルの全体構成を示す正面図、（ｂ）は背面図、（ｃ）は本発明の実施の形態２１にかかる姿勢補整用ショートガードルを裏返した場合の全体構成を示す正面図、（ｄ）は背面図、（ｅ）は本発明の実施の形態２１にかかる姿勢補整用ショートガードルの股下部分の内部構造を示す部分拡大図である。
【図３８】図３８（ａ）は本発明の実施の形態２１の第１変形例にかかる姿勢補整用ショートガードルを裏返した場合の全体構成を示す正面図、（ｂ）は本発明の実施の形態２１の第２変形例にかかる姿勢補整用ショートガードルを裏返した場合の全体構成を示す正面図である。
【図３９】図３９（ａ）は本発明の実施の形態２２にかかる姿勢補整用下着としての姿勢補整用ショートガードルの全体構成を示す正面図、（ｂ）は背面図、（ｃ）は本発明の実施の形態２２にかかる姿勢補整用ショートガードルを裏返した場合の全体構成を示す正面図、（ｄ）は背面図、（ｅ）は本発明の実施の形態２２にかかる姿勢補整用ショートガードルの股下部分の内部構造を示す部分拡大図である。
【図４０】図４０（ａ）は本発明の実施の形態２２の第１変形例にかかる姿勢補整用下着としての姿勢補整用ショートガードルの全体構成を示す正面図、（ｂ）は背面図、（ｃ）は本発明の実施の形態２２の第１変形例にかかる姿勢補整用ショートガードルを裏返した場合の全体構成を示す正面図、（ｄ）は背面図、（ｅ）は本発明の実施の形態２２の第１変形例にかかる姿勢補整用ショートガードルの股下部分の内部構造を示す部分拡大図である。
【図４１】図４１（ａ）は本発明の実施の形態２２の第２変形例にかかる姿勢補整用下着としての姿勢補整用ショートガードルの全体構成を示す正面図、（ｂ）は背面図、（ｃ）は本発明の実施の形態２２の第２変形例にかかる姿勢補整用ショートガードルを裏返した場合の全体構成を示す正面図、（ｄ）は背面図、（ｅ）は本発明の実施の形態２２の第２変形例にかかる姿勢補整用ショートガードルの股下部分の内部構造を示す部分拡大図である。
【図４２】図４２（ａ）は本発明の実施の形態２３にかかる姿勢補整用下着としての姿勢補整用パンティー・ストッキングの全体構成を示す正面図、（ｂ）は背面図、（ｃ）は本発明の実施の形態２３にかかる姿勢補整用パンティー・ストッキングを裏返した場合の全体構成を示す正面図、（ｄ）は背面図、（ｅ）は本発明の実施の形態２３にかかる姿勢補整用パンティー・ストッキングの股下部分の内部構造を示す部分拡大図である。
【符号の説明】
【０６６７】
１，１１，１３，１５，２０，２５，２５Ａ，２５Ｂ，３０，３５，３７，４０，４０Ａ，４０Ｂ，４０Ｃ，４０Ｄ，４０Ｅ，４０Ｆ，４０Ｇ，４０Ｈ，４０Ｊ，４０Ｋ，４０Ｍ，４５，５０，５０Ａ，５０Ｂ，５０Ｃ，５０Ｄ，５５，６０，６５，６８，７０，７５，８０，８３，８５，９０，９５，９６，９７，９８，１００，１００Ａ，１００Ｂ，１００Ｃ，１０５，１０６，１０７，１１０  姿勢補整用下着
２，１６，２１，２６，３１，３６，３８，４１，４６，５１，５１Ａ，５１Ｂ，５１Ｃ，５１Ｄ，５６，６１，７１，７６，９１，１０２Ａ，１０２Ｂ  下着本体
４，１７，２２，２７，３２，９２  股部
５，５Ｂ，５Ｃ，５Ｄ，５Ｅ，５Ｆ，５Ｇ，５Ｈ，５Ｊ，５Ｋ，５Ｌ，５Ｍ，５Ｎ，５Ｐ，５Ｑ，５Ｒ，５Ｓ，５Ｔ，５Ｕ，５２，５２Ａ，５２Ｂ，５２Ｃ，５２Ｄ，５８，６３，７２，９４，９４Ａ，，９４Ｂ，９４Ｃ，９４Ｄ，１０１，１０１Ａ，１０１Ｂ，１０１Ｃ  羽根部材
５ａ，５ｂ，５Ｂａ，５Ｂｂ，５Ｃａ，５Ｃｂ，５Ｄａ，５Ｄｂ，５Ｅａ，５Ｅｂ，５Ｆａ，５Ｆｂ，５Ｇａ，５Ｇｂ，５Ｈａ，５Ｈｂ，５Ｊａ，５Ｊｂ，５Ｋａ，５Ｋｂ，５Ｌａ，５Ｌｂ，５Ｍａ，５Ｍｂ，５Ｎａ，５Ｎｂ，５Ｐａ，５Ｐｂ，５Ｕａ，５Ｕｂ，５２ａ，５２ｂ，５２Ａａ，５２Ａｂ，５２Ｂａ，５２Ｂｂ，５２Ｃａ，５２Ｃｂ，５２Ｄａ，５２Ｄｂ，５８ａ，５８ｂ，６３ａ，６３ｂ，７２ａ，７２ｂ，９４ａ，９４ｂ，９４Ａａ，９４Ａｂ，９４Ｂａ，９４Ｂｂ，１０１ａ，１０１ｂ，１０１Ａａ，１０１Ａｂ，１０４ａ，１０４ｂ  １対の分岐部分
５ｃ，５Ｂｃ，５Ｃｃ，５Ｄｃ，５Ｅｃ，５Ｆｃ，５Ｇｃ，５Ｈｃ，５Ｊｃ，５Ｋｃ，５Ｌｃ，５Ｍｃ，５Ｎｃ，５Ｐｃ，５Ｕｃ，５２ｃ，５２Ａｃ，５２Ｂｃ，５２Ｃｃ，５２Ｄｃ，５８ｃ，６３ｃ，７２ｃ，９４ｃ，９４Ａｃ，９４Ｂｃ，１０１ｃ，１０１Ａｃ，１０４ｃ  分岐点
５ｄ，５Ｅｄ，５Ｎｄ，５Ｐｄ，５Ｕｄ，５８ｄ，６３ｄ，９４ｄ，９４Ａｄ，９４Ｂｄ，９４Ｃｄ，９４Ｄｄ，１０８ｄ  分岐していない側
５ｅ，５Ｎｅ，５Ｐｅ，５Ｕｅ，５８ｅ，６３ｅ，９４ｅ，９４Ａｅ，９４Ｂｅ，９４Ｃｅ，９４Ｄｅ，１０８ｅ  分岐していない側の端
５ｋ，５Ｂｋ，５Ｃｋ，５Ｅｋ，５８ｋ，６３ｋ  縫い止まり点
６，１８，２４，２８，３３，５７  ヨーク部材
５２ｄ，５２ｅ，５２Ａｄ，５２Ａｅ，５２Ｂｄ，５２Ｂｅ，５２Ｃｄ，５２Ｃｅ，５２Ｄｄ，５２Ｄｅ，７２ｄ，７２ｅ，１０１ｄ，１０１ｅ，１０１Ａｄ，１０１Ａｅ，１０１Ｂｄ，１０１Ｂｅ，１０１Ｃｄ，１０１Ｃｅ，１０９ｄ，１０９ｅ  １対の前部分岐部分
６６Ａ，６６Ｂ，７３Ａ，７３Ｂ，７７Ａ，７７Ｂ，８１Ａ，８１Ｂ  調節機能付き接続具
８４，８６，９３，１１１  股下当て布
９４Ａｊ，９４Ｂｊ，９４Ｃｊ，９４Ｄｊ，１０１Ａｍ，１０１Ｂｍ，１０１Ｃｍ  枝部分
１０４  羽根部材（後部羽根部材）
１０８，１０９  羽根部材（前部羽根部材）
ＨＣＰ  肛門の位置
ＨＥＰ  小さい窪みの位置
【図１】
2007231491.tif 000003
【図２】
2007231491.tif 000004
【図３】
2007231491.tif 000005
【図４】
2007231491.tif 000006
【図５】
2007231491.tif 000007
【図６】
2007231491.tif 000008
【図７】
2007231491.tif 000009
【図８】
2007231491.tif 000010
【図９】
2007231491.tif 000011
【図１０】
2007231491.tif 000012
【図１１】
2007231491.tif 000013
【図１２】
2007231491.tif 000014
【図１３】
2007231491.tif 000015
【図１４】
2007231491.tif 000016
【図１５】
2007231491.tif 000017
【図１６】
2007231491.tif 000018
【図１７】
2007231491.tif 000019
【図１８】
2007231491.tif 000020
【図１９】
2007231491.tif 000021
【図２０】
2007231491.tif 000022
【図２１】
2007231491.tif 000023
【図２２】
2007231491.tif 000024
【図２３】
2007231491.tif 000025
【図２４】
2007231491.tif 000026
【図２５】
2007231491.tif 000027
【図２６】
2007231491.tif 000028
【図２７】
2007231491.tif 000029
【図２８】
2007231491.tif 000030
【図２９】
2007231491.tif 000031
【図３０】
2007231491.tif 000032
【図３１】
2007231491.tif 000033
【図３２】
2007231491.tif 000034
【図３３】
2007231491.tif 000035
【図３４】
2007231491.tif 000036
【図３５】
2007231491.tif 000037
【図３６】
2007231491.tif 000038
【図３７】
2007231491.tif 000039
【図３８】
2007231491.tif 000040
【図３９】
2007231491.tif 000041
【図４０】
2007231491.tif 000042
【図４１】
2007231491.tif 000043
【図４２】
2007231491.tif 000044